(57)【要約】【課題】ユーザーが高速ネットワーク環境を備えていなくともストレスなく音楽や映像等のコンテンツの配信を受けることができるようにし、また配信やコンテンツ利用に関してのユーザーの手間を軽減する。【解決手段】  ダウンロードデータとしてコンテンツデータが記録されたホログラムメモリ１を有するコンテンツ提供媒体（３，４）と、コンテンツ提供媒体に設けられたホログラムメモリからコンテンツデータを読み出して取得するダウンロード装置５０とによりコンテンツダウンロードシステムを構成する。ホログラムメモリにより大容量のコンテンツをポスターや書籍等に貼付して提供できるようにし、そのホログラムメモリからコンテンツデータをダウンロードすることで、高速通信回線やシステム上の手間をなくす。【選択図】      図１
2006293667.tif 000002
【特許請求の範囲】
【請求項１】
ダウンロードデータとしてコンテンツデータが記録されたホログラムメモリを有するコンテンツ提供媒体と、
上記コンテンツ提供媒体に設けられた上記ホログラムメモリから上記コンテンツデータを読み出して取得するダウンロード装置と、
を備えたことを特徴とするコンテンツダウンロードシステム。
【請求項２】
さらに、上記ダウンロード装置により取得した上記コンテンツデータの使用を許可する使用管理装置を備えたことを特徴とする請求項１に記載のコンテンツダウンロードシステム。
【請求項３】
上記コンテンツ提供媒体に設けられた上記ホログラムメモリには、上記コンテンツデータに加えて、上記ホログラムメモリに記録された状態で、人の視覚による認識が可能な画像データが記録されていることを特徴とする請求項１に記載のコンテンツダウンロードシステム。
【請求項４】
上記ダウンロード装置は、上記コンテンツデータと上記画像データが記録された上記ホログラムメモリに対するデータ読み出しの際に、上記コンテンツデータのみを取得する請求項３に記載のコンテンツダウンロードシステム。
【請求項５】
コンテンツデータをホログラムマスターデータに変換するデータ変換ステップと、
上記ホログラムマスターデータを用いてマスター記録媒体を製造するマスター生成ステップと、
上記マスター記録媒体からホログラムメモリを複製し、該ホログラムメモリを所定のコンテンツ提供媒体に具備させる提供媒体生成ステップと、
を備えることを特徴とするコンテンツ提供媒体製造方法。
【請求項６】
上記データ変換ステップでは、圧縮処理したコンテンツデータを、上記ホログラムマスターデータに変換することを特徴とする請求項５に記載のコンテンツ提供媒体製造方法。
【請求項７】
上記データ変換ステップでは、暗号化処理したコンテンツデータを、上記ホログラムマスターデータに変換することを特徴とする請求項５に記載のコンテンツ提供媒体製造方法。
【請求項８】
上記データ変換ステップでは、ダウンロード対象としてのコンテンツデータに加えて、上記ホログラムメモリ上での視認対象となる画像データを、上記ホログラムマスターデータに変換することを特徴とする請求項５に記載のコンテンツ提供媒体製造方法。
【請求項９】
上記コンテンツ提供媒体は紙媒体である特徴とする請求項５に記載のコンテンツ提供媒体製造方法。
【請求項１０】
ダウンロードデータとしてコンテンツデータが記録されたホログラムメモリを有するコンテンツ提供媒体から上記コンテンツデータをダウンロードするダウンロード装置として、
上記コンテンツ提供媒体上の上記ホログラムメモリに対して読み出し参照光を出力する参照光出力手段と、
上記参照光出力手段により上記ホログラムメモリに読み出し参照光を与えた状態で、上記ホログラムメモリに記録されたデータによる再生像を検出する検出手段と、
上記検出手段で検出された再生像から上記コンテンツデータとしてのデータ列を再生する再生処理手段と、
を備えたことを特徴とするダウンロード装置。
【請求項１１】
さらに二次記録媒体に対する記録手段を備え、
上記再生処理手段で再生した上記コンテンツデータを、上記記録手段により上記二次記録媒体に記録することを特徴とする請求項１０に記載のダウンロード装置。
【請求項１２】
さらに、コンテンツデータを再生出力する再生出力手段を備え、
上記二次記録媒体に記録された上記コンテンツデータを、上記再生出力手段で再生出力することを特徴とする請求項１１に記載のダウンロード装置。
【請求項１３】
上記再生出力手段による上記コンテンツデータの再生出力は、入力される使用許可情報に応じて実行されることを特徴とする請求項１２に記載のダウンロード装置。
【請求項１４】
さらに、コンテンツデータを外部機器に送信する送信手段を備え、
上記再生処理手段で再生した上記コンテンツデータを、上記送信手段により外部機器に送信することを特徴とする請求項１０に記載のダウンロード装置。
【請求項１５】
上記送信手段による上記コンテンツデータの送信は、入力される使用許可情報に応じて実行されることを特徴とする請求項１４に記載のダウンロード装置。
【請求項１６】
さらに、暗号化されたコンテンツデータに対する暗号解読処理を行う暗号解読手段を備えることを特徴とする請求項１０に記載のダウンロード装置。
【請求項１７】
上記暗号解読手段による暗号解読処理は、入力される使用許可情報を用いて実行されることを特徴とする請求項１６に記載のダウンロード装置。
【請求項１８】
ダウンロードデータとしてコンテンツデータが記録されたホログラムメモリを有するコンテンツ提供媒体から上記コンテンツデータをダウンロードするダウンロード方法として、
上記コンテンツ提供媒体上の上記ホログラムメモリに対して読み出し参照光を与えた状態で、上記ホログラムメモリに記録されたデータの再生像を検出する検出ステップと、
上記検出ステップで検出された再生像から上記コンテンツデータとしてのデータ列を再生する再生処理ステップと、
を備えたことを特徴とするダウンロード方法。
【発明の詳細な説明】
【技術分野】
【０００１】
本発明はコンテンツデータのダウンロードシステム、及び該システムを構成するコンテンツ提供媒体の製造方法、さらにはダウンロード装置、ダウンロード方法に関するものである。
【背景技術】
【０００２】
【特許文献１】特開２００２−９１４３１号公報
【０００３】
一般にユーザーが好みの音楽コンテンツ、映像コンテンツなどを入手するためには、ＣＤ（Compact Disc）、ＤＶＤ（Digital Versatile Disc）、ＭＤ（Mini Disc）などの各種パッケージメディアを購入することが行われる。
さらに近年では、ＥＭＤ（Electronic Music Distribution）と呼ばれる電子音楽配信が実用化されており、ユーザーがインターネット等のネットワーク環境を通じて所望のコンテンツをダウンロードすることで入手できるようにもされている。
【発明の開示】
【発明が解決しようとする課題】
【０００４】
ＥＭＤにより、ユーザーがわざわざ店舗まで行かなくとも音楽コンテンツ等を購入できたり、また好みの１曲のみを購入できるなど、利便性が高まっているが、ＥＭＤには高速ネットワーク環境を有することが適しており、誰しもがその利便性を容易に享受できるわけではない。
例えば圧縮された音楽コンテンツでも、６４ｋｂｐｓで演奏時間が５分の音楽コンテンツであると、ダウンロードするデータ量は２．４ＭＢになる。これを６４ｋｂｐｓのモデムを用いてもダウンロード転送には５分かかることになり、ＡＤＳＬや光ファイバーなどの高速回線環境を持たないユーザーには非常に手間がかかると感じられる現状がある。
また、パーソナルコンピュータ経由でのダウンロードとなるため、当然ながら、ＥＭＤを利用する際にはパーソナルコンピュータを立ち上げなければならない上に、ウェブサイト上で自分の好みの曲があるかどうかを探す必要がある。
つまりポスターや雑誌の広告のように簡単にユーザーの目に入る状況にはなく、積極的に自分から探しにいくという行為が必要であった。例えばポスターや書籍等に音楽コンテンツ等の紹介があり、ユーザーがそれを見て音楽コンテンツ等を入手したい思っても、即座に容易に音楽コンテンツ等を入手できるものではない。
また音楽コンテンツ等は、携帯用プレーヤ等のＡＶ機器で再生したいという要望が高いが、パーソナルコンピュータでダウンロードした場合、そのコンテンツを携帯用プレーヤ等に移動させなければならず、その点でも手間がかかる。
【０００５】
一方、近年ＱＲコードに代表されるような二次元バーコードが普及しており、書籍等に印刷された二次元バーコードを光学的なリーダ装置や、リーダー機能を備えた携帯電話機で読み取ることで、各種情報を入手できるようにされている（例えば特許文献１参照）。
ところが二次元バーコードの容量は数百バイト程度であり、配信として十分な品質の音楽や映像のコンテンツを記録することはできない。
現状、二次元バーコードを利用した音楽配信を行おうとすれば、例えば二次元バーコードに配信ウェブサイトのＵＲＬ等のアドレス情報を記録しておく。ユーザーは二次元バーコードから読み取ったＵＲＬにアクセスすることで、所望の音楽を、携帯電話やパーソナルコンピュータ等でダウンロードすることになる。この場合、ウェブサイトを探すという手間は省けるが、結局大容量のコンテンツデータ自体をネットワーク通信を介してダウンロードすることになる。従ってユーザーにストレスを感じさせないためには、高速な通信環境が不可欠となるという点は解消されない。
もちろん音楽データ等を二次元バーコードとして記録することはできるが、容量的な問題から、かなり短い時間のみ（例えば楽曲の一部分のみ）であったり、低音質なものとならざるを得ず、例えば音楽や映像のコンテンツ自体の配信サービスを二次元バーコードのみで成立させることは困難である。
【０００６】
このような現状に対して本発明は、ユーザーが高速ネットワーク環境を備えていなくともストレスなく音楽や映像等のコンテンツの配信を受けることができるようにすること、及び配信やコンテンツ利用に関してのユーザーの手間を軽減することを目的とする。
【課題を解決するための手段】
【０００７】
本発明のコンテンツダウンロードシステムは、ダウンロードデータとしてコンテンツデータが記録されたホログラムメモリを有するコンテンツ提供媒体と、上記コンテンツ提供媒体に設けられた上記ホログラムメモリから上記コンテンツデータを読み出して取得するダウンロード装置とを備えて成る。
またさらに、課金処理等の所定の条件に応じて、上記ダウンロード装置により取得した上記コンテンツデータの使用を許可する使用管理装置を備える。
また、上記コンテンツ提供媒体に設けられた上記ホログラムメモリには、上記コンテンツデータに加えて、上記ホログラムメモリに記録された状態で、人の視覚による認識が可能な画像データが記録されているようにもする。この場合、上記ダウンロード装置は、上記コンテンツデータと上記画像データが記録された上記ホログラムメモリに対するデータ読み出しの際に、上記コンテンツデータのみを取得する。
【０００８】
本発明のコンテンツ提供媒体製造方法は、コンテンツデータをホログラムマスターデータに変換するデータ変換ステップと、上記ホログラムマスターデータを用いてマスター記録媒体を製造するマスター生成ステップと、上記マスター記録媒体からホログラムメモリを複製し、該ホログラムメモリを所定のコンテンツ提供媒体に具備させる提供媒体生成ステップとを備える。
また上記データ変換ステップでは、圧縮処理や暗号化処理を施したコンテンツデータを、上記ホログラムマスターデータに変換する。
また、上記データ変換ステップでは、ダウンロード対象としてのコンテンツデータに加えて、上記ホログラムメモリ上での視認対象となる画像データを、上記ホログラムマスターデータに変換する。
上記コンテンツ提供媒体は例えば紙媒体である。
【０００９】
本発明のダウンロード装置は、ダウンロードデータとしてコンテンツデータが記録されたホログラムメモリを有するコンテンツ提供媒体から上記コンテンツデータをダウンロードするダウンロード装置として、上記コンテンツ提供媒体上の上記ホログラムメモリに対して読み出し参照光を出力する参照光出力手段と、上記参照光出力手段により上記ホログラムメモリに読み出し参照光を与えた状態で上記ホログラムメモリに記録されたデータによる再生像を検出する検出手段と、上記検出手段で検出された再生像から上記コンテンツデータとしてのデータ列を再生する再生処理手段とを備える。
また、二次記録媒体に対する記録手段を備え、上記再生処理手段で再生した上記コンテンツデータを、上記記録手段により上記二次記録媒体に記録する。
また、コンテンツデータを再生出力する再生出力手段を備え、上記二次記録媒体に記録された上記コンテンツデータを、上記再生出力手段で再生出力する。
また、コンテンツデータを外部機器に送信する送信手段を備え、上記再生処理手段で再生した上記コンテンツデータを、上記送信手段により外部機器に送信する。
ここで、上記再生出力手段による上記コンテンツデータの再生出力や、上記送信手段による上記コンテンツデータの送信は、入力される使用許可情報に応じて実行されるようにしてもよい。
また、暗号化されたコンテンツデータに対する暗号解読処理を行う暗号解読手段を備える。上記暗号解読手段による暗号解読処理は、入力される使用許可情報を用いて実行されるようにもする。
【００１０】
本発明のダウンロード方法は、ダウンロードデータとしてコンテンツデータが記録されたホログラムメモリを有するコンテンツ提供媒体から上記コンテンツデータをダウンロードするダウンロード方法として、上記コンテンツ提供媒体上の上記ホログラムメモリに対して読み出し参照光を与えた状態で、上記ホログラムメモリに記録されたデータの再生像を検出する検出ステップと、上記検出ステップで検出された再生像から上記コンテンツデータとしてのデータ列を再生する再生処理ステップとを備える。
【００１１】
即ち本発明では、コンテンツ提供媒体にホログラムメモリを貼付又は印刷等により具備させる。コンテンツ提供媒体とは、例えばポスターや書籍等の紙媒体が考えられるが、もちろん紙以外の物品でもよい。例えば材質や物品種類にかかわらず、ホログラムメモリを貼付等により具備するようにしたあらゆる物品、商品は本発明でいうコンテンツ提供媒体となり得る。
そしてコンテンツ提供媒体上のホログラムメモリには、コンテンツデータが記録される。コンテンツデータは有償又は無償でユーザーに提供するダウンロード対象としての各種データであり、音楽や音声等のオーディオデータ、映画やビデオクリップ等の映像データ、静止画データ、小説その他のテキストデータ、コンピュータプログラムやアプリケーションデータなど、多様なデータが想定される。
ホログラムメモリは、記録密度を飛躍的に向上させ、著しい大容量化が可能であることが知られている。従来、ホログラムメモリは、３次元画像等の視認画像の再生などに用いられていたが、視認画像だけでなく、各種データを記録する大容量の記録媒体としても有用である。ホログラムメモリを用いれば、配信サービスとしてのコンテンツデータとして十分な容量のデータ記録が可能である。
そしてダウンロード装置としては、いわゆるホログラムリーダーとして構成することで、ホログラムメモリに記録されたコンテンツデータを、ネットワーク通信等を介することなく、直接取り込むことができる。
【発明の効果】
【００１２】
本発明によれば、ダウンロード装置によって、コンテンツ提供媒体に備えられたホログラムメモリから直接コンテンツデータをダウンロードすることができる。つまり高速なネットワーク環境やパーソナルコンピュータシステムを備える必要はなく、ユーザーはダウンロード装置を所持することで手軽にコンテンツデータを入手できるという効果がある。
またコンテンツ提供媒体としてポスターや書籍等の紙媒体を用い、そのコンテンツ提供媒体にホログラムメモリが備えられていることで、ユーザーはポスター等でのコンテンツデータの紹介を見かけたときに、そのコンテンツデータを欲しいと思えば、即座にダウンロードして入手できる。つまりユーザーにとっては、自然に目にとまった機会にコンテンツデータを入手でき、後からわざわざ店舗やインターネットウェブサイトで探すという手間がかからない。またコンテンツデータの提供者側でも、ユーザーに提供できる機会、又は購入してもらえる機会が増えることで有用なものとなる。
【００１３】
また、ホログラムメモリには、コンテンツデータに加えて、上記ホログラムメモリに記録された状態で、人の視覚による認識が可能な画像データが記録されているようにもすれば、ホログラムメモリ及びホログラムメモリを備えたコンテンツ提供媒体の視覚効果、デザイン効果を向上させることができる。またこのようなホログラムメモリに対しては、ダウンロード装置は、データ読み出しの際にコンテンツデータのみを取得すれば装置動作として適切となる。
【００１４】
ダウンロード装置において再生出力手段を備えるようにすれば、ダウンロードして二次記録媒体に記録したコンテンツデータを、そのダウンロード装置自体で出力させることができ、例えばダウンロードした音楽コンテンツ等を非常に手軽に楽しむことができる。
またダウンロード装置において送信手段を備えるようにすれば、ダウンロードしたコンテンツデータを外部機器に転送して、そのコンテンツデータを外部機器で利用できる。
またコンテンツデータの暗号化や、使用許可情報に基づく暗号解読、再生出力許可、送信許可が行われるようにすれば、例えば有料でコンテンツダウンロードシステムとして適切な処理が実現される。
【発明を実施するための最良の形態】
【００１５】
以下、本発明の実施の形態を次の順序で説明する。
［１．ダウンロードシステム構成］
［２．コンテンツ提供媒体製造システム］
［３．ホログラム再生装置（ダウンロード装置）構成］
［４．ダウンロードされるコンテンツデータ］
［５．コンテンツデータの記録態様］
［６．ダウンロードコンテンツの使用許可］
［７．コンテンツデータと視認画像データの混在記録］
［８．変形例］
【００１６】
［１．ダウンロードシステム構成］
実施の形態として、音楽コンテンツを有料又は無料でユーザーがダウンロードできるダウンロードシステムを例に挙げる。
図１にダウンロードシステムの構成例を示す。
コンテンツ提供媒体製造システム２は、ホログラムメモリ３を備えたコンテンツ提供媒体を製造する。このコンテンツ提供媒体製造システム２は具体的には、例えばコンテンツホルダーとしての音楽レーベルや音楽出版社、メモリ製造者、マスタリング業者、複製業者、印刷業者等が関与して、コンテンツ提供媒体を製造することになる。
【００１７】
図１ではコンテンツ提供媒体の例としてポスター３、書籍４、パッケージメディア５を挙げている。
例えばコンテンツ提供媒体製造システム２では、アーティストのポスターに、そのアーティストの楽曲を記録したホログラムメモリ１を貼付又は印刷形成したコンテンツ提供媒体としてのポスター３を製造する。
またコンテンツ提供媒体製造システム２は、表紙、裏表紙、或いはページ内等にホログラムメモリ１を備えた書籍３を製造する。
さらにコンテンツ提供媒体製造システム２は、ＣＤやＤＶＤのようなパッケージメディアとして、ホログラムメモリ１を用いたパッケージメディア５を製造する。
もちろんこれらは一例であり、コンテンツ提供媒体製造システム２が製造するコンテンツ提供媒体は、音楽コンテンツ等のコンテンツデータを記録したホログラムメモリ１を備えたあらゆる製品が想定できる。
【００１８】
図１のダウンロードシステムにおいて、ユーザー機器７は、ユーザーがコンテンツデータのダウンロードや使用に用いる機器を示している。
ユーザーサイドでは、少なくともホログラム再生装置５０を用意することが必要となる。ユーザーはホログラム再生装置５０に、コンテンツ提供媒体に設けられたホログラムメモリ１に対する読出スキャンを実行させ、ホログラムメモリ１に記録されているコンテンツデータを読み出す。即ちダウンロードする。
例えば店頭などでポスター３を見た際、或いは書籍４を購入したときなど、ホログラムメモリ１の部分にホログラム再生装置５０を対向させ、ダウンロードを指示する操作を行うことで、ホログラム再生装置５０はホログラムメモリ１からの再生像を取り込み、その再生像からオーディオデータ等のコンテンツデータをデコードして取得する。ホログラム再生装置５０によるホログラムメモリ１に対する読出スキャンは接触方式、非接触方式のいずれもが考えられる。
【００１９】
ホログラム再生装置５０は、取り込んだコンテンツデータを内部の二次記録メディアに記録し、例えば再生させることでユーザーに音楽等を提供できるようにしてもよいし、通信機能により外部機器１００にコンテンツデータを転送して、外部機器１００において使用できるようにしてもよい。外部機器１００としては、ユーザーが使用できるパーソナルコンピュータ、携帯電話機、ＡＶ（Audio-Visual）装置などが想定される。
【００２０】
コンテンツ使用管理システム６は、例えばコンテンツデータのダウンロードを有料とする場合や、無料ではあっても一定の使用資格を有するユーザーにのみコンテンツデータを提供したい場合など、ホログラムメモリ１からダウンロードしたコンテンツデータの使用に何らかの制限を与えたい場合に機能するシステムである。
例えば有料のコンテンツデータについては、暗号化を施すか、又は使用制限フラグ等を付加してホログラムメモリ１に記録しておき、このようなコンテンツデータをホログラム再生装置５０がダウンロードしても、そのままでは再生できないようにする。この場合、ホログラム再生装置５０側からはコンテンツ使用要求情報をコンテンツ使用管理システム６に送信する。コンテンツ使用要求情報とは、例えばコンテンツデータに与えられているコンテンツＩＤやユーザーＩＤ、機器ＩＤを含むものである。
【００２１】
コンテンツ使用管理システム６は、コンテンツ使用要求情報を受信したら、そのユーザーに対する課金処理や、使用資格判別処理等を行い、それらの結果コンテンツ使用を許容する場合は、ユーザーに対してコンテンツ使用許可情報を送信する。コンテンツ使用許可情報には、例えば暗号解読キーや、使用制限フラグを無効化する情報等が含まれるようにすることで、そのコンテンツ使用許可情報を受け取ったユーザーは、ホログラム再生装置５０によって取り込んだコンテンツデータについて通常の使用が可能となる。例えばホログラム再生装置５０において再生出力させたり、外部機器１００に送信することが可能となるようにする。
【００２２】
このように、図１のコンテンツダウンロードシステムでは、一般に流通するポスター３や書籍４等をコンテンツ提供媒体とし、ホログラムメモリ１に記録されたコンテンツデータをユーザーがホログラム再生装置５０によってダウンロードできるものである。またそのシステムにおいて有料のダウンロードサービスとすることも可能である。
【００２３】
ＱＲコードのような二次元バーコードを使って音声情報や短い楽曲を専用再生装置、あるいは携帯電話に転送するものはすでに存在しているが、二次元バーコードでは記録できる容量が数百バイト程度であり、音楽等のコンテンツデータをユーザーに提供する媒体としては不十分である。例えばＣＤやＤＶＤ等のパッケージメディア、或いはＥＭＤで提供されるコンテンツデータと同等の品質や長さのコンテンツデータのダウンロードシステムを構築することはできない。
これに対してホログラムメモリ１は扱えるため情報量が格段と大きく、高品質な音楽コンテンツなどを記録するのに十分な容量を持つことができる。例えば数Ｍ〜数１０ＭＢのデータ量をホログラムメモリ１に記録することは困難でなく、さらには１ＧＢ程度も可能とされている。
【００２４】
昨今の音楽データの圧縮技術では６４ｋｂｐｓ程度のレートでＭＤ並み（ＡＴＲＡＣ１の圧縮方式での１３８ｋｂｐｓ）の音質が確保できる。また、コーデックとしてＡＴＲＡＣ３ｐｌｕｓを想定し、２５６ｋｂｐｓであればＣＤ並みの音質が確保できる。
例えば６４ｋｂｐｓのレートで５分の音楽コンテンツを圧縮すると、データの容量としては２．４ＭＢにすることができる。２５６ｋｂｐｓではその４倍で９．６ＭＢになる。
これらの容量はＡＤＳＬや光ファイバーによる高速なデータ通信手段を使えば、短時間に転送可能であるが、電話回線などによる通信では数分レベルが必要となり非常に不便である。
一方、ホログラムメモリ１には、この程度の容量のコンテンツデータは十分に記録可能であるため、本例のダウンロードシステムでは、高速な通信手段を用いなくとも、ホログラム再生装置５０によって音楽コンテンツ等をダウンロードできることになる。
【００２５】
さらに本例では、安価なホログラムシートを作成し、ポスター３や雑誌等の書籍４などに掲載することで、ユーザーがよく目にする位置にコンテンツそのものを配布することができる。つまりユーザーは、ポスター３等を見たときにコンテンツデータを入手したいと思えば、所持するホログラム再生装置５０によって即座に入手でき、複雑なシステム環境や手間を必要としない。
ダウンロードしたコンテンツデータそのものは、その場でホログラム再生装置５０で再生させたり、外部機器１００に転送してユーザーが使用できる。
【００２６】
つまり本例のダウンロードシステムによっては、コンテンツデータの提供者側は、安価なホログラムメモリ１を複製し、ポスター３等のコンテンツ提供媒体に掲載することによってコンテンツデータを大量に頒布し、ユーザーが目にするチャンスを増やすことでコンテンツ購入を広げることができる。
ユーザー側も、雑誌、ポスターなどに貼り付けられたシート状のホログラムメモリ１をホログラム再生装置５０でスキャンさせることでコンテンツを簡単にダウンロードでき、再生等の使用することが可能となる。
【００２７】
また広告用途などにも好適である。例えば従来の広告は紙面の制約から多くの内容記載できなかったが、商品説明のデータ、映像、音声などコンテンツデータとしてをホログラムメモリ１に記録しておけば、非常に多くの情報をユーザーに伝えることが可能となる。
【００２８】
［２．コンテンツ提供媒体製造システム］
図１に示したコンテンツ提供媒体製造システム２によるコンテンツ提供媒体の製造方法及び製造されるコンテンツ提供媒体について、図２〜図７で説明する。
【００２９】
コンテンツデータを記録したホログラムメモリ１を備えるコンテンツ提供媒体を製造する工程は、大別して図２に示すデータ変換ステップＳ１と、マスター生成ステップＳ２と、提供媒体生成ステップＳ３に分けられる。
データ変換ステップＳ１では、コンテンツデータとしてのオーディオデータ等を、ホログラムメモリ１に記録するマスターデータに変換する。
マスター生成ステップＳ２では、マスターデータを記録したホログラムマスターメディア９１を生成する。
提供媒体生成ステップＳ３では、ホログラムマスターメディア９１からシート状のホログラムメモリ１を複製する。そしてシート状のホログラムメモリ１を書籍４やポスター３などに貼り付けてコンテンツ提供媒体とする。なお、ホログラムメモリ１を貼付するのではなく、書籍等に直接印刷形成するなどの手法も考えられる。
【００３０】
データ変換ステップＳ１は、コンテンツＩＤ生成工程Ｓ１−１、基本データ生成工程Ｓ１−２、データ処理工程Ｓ１−３、マスターデータ生成工程Ｓ１−４に分けられる。
コンテンツデータを保有しているコンテンツデータホルダ、例えば音楽コンテンツの場合のレーベルやレコード会社等は、マスター作成者へコンテンツデータを提供し、ホログラムマスターメディア９１の制作を依頼する。これに応じてマスター制作者は、データ変換ステップＳ１としての処理を行う。
【００３１】
まずコンテンツＩＤ生成工程Ｓ１−１として、提供された個々のコンテンツデータについてコンテンツＩＤを生成する。
次に基本データ生成工程Ｓ１−２として、提供されたコンテンツデータにコンテンツＩＤを付加した基本データを生成する。
コンテンツデータに付加するコンテンツＩＤとしては、情報がハッキングされた際にコンテンツを再生する装置をリボークできるようなＩＤを用いることもできる。
【００３２】
次にデータ処理工程Ｓ１−３としてコンテンツデータに対する必要なデータ処理を行う。例えばオーディオコンテンツデータに対してはＡＴＲＡＣ方式やＭＰＥＧオーディオ方式等の圧縮処理を施す。
さらに、有料化や使用者特定を目的とするダウンロード後の再生制限のために暗号化処理を施すこともある。
そしてデータ処理工程Ｓ１−３を経たデータ列について、次にマスターデータ生成工程Ｓ１−４で、ホログラム化するために必要な変換が行なわれる。例えば２次元データに展開される。
【００３３】
以上のデータ変換ステップＳ１の処理例を図３に模式的に示す。
図３におけるデータブロックとは、ストリームデータとしてのオーディオデータを所定サイズ毎に抽出して生成した記録単位のことを表している。
図３（ａ）の例は、所定データ量としてのオーディオデータに対してヘッダを付加して１つのデータブロックを生成し、これを１記録単位とする例である。この記録単位は、後述するホログラムマスター製造装置において、ホログラム材料に１つのホログラム要素として記録される単位の例である。
ヘッダには、コンテンツＩＤが記録される。さらにヘッダにはオーディオデータとしての属性、ブロックナンバ、データサイズなどが記録されるようにもする。
オーディオデータは、所定の圧縮方式や、暗号化処理が施されたオーディオデータである。
図３（ｂ）の例は、上記ヘッダ及びオーディオデータに加えて、エラー訂正コード（ＥＣＣ）が付加されたデータブロックが形成される例である。つまりデータブロック内のオーディオデータに対してエラー訂正用のエンコードが施され、そのＥＣＣパリティが記録されることで、再生時に、データブロック単位でエラー訂正処理が可能となるようにしている。
基本データ生成ステップＳ１−２、データ処理ステップＳ１−３で、このようなデータブロックが生成された後、マスターデータ生成ステップＳ１−４では、二次元画像エンコードを行い、各データブロックを二次元画像パターンのデータに変換することになる。
【００３４】
続いてマスター制作者は、マスター生成ステップＳ２として、ホログラムマスター製造装置を用いて、データ変換ステップＳ１で生成されたマスターデータが記録されたホログラムマスターメディア９１を製造する。ホログラムマスター製造装置の例は後述するが、例えば二次元データ列とされているマスターデータを液晶パネル等の表示装置に表示させ、その表示画像の物体光と、参照光とを合わせてフォトポリマーなどのホログラム材料へプリントすることでマスターを作成することができる。
なおホログラムとしてはフォトポリマーなどの材料ではなく、アルミに対して凹凸を付けることで作成するものもあり、ホログラムマスターメディア９１の製造手法は、どのようなタイプのホログラムマスターメディア９１を作成するかによって異なる。
【００３５】
マスター生成ステップＳ２で製造されたホログラムマスターメディア９１は、提供媒体生成ステップＳ３に受け渡される。例えば提供媒体生成ステップＳ３はホログラムメモリ複製工程Ｓ３−１と、コンテンツ提供媒体製造工程Ｓ３−２に分けられる。
ホログラムマスターメディア９１は、例えば複製業者に受け渡される。そして複製業者がホログラムメモリ複製工程Ｓ３−１として、ホログラムマスターメディア９１を用いてシート状のホログラムメモリ１を量産する。
【００３６】
複製方法としては、例えばホログラムマスターメディア９１を別の感光材料上へ密着させて情報を転写する密着コピー法が考えられる。
また、フォトレジストに記録したホログラムによる凹凸像にニッケルを電着してスタンパを生成し、スタンパを用いて複製するエンボスホログラム法も考えられる。
【００３７】
量産されたホログラムメモリ１は、例えば書籍、ポスター、パッケージメディア等の製造業者に配布され、コンテンツ提供媒体製造工程Ｓ３−２として、書籍等に貼付されてコンテンツ提供媒体が完成する。
なお、ホログラムメモリ複製工程Ｓ３−１とコンテンツ提供媒体製造工程Ｓ３−２は、一体的に実行される場合もある。例えばコンテンツ提供媒体としての製品に直接複製印刷等によりホログラムメモリ１が形成されるような場合である。
【００３８】
製造されたコンテンツ提供媒体は、店舗や各種施設等に配布され、一般ユーザーの目に触れる状態とされる。つまりダウンロード可能な状態とされる。
なお、以上の手順では、コンテンツデータの暗号化やコンテンツＩＤの設定はデータ変換ステップＳ１で行われる。例えば、マスター生成ステップＳ２や提供媒体生成ステップＳ３の作業は、マスター作成者が外部業者に委託することも想定されるが、、データ変換ステップＳ1で暗号化等を行うことでコンテンツ情報の流出を防ぐことができる。
【００３９】
続いて、上記マスター生成ステップＳ２で製造されるホログラムマスターメディア９１及びホログラムマスターメディア９１から複製されるホログラムメモリ１の例を説明する。
なお、物体光と参照光によって生じる干渉縞によりデータを記録するホログラム記録媒体にはさまざまな方式があるが、ここではホログラフィックステレオグラム（Holographic Stereogram）方式のホログラム記録媒体としてホログラムマスターメディア９１を生成する例に挙げる。
【００４０】
従来より知られているホログラフィックステレオグラム方式のホログラム記録媒体は、多数の画像を原画とし、これらを１枚のホログラム記録媒体に短冊状又はドット状の要素ホログラムとして順次記録する。
このホログラフィックステレオグラムでは、被写体を横方向の異なる観察点から順次撮影することにより得られた複数の画像の情報が、短冊状の要素ホログラムとして横方向に連続するように順次記録されることで、このホログラフィックステレオグラムを観察者が両目で見たとき、その左右の目にそれぞれ写る２次元画像は若干異なるものとなる。これにより、観察者は視差を感じることとなり、３次元画像が再生されることとなる。つまり物体光と参照光の干渉縞によって例えば立体的に視認できる画像が記録される。
このようなホログラム記録媒体は、記録密度を飛躍的に向上させ、著しい大容量化が可能であることも知られており、このためホログラム記録媒体は、３次元画像を再生のためだけでなく、例えばコンピュータデータ等の各種データを記録する記録媒体としても有用であると考えられている。
例えば上記ホログラフィックステレオグラム方式を応用する場合、オーディオデータ、ビデオデータ、テキストデータ、プログラムデータ等のコンテンツデータを所定の記録単位毎に２次元画像化する。例えばいわゆる二次元バーコード（ＱＲコード）のような画像パターンを生成する。そして記録単位毎の２次元画像としての画像パターンを多数生成し、それぞれを短冊状の要素ホログラムとして記録していく。このようにすると、従来の印刷による二次元バーコードに比べて記録密度を飛躍的に向上させることが可能となる。
【００４１】
図４には、例えばオーディオデータをホログラム記録媒体に記録することを模式的に示している。
図４（ｂ）はホログラム材料３０に帯状にホログラム要素を記録する状態を表している。ホログラム材料３０には物体光Ｌ４と記録用の参照光Ｌ３が照射される。
例えば液晶パネルによる透過型の表示装置４１に画像を表示した状態で、表示装置４１に物体光Ｌ４を照射する。表示装置４１を通過した物体光Ｌ４は、表示装置４１に表示された画像を反映した物体光となるが、この物体光Ｌ４はシリンドリカルレンズ４２で垂直方向の線状に収束されてホログラム材料３０に照射される。
この線状に収束された物体光Ｌ４と参照光Ｌ３が干渉した際の干渉縞が、図示するように垂直方向の帯状のホログラム要素としてホログラム材料３０に記録されることになる。
【００４２】
ここで、帯状の各ホログラム要素を生成していくためには、ホログラム材料３０を例えば矢印Ｈ方向に１段階ずつ送るとともに、表示装置４１に表示する画像を変化させていく。すると、干渉縞としての帯状のホログラム要素がホログラム材料３０上に格子状に形成されていくことになる。
このとき、或る物体を様々な角度から撮影した画像を順次表示装置４１に表示させて、それぞれホログラム要素として記録していくと、視認上で立体画像が見える状態になるが、本例の場合、表示装置４１に表示させる画像として、オーディオデータを２次元バーコード状に表現したパターンとする。即ちオーディオデータを、２次元バーコード状のパターン画像とし、これをホログラム要素として記録する。
【００４３】
図４（ａ）に、表示装置４１に順次表示させる画像の例を示すが、表示装置４１には、オーディオデータＤAに基づく画像を順次表示させることになる。
オーディオデータＤAに基づく画像は、図示するように、二次元バーコード状の画像である。記録しようとする元々のオーディオデータについては、例えば固定長のデータサイズ毎などとしての記録単位毎に分割し、その各記録単位のオーディオデータを二次元バーコード画像パターンに変換する。
その二次元バーコード状の画像パターンを表示装置４１に表示させた場合、当該画像パターンを反映した物体光Ｌ４がホログラム材料３０に照射され、参照光Ｌ３との干渉縞によって該画像パターンを記録した線状のホログラム要素が形成される。即ちオーディオデータＤAの１つの記録単位がホログラム材料３０に記録されることになる。
そこで、図４（ａ）のようにオーディオデータＤAに基づく画像（＃１・・・＃ｘ）を順次、表示装置４１に表示させながら、ホログラム材料３０にホログラム要素を形成していくと、オーディオデータＤAを記録したホログラム記録媒体が形成できる。
【００４４】
本例では、以上のように記録を行ったホログラム材料３０をホログラムマスターメディア９１とする。そして、ホログラムマスターメディア９１からホログラムメモリ１を複製する。
図５に、上記のように作成されたホログラムマスターメディア９１から複製して形成されたホログラムメモリ１の様子を示している。
各ホログラム要素として記録されたデータは、人が視認できる画像としてホログラムメモリ１上にあらわれる。この場合、ホログラムメモリ１に対しては、或る方向に配置された光源からの光や、周囲の自然光等の外光が参照光となる。
上記図４（ａ）のような＃１・・・＃ｘの順序でオーディオデータＤAを記録していった場合、例えば図５のように、ホログラムメモリ１に対する各角度から、＃１〜＃ｘのオーディオデータＤAの画像パターンが視認できる。
【００４５】
このオーディオデータＤAによる画像パターンは、二次元バーコードのように、人が意味的にその内容を認識できる画像ではないが、そのオーディオデータＤAによる画像パターンについては、ホログラム再生装置５０が読み取ってデータ処理するものとされる。ホログラム再生装置５０は、図示する読取範囲θ０で、各画像をイメージセンサで読み取っていく。即ち＃１〜＃ｘのオーディオデータＤAの各画像パターンを、それぞれ読み取っていく。例えば再生装置のレンズ系の位置を順次移動させたり、或いは読み出しのための参照光の位置を順次移動させながら、各光像をイメージセンサで読み取っていく。そして各イメージパターンを各記録単位のデータにデコードする。そして各記録単位のデータからオーディオデータＤAとしてのストリームデータを生成する。
【００４６】
以上のようなホログラムメモリ１を複製形成するためのホログラムマスターメディア９１を作成するホログラムマスター製造装置、即ちホログラフィックステレオグラム作成システムについて説明する。
このホログラフィックステレオグラム作成システムは、物体光と参照光との干渉縞が記録されたフィルム状のホログラム材料３０をそのままホログラフィックステレオグラム（ホログラムマスターメディア９１）にする、いわゆるワンステップホログラフィックステレオグラムを作成するシステムである。
【００４７】
図６にホログラムマスター製造装置の構成を示す。このホログラムマスター製造装置は、図２のデータ変換ステップＳ１で生成されたマスターデータを入力するマスターデータ入力部１１と、マスターデータであるオーディオデータＤAとしての画像パターンを順次記録データＤRとして出力する記録データ生成部１３と、このシステム全体の制御を行う制御用コンピュータ１４と、ホログラフィックステレオグラム作成用の光学系を有するホログラフィックステレオグラムプリンタ装置１５とを備えている。
【００４８】
マスターデータ入力部１１は、データ変換ステップＳ１でオーディオコンテンツデータから生成された二次元画像データを入力し、これを記録データ生成部１３に受け渡す。即ち図４に示した＃１〜＃ｘとしての画像パターンデータを受け渡す。
【００４９】
記録データ生成部１３は、マスターデータ入力１１からの各オーディオデータＤAによる画像パターンを取り込み、＃１〜＃ｘの順序に、それぞれ所定タイミングで記録データＤRとして出力する。
即ち記録データ生成部１３は、ホログラム材料３０に対する記録時に、＃１〜＃ｘの順序の記録データＤR（オーディオデータＤAに基づく画像パターンのデータ）を順次、ホログラフィックステレオグラムプリンタ装置１５に送出するとともに、ホログラフィックステレオグラムプリンタ装置１５に記録データＤRを送出する毎に、データを送出したことを示すタイミング信号Ｓ１を制御用コンピュータ１４に送出する。
【００５０】
制御用コンピュータ１４は、記録データ生成部１３からのタイミング信号Ｓ１に基づいてホログラフィックステレオグラムプリンタ装置１５を駆動し、記録データ生成部１３から出力された記録データＤRに基づく画像を、ホログラフィックステレオグラムプリンタ装置１５内にセットされたホログラム材料３０に、短冊状の要素ホログラムとして順次記録する。
このとき、制御用コンピュータ１４は、後述するように、ホログラフィックステレオグラムプリンタ装置１５に設けられたシャッタ及び記録媒体送り機構等の制御を行う。すなわち、制御用コンピュータ１４は、ホログラフィックステレオグラムプリンタ装置１５に制御信号Ｓ２を送出して、シャッタの開閉や、記録媒体送り機構によるホログラム材料３０の送り動作等を制御する。
【００５１】
ホログラフィックステレオグラムプリンタ装置１５は、例えば図７に示す光学系を備える。なお、図７（ａ）は、ホログラフィックステレオグラムプリンタ装置３全体の光学系を上方から見た図であり、図７（ｂ）は、ホログラフィックステレオグラムプリンタ装置３の光学系の物体光用の部分を横方向から見た図である。
【００５２】
ホログラフィックステレオグラムプリンタ装置１５は、図７（ａ）に示すように、所定の波長のレーザ光を出射するレーザ光源３１と、レーザ光源３１からのレーザ光Ｌ１の光軸上に配されたシャッタ３２と、ハーフミラー３３とを備えている。シャッタ３２は、制御用コンピュータ１４によって制御され、ホログラム材料３０を露光しないときには閉じられ、ホログラム材料３０を露光するときに開放される。また、ハーフミラー３３は、シャッタ３２を通過してきたレーザ光Ｌ２を、参照光と物体光とに分離するためのものであり、ハーフミラー３３によって反射された光Ｌ３が参照光となり、ハーフミラー３３を透過した光Ｌ４が物体光となる。
【００５３】
ハーフミラー３３によって反射された光Ｌ３の光軸上には、参照光用の光学系として、シリンドリカルレンズ３４と、参照光を平行光とするためのコリメータレンズ３５と、コリメータレンズ３５からの平行光を反射する全反射ミラー３６とがこの順に配置されている。
そして、ハーフミラー３３によって反射された光は、先ず、シリンドリカルレンズ３４によって発散光とされる。次に、コリメータレンズ３５によって平行光とされる。その後、全反射ミラー３６によって反射され、ホログラム材料３０に参照光として入射する。
【００５４】
一方、ハーフミラー３３を透過した光Ｌ４の光軸上には、図７（ａ）及び図７（ｂ）に示すように、物体光用の光学系として、ハーフミラー３３からの透過光を反射する全反射ミラー３８と、凸レンズとピンホールを組み合わせたスペーシャルフィルタ３９と、物体光を平行光とするためのコリメータレンズ４０と、記録対象の画像を表示する表示装置４１と、物体光をホログラム用記録媒体３０上に集光させるシリンドリカルレンズ４２とがこの順に配置されている。
そして、ハーフミラー３３を透過した光Ｌ４は、全反射ミラー３８によって反射された後、スペーシャルフィルタ３９によって点光源からの拡散光とされる。次に、コリメータレンズ４０によって平行光とされ、その後、表示装置４１に入射する。ここで、表示装置４１は、例えば液晶パネルからなる透過型の画像表示装置であり、記録データ生成部１３から送られた記録データＤRに基づく画像を表示する。そして、表示装置４１を透過した光は、表示装置４１に表示された画像に応じて変調された後、シリンドリカルレンズ４２に入射する。
【００５５】
表示装置４１を透過した光は、シリンドリカルレンズ４２により横方向に集束され、この集束光が物体光としてホログラム用記録媒体３０に入射する。すなわち、このホログラフィックステレオグラムプリンタ装置１５では、表示装置４１からの投影光が短冊状の物体光としてホログラム用記録媒体３０に入射する。
【００５６】
ここで、参照光及び物体光は、参照光がホログラム材料３０の一方の主面に入射し、物体光がホログラム材料３０の他方の主面に入射するようにする。すなわち、ホログラム材料３０の一方の主面に、参照光を所定の入射角度にて入射させるとともに、ホログラム材料３０の他方の主面に、物体光をホログラム材料３０に対して光軸がほぼ垂直となるように入射させる。これにより、参照光と物体光とがホログラム材料３０上において干渉し、当該干渉によって生じる干渉縞が、ホログラム材料３０に屈折率の変化として記録される。
【００５７】
また、このホログラフィックステレオグラムプリンタ装置１５は、制御用コンピュータ１４の制御のもとに、ホログラム材料３０を間欠送りし得る記録媒体送り機構４３を備えている。この記録媒体送り機構４３は、記録媒体送り機構４３に所定の状態でセットされたフィルム状のホログラム材料３０に対して、記録データ生成部１３から出力された記録データＤRに基づく１つの画像が１つの要素ホログラムとして記録される毎に、制御用コンピュータ１４からの制御信号Ｓ２に基づいて、ホログラム材料３０を１要素ホログラム分だけ間欠送りする。これにより、記録データ生成部１３から出力される記録データＤRに基づく各画像、つまりオーディオデータＤAに基づく＃１〜＃ｘの画像パターンが、要素ホログラムとして、ホログラム材料３０に横方向に連続するように順次記録される。
【００５８】
以上のように、このホログラムマスター製造装置では、記録データ生成部１３から出力される記録データＤRに基づく複数の露光用画像が表示装置４１に順次表示されるとともに、各画像毎にシャッタ３２が開放され、各画像がそれぞれ短冊状の要素ホログラムとしてホログラム材料３０に順次記録される。このとき、ホログラム材料３０は、１画像毎に１要素ホログラム分だけ送られるので、各要素ホログラムは、横方向に連続して並ぶこととなる。これにより、画像データＤPとして、例えばオーディオデータＤAによる画像パターンが横方向に連続した複数の要素ホログラムとして記録される。
そして、このシステムでデータＤRの記録を行ったホログラム材料３０が、図２で説明したホログラムマスターメディア９１となる。
そのホログラムマスターメディア９１を用いて複製されたホログラムメモリ１が、図５で説明したホログラムメモリ１となり、例えばポスターや書籍等に貼付される。
【００５９】
［３．ホログラム再生装置（ダウンロード装置）構成］
続いて、図２のようにオーディオデータＤA等のコンテンツデータが二次元パターン画像の形態で記録されたホログラムメモリ１に対するホログラム再生装置５０を説明する。即ちこのホログラム再生装置５０は、ポスターや書籍等に貼付されたホログラムメモリ１からコンテンツデータをダウンロードするダウンロード装置である。
【００６０】
図８（ａ）（ｂ）は、それぞれホログラム再生装置５０の外観例を示している。
ホログラム再生装置５０は、例えばユーザーが携帯可能な小型の筐体で構成され、筐体上にユーザーインターフェースのための表示部５１や操作部５２が設けられる。
ホログラムメモリ１に対するデータ読取のためには、例えば筐体の一側面に、撮像レンズ系５３や読取のための参照光を照射する発光素子（ＬＥＤ）５４が設けられる。
図２に示したように、ホログラム再生装置５０はホログラムメモリ１に対して読取範囲θ０の読取スキャンを行う。このため、例えば図８（ａ）の場合は、発光素子５４の位置は固定されるが、レンズ移動部５３ａとして、撮像レンズ系５３の位置を移動させる機構が設けられている。また例えば図８（ｂ）は、撮像レンズ系５３は固定されるが、発光素子５４の位置を移動させる発光素子移動部５４ａが設けられている。
読取時のスキャン動作の例については後述する。
【００６１】
図９によりホログラム再生装置５０の構成を説明する。
図９においてシステムコントローラ６１は、例えばマイクロコンピュータにより形成され、ホログラムメモリ１からのオーディオデータＤAの読取のための動作を実行するために各部を制御する。
またシステムコントローラ６１は操作部５２の操作情報を監視し、ユーザーの操作に応じて必要な制御を行う。またシステムコントローラ６１は、表示部５１を制御してユーザーに提示する各種の情報の表示を実行させる。
【００６２】
読取機構部５６は、撮像レンズ系５３、イメージャ５５，発光素子５４、スキャン機構７４を有する。撮像レンズ系５３は、１又は複数のレンズにより構成される光学系である。１枚の撮像レンズ、或いは撮像レンズとフォーカスレンズ等を備えた複数のレンズにより構成され、ホログラムメモリ１からの再生像光をイメージ５５に導く。イメージャ５５は、例えばＣＭＯＳイメージセンサやＣＣＤイメージセンサ等の固体撮像素子アレイによって構成され、撮像レンズ系５３により入射した再生像の光を受光し、電気信号に変換する。
【００６３】
例えばＬＥＤによる発光素子５４は、発光駆動回路７５によって発光される。発光素子５４は、当該ホログラム再生装置５０によってホログラムメモリ１の再生を行う場合に、システムコントローラ６１の指示によって発光素子５４を発光駆動する。
スキャン機構７４は、例えば図８（ａ）のように設けられているレンズ移動部５３ａ内で、レンズ系５３（レンズ系５３とイメージャ５５）を移動させる機構である。或いは図８（ｂ）のように設けられている発光素子移動部５４ａ内で発光素子５４を移動させる機構である。
【００６４】
カメラメカ制御部６７は、ホログラムメモリ１の再生を行う際に、システムコントローラ６１の指示に応じて読取機構部５６を駆動制御する。例えばレンズ系５３におけるフォーカス制御や、スキャン機構７４の動作を制御する。
【００６５】
転送制御／信号処理部６２は、イメージャ５５の動作を制御すると共に、イメージ５５によって得られる信号の処理を行う。
即ち転送制御／信号処理部６２は、イメージャ５５に対して転送タイミング信号、転送アドレス信号等を供給して、撮像信号としての固体撮像素子アレイで得られる信号を順次転送出力させる。そしてイメージャ５５から転送されたきた撮像信号について、サンプリング処理、ＡＧＣ処理、Ａ／Ｄ変換処理等を施し、撮像データとして出力する。
【００６６】
転送制御／信号処理部６２から出力される撮像データは、メモリコントローラ６３の制御によってＤＲＡＭ６４に蓄積される。
ＤＲＡＭ６４に蓄積された撮像データに関する信号処理系として、光学補正部６８、幾何歪み補正部６９、二値化部７０、データ処理部７１が設けられる。またこれらの各部の処理結果や処理に必要な情報についてのシステムコントローラ６１とのやりとりにＳＲＡＭ７２が用いられる。
また、フラッシュメモリ６５には、例えば上記各部での信号処理に必要な設定値、係数、その他必要な情報が記憶される。また後述する使用許可情報、暗号解読キーなどがフラッシュメモリ６５に記録されるようにしてもよい。
【００６７】
光学補正部６８は、イメージャ５５によって得られる撮像データについて光学的な原因によるデータ値の変動を補正する処理を行う。
幾何歪み補正部６９は、撮像データとして取り込まれた再生像に生じている幾何的な歪みを補正する処理を行う。
二値化部７０は、イメージャ５５によって得られる階調のある撮像データを白黒の二値に変換する処理を行う。ホログラムメモリ１から読み取るべきデータは、二次元パターン化されたオーディオデータＤAであり、二次元画像パターンは、オーディオデータＤAを白黒の二値のデータに変換した上で画像パターンにしたものであるからである。
【００６８】
データ処理部７１は、二次元の画像パターンとして二値化された撮像データについて、デコード処理を行い、オーディオデータを得る。
即ち、１枚の二次元画像パターンとしての撮像データから、図３に示したような１つのデータブロックとしてのデータ列を生成する。
データ処理部７１は、ＤＲＡＭ６４に蓄積された各二次元画像パターンの撮像データについて、それぞれデータブロックとしてのデータ列を生成していき、各データブロックから抽出されたオーディオデータＤAに基づいて、元のオーディオストリームデータを生成していく。
この場合において、データブロックが図３（ｂ）のようにエラー訂正コードが含まれているのであれば、データ処理部７１はオーディオデータのエラー訂正処理を行うことになる。
また、データ処理部７１は、データブロックから抽出したオーディオデータＤAについて、必要に応じて、圧縮処理や圧縮に対する伸長処理、送信用又は記録用のエンコード処理、或いは暗号化に対するデコード処理等を行う。
【００６９】
データ処理部７１で得られたオーディオデータＤAとしてのオーディオストリームデータは、外部インターフェース６６を介して外部機器１００、例えばパーソナルコンピュータやオーディオシステム等の装置に、ホログラムメモリ１からの再生データとして転送することができる。外部インターフェース６６は例えばＵＳＢインターフェース等が想定される。もちろん外部インターフェース６６はＵＳＢ以外の規格のインターフェースでもよい。
ユーザーは外部機器１００側で取り込んだオーディオデータを再生させることで、オーディオ再生を楽しむことができる。
【００７０】
またデータ処理部７１で得られたオーディオデータＤAとしてのオーディオストリームデータは、メディアドライブ７３に供給されて二次記録メディア９０に記録することができる。またヘッダに含まれるコンテンツＩＤ等の情報もオーディオデータＤAとともに二次記録メディア９０に記録される。
【００７１】
二次記録メディア９０は、例えば光ディスク、光磁気ディスク等をされる。例えばＣＤ（Compact Disc）方式、ＤＶＤ（Digital Versatile Disc）方式、ブルーレイディスク（Blu-Ray Disc）方式、ＭＤ（Mini Disc）方式などの各種方式の記録可能型のディスクが記録メディア９０として考えられる。これらのディスクが記録メディア９０とされる場合、メディアドライブ７３は、ディスク種別に対応したエンコード処理、エラー訂正コード処理、或いは必要であれば圧縮処理等を施して、オーディオデータをディスクに記録する。
また二次記録メディア９０としてハードディスクも想定され、その場合、メディアドライブ７３は、いわゆるＨＤＤ（ハードディスクドライブ）として構成される。
さらに二次記録メディア９０は、固体メモリを内蔵した可搬性のメモリカード、或いは内蔵型固体メモリとしても実現でき、その場合メディアドライブ７３は、メモリカード或いは内蔵型固体メモリに対する記録装置部として構成され、必要な信号処理を行ってオーディオデータ記録を行う。内蔵型固体メモリとしては、フラッシュメモリ等の不揮発性メモリだけでなく、ＤＲＡＭ等の揮発性メモリも想定される。
【００７２】
二次記録メディア９０に記録されたオーディオデータＤA、即ちホログラムメモリ１からダウンロードしたコンテンツデータは、メディアドライブ７３が二次記録メディア９０から読み出し、上記の外部インターフェース６６により外部機器１００に送信することができる。
さらに上記のＣＤ、ＤＶＤ、ブルーレイディスク、ＭＤ、メモリカード等の可搬性の記録メディア９０に記録した場合は、その記録メディア９０を外部機器で再生させることで、ユーザーはホログラムメモリ１から読み出した音楽等を聞くことができる。
【００７３】
またこのホログラム再生装置５０自体で再生出力することもできるように、再生処理部７６、Ｄ／Ａ変換器７７、アナログオーディオ処理部７８が設けられている。
再生処理部７６は、二次記録メディア９０に記録したオーディオデータをメディアドライブ７３で読み出した際に、その読み出したオーディオデータをデコードする。例えば記録メディア９０における圧縮方式のデコードを行ったり、また記録メディア９０において暗号化状態でオーディオデータが記録されている場合は、その暗号解読のための復号処理等を行う。
例えば再生処理部７６でリニアＰＣＭオーディオデータの状態にまでデコードされたオーディオデータは、Ｄ／Ａ変換器７７でアナログ音声信号に変換され、アナログオーディオ処理部７８で増幅、ゲイン調整、インピーダンス調整等の処理が施された後、スピーカ部或いは接続されたヘッドホン等に供給されて再生音声として出力される。
これによりユーザーは、ダウンロードしたオーディオコンテンツを、ホログラム再生装置５０によって再生させ、音楽等を楽しむことができる。
【００７４】
なお、この図９の例のホログラム再生装置５０における、本発明請求項でいうダウンロード装置の構成要件に相当する部位は次のようになる。
発光素子５４及び発光駆動回路７５が参照光出力手段として機能する。
読取機構部５６、転送制御／信号処理部６２が検出手段として機能する。
データ処理手段７１が再生処理手段として機能する。
メディアドライブ７３が、二次記録媒体に対する記録手段として機能する。
メディアドライブ７３，再生処理部７６，Ｄ／Ａ変換器７７，アナログオーディオ処理部７８が、コンテンツデータを再生出力する再生出力手段として機能する。
外部インターフェース６６が、コンテンツデータを外部機器に送信する送信手段として機能する。
データ処理部７１もしくは再生処理部７６が、暗号解読手段として機能する。
【００７５】
図８，図９のような構成のホログラム再生装置５０によってホログラムメモリ１からデータを読み取る際の動作例について説明する。
図６，図７では、記録時には参照光の角度を固定して、ＨＰＯ（Horizontal Parallax Only）の光学系で様々な画像を記録する方式を説明したが、このような記録を行った場合は、基本的には再生時には参照光の角度を固定し、イメージャの角度を変化させることが望ましい。
図１０は、ホログラム再生装置５０においてレンズ系５３とイメージャ５５の角度を変化させる読取方式を示している。即ち図８（ａ）のようにレンズ移動部５３ａを備えたホログラム再生装置５０において、このレンズ移動部５３ａの移動可能範囲で、レンズ系５３とイメージャ５５を一体的に移動させる移動ユニット８０を形成する。そして、この移動ユニットを、図９に示したスキャン機構７４によって図１０に示すように回転方向に移動させて、ホログラムメモリ１に対する撮像方向の角度を変化させる。読取のための参照光Ｌ５を出力する発光素子５４は固定位置である。
つまりユーザーがホログラムメモリ１に対してホログラム再生装置５０を対向させた状態で読取を指示する操作を行ったら、システムコントローラ６１がカメラメカ制御部６７に指示してスキャン機構７４を駆動させ、移動ユニットを回転移動させる。このときにイメージャ５５によって順次得られる再生像の撮像データとして、図５の＃１〜＃ｘの撮像データが得られることになり、上記のようにホログラム再生装置５０内でオーディオデータＤAを得る。
【００７６】
また、移動ユニット８０を回転方向に移動させるのではなく、図１１に示すように、移動ユニット８０を平行移動させるように構成しても良い。
このように平行移動で再生像を取り込むようにすれば、移動ユニット８０の移動機構を簡単な構成とすることができる。但し、再生像に歪みが生じやすいという点があり、十分な歪み補正等の処理が必要となる。
また、図１２のように、イメージャ５５のサイズが十分に大きい場合には、撮像レンズ系５３のみを移動させる構成も考えられる。
【００７７】
また図８（ｂ）のような構成として撮像レンズ系５３側は固定とし、発光素子移動部５４ａにおいて発光素子をホログラムメモリ１に対して回転移動させることで、図１３に示すように、ホログラムメモリ１に対して照射する読み取り用の参照光Ｌ５の角度を変化させるようにしてもよい。
【００７８】
［４．ダウンロードされるコンテンツデータ］
続いて、本例のダウンロードシステムでダウンロードされるコンテンツデータについて説明する。
ここまでコンテンツデータの例として、オーディオコンテンツデータを例に挙げてきたが、もちろんオーディオコンテンツデータ以外のコンテンツデータも、多様に考えられる。
例えばビデオクリップなどの動画映像データ、写真画像等の静止画像としてのスチル画像データなどをダウンロードするシステムとしてもよい。
また小説、随筆、論文、説明文、広告宣伝その他のテキストデータも本例でいうダウンロード対象のコンテンツデータとして採用できるし、コンピュータプログラムやアプリケーションプログラムなども、本例のダウンロード対象のコンテンツデータとすることができる。
【００７９】
即ち本例のコンテンツダウンロードシステムは、コンテンツデータの種類にかかわらず、ユーザーに提供する各種のデータをホログラムメモリ１に記録し、これをホログラム再生装置５０を用いてユーザーに提供できるシステムとすることができる。
そして、例えば動画又は静止画データやテキストデータをダウンロードコンテンツとする場合には、それに対応してホログラム再生装置５０において、それらダウンロードデータ内容を表示部５１に表示出力する構成を採ることも考えられる。
【００８０】
また、ダウンロードによるコンテンツ提供の目的としては、コンテンツデータの販売としてもよいし、コンテンツの紹介や各種の宣伝を目的としても良い。
例えば本例のコンテンツダウンロードシステムを、音楽コンテンツ、映像コンテンツ、テキストコンテンツ、プログラムコンテンツ等をユーザーに販売するシステムとして用いる場合は、ユーザーに対する課金システムが機能するようにすればよい。
もちろんユーザーに無償でコンテンツデータを提供するシステムとすることもできる。
また有償、無償にかかわらず、例えば一定の資格を有する人のみがダウンロードしてコンテンツデータを利用できるようにすることも考えられる。例えば教材としてのコンテンツデータを、特定の学校の職員や生徒のみが利用できるようにしたり、会社の業務資料としてのコンテンツデータを、その会社の社員のみが利用できるようにするなどである。ここでいう利用とは、ダウンロードしたコンテンツデータの再生や、他の機器へ転送することなどである。
【００８１】
また紹介、宣伝用のシステムとする場合、例えば音楽コンテンツの一部、動画コンテンツの一部等をホログラムメモリ１に記録し、それをユーザーがダウンロードして再生できるようにすることで、例えばパッケージメディア５として販売しようとするコンテンツデータの紹介、宣伝が可能となる。
或いは、或る物品の販売のための広告として、その物品の紹介、宣伝、説明等のためのテキストデータ、画像データ、音声データ等のコンテンツをダウンロード可能とすれば、本例のコンテンツダウンロードシステムは広告宣伝用のシステムとして機能する。
【００８２】
ホログラムメモリ１に記録されるコンテンツデータは、これらの目的に沿ったものとされればよい。
特にコンテンツ自体の販売目的であれば、高品質なコンテンツデータをホログラムメモリ１に記録する。例えば高音質な音楽コンテンツを記録して、これをユーザーが有料でダウンロードできるようにする。
一方、紹介用であれば、低品質なデータや、一部のデータをホログラムメモリ１に記録する。例えば品質を落とした音楽コンテンツや、曲の一部分のみとした音楽コンテンツをダウンロードさせるようにし、ユーザーが、そのコンテンツの内容を確認できるようにすればよい。また、機能を制限したコンピュータソフトウェアプログラムとしてのコンテンツとし、ユーザーがそのソフトウェアプログラムを購入前に試用できるようにしてもよい。
【００８３】
［５．コンテンツデータの記録態様］
上記のようにコンテンツダウンロードシステムの実用上の目的は各種考えられるが、それに応じてコンテンツデータの記録態様が決定されればよい。
特に有料のダウンロードシステムとする場合は、コンテンツデータを暗号化処理したり、使用制限フラグを設けてホログラム再生装置５０においてダウンロードしてもそのままでは使用できないようにすることが考えられる。
【００８４】
図１４に、ホログラムメモリ１に記録されるコンテンツデータの形式と、ホログラム再生装置５０に取り込まれたときの処理や二次記録メディア９０での記録形式、さらには使用時、即ちホログラム再生装置５０での再生時や外部機器１００への送信時の処理の例を示している。
なお、図１４（ａ）〜（ｅ）の各例では、ホログラム再生装置５０がホログラムメモリ１からダウンロードしたコンテンツデータを一旦、二次記録メディア９０に記録するものとして示しているが、二次記録メディア９０に記録しないで再生／送信時処理を行う場合もあり得る。
【００８５】
図１４（ａ）は、ホログラムメモリ１に非暗号化状態でコンテンツデータを記録する例である。つまり図２のデータ変換ステップＳ２で暗号化処理を行わない場合である。この場合、ホログラム再生装置５０でホログラムメモリ１からダウンロードしたコンテンツデータを二次記録メディア９０に記録すれば、二次記録メディア９０でも非暗号化コンテンツデータが記録されることになる。二次記録メディア９０において非暗号化状態でコンテンツデータが記録されていることから、ホログラム再生装置５０は、そのコンテンツデータの再生出力や外部機器１００への送信を自由に行うことができる。
この図１４（ａ）の例は、無料のコンテンツダウンロードシステムとして好適な例である。ところでこの場合、ダウンロード対象のコンテンツデータにコンテンツＩＤを付加することは必ずしも必要ではない。即ち図２の基本データ生成ステップＳ１−２で生成する基本データには、必ずしもコンテンツＩＤが含まれていなくても良い。
なお、ダウンロードシステム上の課金や使用制限以外の目的で、ホログラム再生装置５０側で暗号化等を行うことは任意である。例えば外部機器１００への送信時に、暗号化処理を行って送信することは考えられる。
【００８６】
図１４（ｂ）は、ホログラムメモリ１に暗号化状態でコンテンツデータを記録する例である。つまり図２のデータ変換ステップＳ２で暗号化処理を行う場合である。この場合、ホログラム再生装置５０でホログラムメモリ１からダウンロードしたコンテンツデータを二次記録メディア９０に記録すれば、二次記録メディア９０でも暗号化コンテンツデータが記録されることになる。二次記録メディア９０において暗号化状態でコンテンツデータが記録されていることから、ホログラム再生装置５０は、そのコンテンツデータをそのまま再生出力したり、外部機器１００へそのまま転送して再生させることはできない。このため、後述するが、図１に示したコンテンツ使用管理システム６から使用許可情報を入手することが必要となる。ホログラム再生装置５０では二次記録メディア９０から読み出したコンテンツデータについては、再生時に使用許可情報に含まれている暗号解読キーを用いて、暗号解読処理を行う。即ち再生処理部７６もしくはデータ処理部７１で非暗号化デコードを行って暗号解読されたコンテンツデータを得る。この時点で、コンテンツデータを再生出力したり、或いは外部機器１００に転送して再生させることが可能となる。
この図１４（ｂ）の例は、有料のダウンロードシステムとする場合や、有料又は無料で特定の資格を有するユーザーのみにコンテンツデータを提供するシステムとする場合に好適な例である。
【００８７】
図１４（ｃ）も、ホログラムメモリ１に暗号化状態でコンテンツデータを記録する例である。つまり図２のデータ変換ステップＳ２で暗号化処理を行う場合である。この場合、ホログラム再生装置５０でホログラムメモリ１からダウンロードしたコンテンツデータを、非暗号化デコードして二次記録メディア９０に記録する。ホログラム再生装置５０は、コンテンツ使用管理システム６から入手した使用許可情報に含まれている暗号解読キーを用いて、ホログラムメモリ１から取り込んだ暗号化コンテンツデータに対する暗号解読処理を、データ処理部７１で行う。そして暗号解読したコンテンツデータを二次記録メディア９０に記録する。二次記録メディア９０上では非暗号化コンテンツデータが記録されるため、その後、二次記録メディア９０から読み出したコンテンツデータを再生したり、外部機器１００に転送して再生させたりすることができる。
この図１４（ｃ）の例も、有料のダウンロードシステムとする場合や、有料又は無料で特定の資格を有するユーザーのみにコンテンツデータを提供するシステムとする場合に好適な例である。
【００８８】
図１４（ｄ）は、ホログラムメモリ１に一部分が暗号化されたコンテンツデータを記録する例である。つまり図２のデータ変換ステップＳ２で暗号化処理では、コンテンツデータの一部分のみ、例えば音楽データであればサビの部分のみ暗号化するなどの例である。
この場合、ホログラム再生装置５０でホログラムメモリ１からダウンロードしたコンテンツデータを二次記録メディア９０に記録すれば、二次記録メディア９０でも一部が暗号化されたコンテンツデータが記録される。二次記録メディア９０において一部暗号化状態でコンテンツデータが記録されていることから、ホログラム再生装置５０は、そのコンテンツデータについては、暗号化されていない部分のみについては、そのまま再生出力したり、外部機器１００へそのまま転送して再生させることができる。暗号化部分を含めたコンテンツ全体を再生させるためには、コンテンツ使用管理システム６から使用許可情報を入手することが必要となる。ホログラム再生装置５０では二次記録メディア９０から読み出したコンテンツデータについては、再生時に使用許可情報に含まれている暗号解読キーを用いて、暗号解読処理は再生処理部７６もしくはデータ処理部７１で非暗号化デコードを行って全てが非暗号化状態となったコンテンツデータを得る。この時点で、コンテンツデータを再生出力したり、或いは外部機器１００に転送して再生させることが可能となる。
この図１４（ｃ）の例も、有料のダウンロードシステムとする場合や、有料又は無料で特定の資格を有するユーザーのみにコンテンツデータを提供するシステムとする場合に好適な例であるが、コンテンツの一部は再生可能であるため、課金等を行う前にユーザーがコンテンツデータの一部を試聴したり見て確認することができるシステムとすることができる。
なおこのように一部暗号化コンテンツデータをホログラムメモリ１に記録する場合でも、図１４（ｃ）のようにダウンロード時に非暗号化デコードすることも考えられる。例えば予め課金契約をして暗号解読キーを入手しているユーザーや、特定の再生資格所有者は、二次記録メディア９０に全体が非暗号化デコードされたコンテンツデータを記録できるようにするが、それ以外のユーザーは、課金処理等を行わなければ一部が暗号化のまま二次記録メディア９０に記録され、一部しか再生できないようにするシステムとする例である。
【００８９】
図１４（ｅ）は、ホログラムメモリ１に使用制限フラグ情報が付加されたコンテンツデータを記録する例である。例えば図２のデータ変換ステップＳ２において、基本データ生成ステップＳ２−２もしくはデータ処理ステップＳ１−３で、コンテンツデータの暗号化は行わないが、ヘッダ情報等に使用制限フラグ情報を付加する。この使用制限フラグ情報は、ホログラム再生装置５０側で、システムコントローラ６１が、その使用制限フラグが解除されていない限りそのコンテンツデータを再生禁止と判断する情報である。
この場合、ホログラム再生装置５０でホログラムメモリ１からダウンロードしたコンテンツデータを二次記録メディア９０に記録すれば、二次記録メディア９０でも使用制限フラグ情報が付加されたコンテンツデータが記録される。
二次記録メディア９０に記録されたコンテンツデータについては、システムコントローラ６１は、その使用制限フラグが解除されない限り再生禁止と判断し、ユーザーの操作に応じた再生動作は実行させない。再生させるには、コンテンツ使用管理システム６から使用許可情報を入手することが必要となる。使用許可情報にはコンテンツＩＤに対応した使用制限解除情報が含まれており、その使用制限解除情報は、コンテンツＩＤに対応して例えばフラッシュメモリ６５等に記憶されるものとする。
ユーザーがコンテンツデータの再生出力を指示する操作を行った場合、システムコントローラ６１は、そのコンテンツデータのコンテンツＩＤに基づいて使用制限解除情報が既に入手されているかを判断し、入手されていれば（例えばフラッシュメモリ６５にコンテンツＩＤに対応して使用制限解除情報が記憶されていれば）、使用制限は解除されたとして再生出力処理を行う。コンテンツＩＤに対応した使用制限解除情報が入手されていなければ、再生出力処理は実行しないようにする。外部機器１００への送信処理についても同様とする。
従って、上述の暗号化の場合と同様に、課金等により使用許可情報を入手したユーザーのみ、ダウンロードしたコンテンツデータの使用が可能となるため、この図１４（ｅ）の例も、有料のダウンロードシステムとする場合や、有料又は無料で特定の資格を有するユーザーのみにコンテンツデータを提供するシステムとする場合に好適な例である。
なおこのように使用制限フラグ情報を付加したコンテンツデータをホログラムメモリ１に記録する場合、ダウンロード時に、既にそのダウンロードするコンテンツＩＤに対応した使用制限解除情報を入手していれば、使用制限フラグ情報を消去して二次記録メディア９０に記録するような例も考えられる。
【００９０】
以上、暗号化、非暗号化、使用制限フラグ情報の有無等のコンテンツデータの記録形式例を述べたが、他にも各種の形式が考えられる。例えば使用制限フラグ情報の付加と暗号化の両方を行ったコンテンツデータをホログラムメモリ１に記録するようにしてもよい。また、コンテンツデータの一部については使用制限フラグ情報を付加し、他の部分は使用制限しないで、例えば試聴等が可能とする例も考えられる。さらには、コンテンツデータの一部を暗号化、他の部分を非暗号化状態として上で、全体或いは一部についての使用制限フラグ情報を付加するなどの例も考えられる。
【００９１】
また、時限的な使用制限も考えられる。例えば使用制限フラグ情報はダウンロード後３０日など、所定の期間経過で有効となるようものとする。ホログラム再生装置５０のシステムコントローラ６１はダウンロードコンテンツデータを二次記録メディア９０に記録する際に、そのダウンロード日時がコンテンツデータのヘッダ等に含まれるようにするか、或いはフラッシュメモリ６５にコンテンツＩＤに対応させてダウンロード日時を登録しておく。そしてダウンロード日時から所定の期間は使用制限フラグ情報にかかわらず再生を許可するが、期間経過後は再生禁止とし、使用許可情報によって使用制限を解除しなければ再生できないようにする例である。
さらには、使用制限フラグ情報が付加されたコンテンツデータについて使用回数を限定して再生を許可することも考えられる。即ちシステムコントローラ６１は、コンテンツデータが再生される毎に再生回数をカウントしてフラッシュメモリ６５に記憶しておく。そして所定回数の再生を行った後は再生禁止とし、使用許可情報によって使用制限を解除しなければ再生できないようにする例である。
これらの時限的な使用制限や、回数的な使用制限により、例えばユーザーにコンテンツデータの購入判断のための試用期間を設定すること等が可能となる。
【００９２】
［６．ダウンロードコンテンツの使用許可］
続いて、暗号化や使用制限フラグ情報によって、ダウンロードコンテンツをそのままでは使用できないようにする場合、例えば有料のシステムとする場合などにおける使用許可の手法について述べる。
【００９３】
基本的にはホログラム再生装置５０のユーザーは、何らかの手法でダウンロードしたコンテンツデータについての使用要求情報をコンテンツ使用管理システム６に送信し、コンテンツ使用管理システム６から使用許可情報を受け取る。
或いはダウンロードサービスを受けたい場合に、予め使用要求情報をコンテンツ使用管理システム６に送信し、コンテンツ使用管理システム６から使用許可情報を受け取る。
そして使用許可情報がホログラム再生装置５０に入力された状態とすることで、上述した非暗号化デコードや使用制限フラグ情報の解除が実行でき、ダウンロードしたコンテンツデータの使用が可能となる。
【００９４】
ユーザーがコンテンツ使用管理システム６に送信する使用要求情報には、例えばユーザーＩＤ、ホログラム再生装置５０の機器ＩＤ、コンテンツＩＤなどが含まれるようにする。
一方、コンテンツ使用管理システム６がユーザーに対して発行する使用許可情報には、例えば許可するユーザ或いはホログラム再生装置５０を特定するためのユーザーＩＤや機器ＩＤ、許可するコンテンツを特定するためのコンテンツＩＤ等に加え、暗号解読キーや使用制限解除情報などが含まれるものとする。
【００９５】
図１５に、ホログラム再生装置５０とコンテンツ使用管理システム６の間の通信例を示す。
ここでは、コンテンツの有料ダウンロードサービスを行うためにコンテンツ使用管理システム６が設けられるとし、まずその場合のコンテンツ使用管理システム６の構成例を説明する。コンテンツ使用管理システム６は、管理サーバ３１、コンテンツ情報データベース３２、ユーザー情報データベース３３、課金処理システム３４を備える。
【００９６】
管理サーバ３１は、ユーザーの所持するホログラム再生装置５０との間の通信処理や、コンテンツ情報データベース３２及びユーザー情報データベース３３の管理、さらには課金処理システム３４への指示を行う。
コンテンツ情報データベース３２は、例えばホログラムメモリ１によりユーザーに提供可能とされている各種のコンテンツについての情報を保持する。例えば個々のコンテンツについての付与されているコンテンツＩＤに対応して、そのコンテンツのダウンロード料金情報、著作権者、製造者、コンテンツホルダー等の権利者情報、暗号化情報、コンテンツ内容に関する情報などがデータベース化されて記憶されている。
ユーザー情報データベース３３には、例えばユーザーとのダウンロードサービス契約によってユーザーから提示されたユーザー情報が記録されている。例えばユーザーＩＤ、住所氏名等のユーザー特定情報、ホログラム再生装置５０を特定する機器固有の機器ＩＤ、ユーザーに対する課金処理のための銀行口座やクレジットカードナンバや支払い方法が、個々のユーザーに対して記録されてデータベース化されている。さらには課金処理形態によってはユーザーの所持する携帯電話番号、インターネットプロバイダとの契約番号などが記録されていても良い。例えばユーザーの電話料金等にコンテンツのダウンロード料金を含ませてユーザに請求するような場合である。
またユーザーのダウンロード履歴、例えばダウンロードしたコンテンツのコンテンツＩＤやその日時、料金等も逐次追加記録されていく。
ユーザーは、ダウンロードサービスを受けたい場合は、予め契約により、ユーザーに関する情報をコンテンツ使用管理システム６に提示する。コンテンツ使用管理システム６は、契約を行ったユーザーに対してユーザーＩＤを付与するとともに、そのユーザーの情報をユーザー情報データベース３３に登録する。
【００９７】
課金処理システム３４は、ユーザーに対する課金処理や権利者への料金支払いの処理を行う。例えばユーザーに対する課金処理としては、ユーザーの銀行口座に対する自動引き落とし処理や、クレジットカードによる支払請求処理、或いはユーザーが契約する電話業者等への課金依頼処理等を行う。一方、コンテンツホルダ、著作権者（或いは著作権管理団体）、コンテンツ提供媒体製造者等に対して送金処理を行う。
【００９８】
このようなコンテンツ使用管理システム６に対して、ユーザーは、例えばホログラム再生装置５０から通信を行って、コンテンツの料金支払い手続を行い、コンテンツを使用可能とする。この流れの一例を説明する。
ここでは、例えばホログラム再生装置５０は通信部７９を備え、直接コンテンツ使用管理システム６との間が通信可能に構成されている例とする。即ち図９の構成に加えて通信部７９を備え、ユーザーの送信操作に応じてシステムコントローラ６１が使用要求情報を通信部７９から送信できるようにした場合である。
【００９９】
ユーザーがホログラム再生装置５０を用いてホログラムメモリ１からコンテンツデータをダウンロードさせた場合、ホログラム再生装置５０は例えば上記図１４（ｂ）の形式で暗号化コンテンツデータを二次記録メディア９０に記録するとする。
この場合、ユーザーは使用要求情報を送信する操作を操作部５２から行う。するとシステムコントローラ６１は、例えばユーザーＩＤ、機器ＩＤ、コンテンツＩＤを含む使用要求情報を通信部７９かたコンテンツ使用管理システム６に送信させる。
ユーザーＩＤはダウンロードサービス契約によりユーザーに付与されるもので、例えばユーザはそのユーザーＩＤをホログラム再生装置５０に入力し、ホログラム再生装置５０においてはフラッシュメモリ６５等に記憶されるようにしておく。もちろん通信部７９を備える場合は、契約時のコンテンツ使用管理システム６との通信によってユーザーＩＤがホログラム再生装置５０に送信され、ホログラム再生装置５０が自動的にユーザーＩＤをフラッシュメモリ６５に記憶するようにしてもよい。
また機器ＩＤは、ホログラム再生装置５０の製造時に付与され、フラッシュメモリ６５に格納したシリアルナンバ等を用いればよい。
使用要求情報の送信の際、システムコントローラ６１は、フラッシュメモリ６５からユーザーＩＤや機器ＩＤを読み出し、またダウンロードしたコンテンツデータに付与されているコンテンツＩＤを読み出して、使用要求情報を生成し、通信部７９から送信させる。
【０１００】
使用要求情報を受信したコンテンツ使用管理システム６では、管理サーバ３１がユーザーＩＤに基づいてユーザー情報データベース３３を検索し、ユーザーを特定するとともに、コンテンツＩＤに基づいてコンテンツ情報データベース３２を検索して、ユーザーが購入を求めたコンテンツデータを特定する。そして適正にユーザー及びコンテンツデータが特定できたら、管理サーバ３１は、課金処理システム３４に対して、当該ユーザーに対するコンテンツデータ購入代金の課金処理を指示する。課金処理システム３４は指示に応じて当該ユーザーに対する課金処理を行うとともに、権利者への送金処理を行う。
そして管理サーバー３１は、使用許可情報をホログラム再生装置５０に送信する。使用許可情報には、ユーザーＩＤ、機器ＩＤと共に、使用を許可するコンテンツデータを特定させるためのコンテンツＩＤを含み、またそのコンテンツデータの暗号解読キーを含むものとする。
ホログラム再生装置５０側では、使用許可情報を通信部７９で受信したら、システムコントローラ６１は、そのコンテンツＩＤと暗号解読キーを対応させて例えばフラッシュメモリ６５等に記憶する。以降は、当該コンテンツデータの再生や送信の際には、暗号解読キーを用いて非暗号化デコードを実行することができ、ユーザーは自由に当該コンテンツデータを使用できることになる。
【０１０１】
なお、以上の使用処理の流れは一例であり、他にも多様な方式が考えられる。例えばシステム上で、コンテンツデータの暗号解読キーを統一しておく。そして、ユーザーとの契約時に暗号解読キーをホログラム再生装置５０側に送信しておくようにする。つまり暗号解読キーを含む包括的な使用許可情報を予めホログラム再生装置５０に送信しておく。すると、図１４（ｃ）のようにダウンロード時に非暗号化デコードを行うことができる。そのような場合、システムコントローラ６１は、ダウンロードが行われるたびに、ユーザーＩＤ、機器ＩＤ、ダウンロードしたコンテンツデータのコンテンツＩＤを通信部７９からコンテンツ使用管理システム６に送信するようにし、コンテンツ使用管理システム６は、受信した情報に応じて、該当ユーザーに対する課金処理を行うようにすればよい。
また、図１４（ｅ）で説明したような形式の場合は、コンテンツ使用管理システム６は暗号解読キーではなく使用制限解除情報を含む使用許可情報をホログラム再生装置５０に送信することになる。
【０１０２】
ところで図１５の例では、ホログラム再生装置５０に通信部７９が備えられる場合を示したが、必ずしもホログラム再生装置５０が通信機能を備えなくても良い。
図１６（ａ）（ｂ）に例を示す。
図１６（ａ）の例は、例えばユーザーはコンテンツ使用管理システム６に対してコンテンツの使用を求める場合に、携帯電話機１０１等の電話装置とホログラム再生装置５０を接続する。そして携帯電話機１０１による通信機能を利用して、管理サーバ３１との間の使用要求情報、使用許可情報の送受信を行うようにする。
また、図１６（ｂ）の例は、例えばユーザーはコンテンツ使用管理システム６に対してコンテンツの使用を求める場合に、パーソナルコンピュータ１０２等のネットワーク通信可能な機器とホログラム再生装置５０を接続する。そしてインターネット等のネットワーク１１０を介して、管理サーバ３１との間の使用要求情報、使用許可情報の送受信を行うようにする。
この図１６（ａ）（ｂ）のように、ホログラム再生装置５０が外部機器の通信機能を利用してコンテンツ使用管理システム６との間の通信を行うようにしてもよい。特にこのように携帯電話機１０１やパーソナルコンピュータ１０２を利用する場合、ユーザーに対するコンテンツデータ代金の課金処理は、携帯電話使用料やインターネット利用料などに加算することも好適である。
【０１０３】
さらには、携帯電話機１０１やパーソナルコンピュータ１０２等を用いる場合に、ホログラム再生装置５０と接続しない方式も考えられる。
例えばユーザーは、ホログラム再生装置５０でダウンロードしたコンテンツデータについてのコンテンツＩＤや、ユーザーＩＤを、携帯電話機１０１やパーソナルコンピュータ１０２に手動で入力する。コンテンツＩＤについてはホログラム再生装置５０が表示部５１で表示できるようにすればよい。
ユーザーは自分に付与されたユーザーＩＤとコンテンツＩＤを入力して、携帯電話機１０１やパーソナルコンピュータ１０２からコンテンツ使用管理システム６に送信する。これに対してコンテンツ使用管理システム６からは、携帯電話機１０１やパーソナルコンピュータ１０２に対して使用許可情報を送信してくるが、そのとき、使用許可情報を受信した携帯電話機１０１やパーソナルコンピュータ１０２において、使用許可情報に含まれている暗号解読キーや使用制限解除情報、及びコンテンツＩＤとしてのコード番号を表示するようにする。
ユーザーは表示されたコード番号を手動で操作部５２からホログラム再生装置５０に入力する。ホログラム再生装置５０は入力された暗号解読キーや使用制限解除情報を、コンテンツＩＤに対応させて例えばフラッシュメモリ６５に記憶する。これによって、その後、当該コンテンツデータの非暗号化デコードや使用制限解除処理を実行できるようにし、自由な使用が可能となるようにする。
【０１０４】
また、コンテンツデータの使用はホログラム再生装置５０ではなく、携帯電話機１０１やパーソナルコンピュータ１０２側で行う場合も考えられる。
即ちホログラム再生装置５０は、ダウンロードしたコンテンツデータについて、例えば暗号化状態或いは使用制限状態で携帯電話機１０１やパーソナルコンピュータ１０２に転送するようにする。
転送は外部インターフェース６６を用いて行っても良いし、二次記録メディア９０を可搬性の記録メディアとし、当該二次記録メディア９０を携帯電話機１０１やパーソナルコンピュータ１０２側のメディアドライブに装填するものとしてもよい。
そして、上述した使用要求情報と使用許可情報の送受信を携帯電話機１０１やパーソナルコンピュータ１０２において実行し、使用許可情報に基づくコンテンツデータの再生等の使用は、その携帯電話機１０１やパーソナルコンピュータ１０２上で行われるようにしてもよい。
【０１０５】
例えば以上の各種の例によって、有料のコンテンツダウンロードシステムが実現可能となる。もちろん、上述のように特定の資格者に対して使用を可能とするシステムも同様に実現できる。例えばコンテンツ使用管理システム６は、ユーザー側からの使用要求情報で送信されてくるユーザーＩＤに対して認証処理を行い、認証ＯＫであればユーザー側に暗号解読キーや使用制限解除情報を含む使用許可情報を送信するようにすればよい。
そしてこのようなダウンロードシステムにおいては、課金処理等に基づく使用許可のための使用要求情報、使用許可情報の通信を行うことが必要となるが、このコンテンツデータ自体を通信するものではなく、ＩＤ等の少ないデータ量の通信のみであるため、例えば大容量高速通信回線は要求されない。例えば上記のように携帯電話機１０１等を利用した通信などで十分に実現できる。
【０１０６】
また使用許可情報には機器ＩＤを含むようにし、ユーザー側での再生時等には、機器ＩＤまでも一致しなければ再生できないようにするなどの手法を導入すれば、ダウンロード後にユーザーサイドで無断コピーされたコンテンツデータを使用できないようにすることも可能である。
【０１０７】
なお、ホログラム再生装置５０における使用要求情報や使用許可情報の通信にかかる情報は、フラッシュメモリ６５に限らず、例えば、ハードディスク、メモリカード、或いはメディアドライブ７３における光ディスク等の二次記録メディア９０などに記憶されても良い。
【０１０８】
［７．コンテンツデータと視認画像データの混在記録］
以上説明してきた実施の形態では、ホログラムメモリ１にコンテンツデータを記録するものであるが、ホログラムメモリ１にコンテンツデータとともに、そのホログラムメモリ１自体をユーザーが見たときに視認できる画像データを混在記録することも考えられる。この画像データとは、ダウンロード対象のデータではなく、あくまでホログラムメモリ１自体のデザイン効果を高める画像のことである。
ここでは、ホログラム再生装置５０で取り込まれるコンテンツデータと、ホログラムメモリに記録された状態で人の視覚による認識が可能な画像データとをホログラムメモリ１に混在記録させる実施の形態を説明する。
なお、ダウンロード対象のコンテンツデータとして画像データの場合もあることを先に述べたが、以下の説明では、ダウンロード対象とはならない人が視認する画像データのことを「視認画像データ」と呼んで区別する。またダウンロード対象となるコンテンツデータの例としてオーディオコンテンツデータを挙げる。
【０１０９】
ここでは上述したホログラフィックステレオグラム方式のホログラムメモリを形成する場合に、ホログラム材料上の垂直の帯状として記録されるホログラム要素として、一部には視認画像データを記録させ、一部にはコンテンツデータとしてダウンロードさせるオーディオデータを記録させることで、オーディオデータと視認画像データを混在記録する。
【０１１０】
図１７には、オーディオデータと視認画像データをホログラムメモリに混在記録することを模式的に示している。
先に図４でも述べたが、この場合も図１７（ｂ）に示すように、表示装置４１に画像を表示した状態で、表示装置４１に物体光Ｌ４を照射する。表示装置４１を通過した物体光Ｌ４は、表示装置４１に表示された画像を反映した物体光となり、この物体光Ｌ４がシリンドリカルレンズ４２で垂直方向の線状に収束されてホログラム材料３０に照射される。
この線状に収束された物体光Ｌ４と参照光Ｌ３が干渉した際の干渉縞が、図示するように垂直方向の帯状のホログラム要素としてホログラム材料３０に記録される。
【０１１１】
ここで、帯状の各ホログラム要素を生成していくためには、ホログラム材料３０を例えば矢印Ｈ方向に１段階ずつ送るとともに、表示装置４１に表示する画像を変化させていく。すると、干渉縞としての帯状のホログラム要素がホログラム材料３０上に格子状に形成されていくことになる。
このとき、或る物体を様々な角度から撮影した画像を順次表示装置４１に表示させて、それぞれホログラム要素として記録していくと、視認上で立体画像が見える状態になるが、本例の場合、表示装置４１に表示させる画像として、視認画像データによる画像と、オダウンロードコンテンツとしてのオーディオデータを２次元バーコード状に表現したパターン画像を与える。
即ち図１７（ａ）に示すように、表示装置４１には、オーディオデータＤAに基づく二次元パターン画像と、視認画像データＤPに基づく画像を、所定の順序（＃１・・・＃ｘ）で表示装置４１に表示させながら、ホログラム材料３０にホログラム要素を形成していくと、オーディオデータＤAと画像データＤPを混在記録したホログラム材料３０が形成できる。これをホログラムマスターメディア９１とする。
【０１１２】
図１８に、そのようにして形成されたホログラムマスターメディア９１から複製されるホログラムメモリ１の様子を示している。
各ホログラム要素として記録されたデータは、人が視認できる画像としてホログラムメモリ１上にあらわれる。この場合、ホログラムメモリ１に対しては、或る方向に配置された光源からの光や、周囲の自然光等の外光が参照光となる。
上記図１７（ａ）のような＃１・・・＃ｘの順序でオーディオデータＤA、視認画像データＤPを記録していった場合、例えば図１８のように、ホログラムメモリ１に対して、角度θ１の範囲からは、＃１〜＃ｎのオーディオデータＤAの画像パターンが視認できる。また略正面方向である角度θ２の範囲では、＃ｎ＋１〜＃ｍの視認画像データＤPの画像が視認できる。さらに角度θ３の範囲からは、＃ｍ＋１〜＃ｘのオーディオデータＤAの画像パターンが視認できる。
【０１１３】
オーディオデータＤAによる画像パターンは、二次元バーコードのように、人が意味的にその内容を認識できる画像ではないが、視認画像データＤPによる画像は、ホログラムメモリ１に対して略正面に対峙した人２００がその画像自体を認識できるものである。
オーディオデータＤAによる画像パターンについては、ホログラム再生装置５０が読み取ってデータ処理するものとされる。ホログラム再生装置５０は、図示する読取範囲θ０で、各画像をイメージセンサで読み取っていく。即ち＃１〜＃ｎのオーディオデータＤAによる画像パターン、＃ｎ＋１〜＃ｍの視認画像データＤPの画像、及び＃ｍ＋１〜＃ｘのオーディオデータＤAの画像パターンを、それぞれ読み取っていく。この読取のための動作は上述した図１０，図１１，図１２，図１３のような動作で行われればよい。そして撮像データとして取り込んだ各イメージパターンをデータにデコードする。
但しこの場合、ホログラム再生装置５０はダウンロード対象ではない視認画像データＤPの再生像も読み取ってしまうことになるが、このときホログラム再生装置５０内でのデータ処理過程で、＃ｎ＋１〜＃ｍの視認画像データＤPを破棄し、＃１〜＃ｎ及び＃ｍ＋１〜＃ｘの読み出し画像パターンからデコードしたオーディオデータＤAとしての各記録単位のデータのみを抽出する。そして各記録単位のデータからオーディオデータＤAとしてのストリームデータを生成する。
【０１１４】
つまりこの場合のホログラムメモリ１は、ホログラムメモリの高密度記録という特性を生かしてオーディオデータＤA等のコンテンツデータを十分な容量、記録できるだけでなく、人２００が略正面方向から見たときに、画像自体を認識できるため、ホログラムメモリ１自体をデザイン性の高いものとすることができる。
また例えばオーディオデータＤAを記録することを想定した場合、音楽データとしてのオーディオデータＤAをダウンロードコンテンツとして記録すると共に、その音楽のアーティスト写真やジャケット画像を視認画像データＤPとして記録すれば、付加価値の高いホログラムメモリ１を実現できる。例えばユーザーは視認できる画像によってアーティストや音楽の内容を認識しながら、ホログラム再生装置５０によって、その音楽自体（オーディオデータＤA）を読み取っていくことが可能となる。
【０１１５】
なお、当然ながら、ある角度範囲での視認可能な像を視認画像データＤPの像とした場合、その視認画像データＤPを記録した分だけ、オーディオデータＤA等のコンテンツデータの記録容量は減少する。但しこれは逆に言えば、オーディオデータＤA等の記録に必要な容量を設定した上で、残りの容量として、視認画像データＤPを記録するものとすればよいものである。つまり、どのくらいの角度範囲でデザイン上有効な画像が見えるようにするか（視認画像データＤPの記録容量をどれくらいとするか）というのは、記録しようとするコンテンツデータの容量と、デザイン上の観点を勘案して、決められればよい。
また、必ずしも正面方向から視認画像データＤPによる像が視認できるようにする必要はなく、例えばホログラムメモリ１に対して人２００が斜め方向から見たときのみ視認画像データＤPによる像が認識できるようにすることも考えられる。
【０１１６】
次に、上記のような視認画像データとコンテンツデータを混在記録させたホログラムメモリ１の製造について説明する。
図１９にコンテンツ提供媒体製造システム２による製造手順を示している。なお、図２と同一部分については説明を省略する。
この場合、データ変換ステップＳ１として、視認画像データ生成工程Ｓ１−５が加わることになる。視認画像データ生成工程Ｓ１−５では、視認画像データＤPとして記録する画像データを生成する。例えば或る物体を撮影したり、コンピュータグラフィックなどの手法でホログラム材料３０に記録される複数の要素ホログラムに対応した複数の画像の視認画像データＤPを生成する。ホログラムメモリ１に記録され、視認される画像を立体画像とする場合は、上記した＃ｎ＋１〜＃ｍの各画像データＤPを、いわゆる視差画像列としての画像とすればよい。
そしてマスターデータ生成工程Ｓ１−４では、データ処理ステップＳ１−３を経たオーディオデータを二次元パターン画像に変換してコンテンツマスターデータとすると共に、視認画像データ生成工程Ｓ１−５で生成された視認画像データＤPを、視認画像マスターデータに変換して送出する。
【０１１７】
なお、オーディオデータＤAと視認画像データＤPを混在記録したホログラムメモリ１を製造するが、そのホログラムメモリ１からホログラム再生装置５０が再生像を取り込んだ後に、オーディオデータＤAと視認画像データＤPを区別できるようにする必要がある。
その１つの手法としては、データ変換ステップＳ１において生成されるオーディオデータＤAのデータブロックの構成として、図２０（ｂ）（ｄ）に示すように識別コードを付加することが考えられる。この識別コードとは、ホログラムメモリ１に記録されているホログラム要素として、画像データＤPと区別するためのコード情報であり、つまり識別コードによってオーディオデータＤAが記録されたデータブロックであることを示すものとしている。このような識別コードが付加されたデータブロックを二次元パターン画像に変換してオーディオコンテンツとしてのマスターデータを生成する。
なお、図２０（ａ）（ｃ）は図３（ａ）（ｂ）に示したデータブロックの構成と同じであるが、このように識別コードが付加されていなくても、ホログラム再生装置５０側でオーディオデータＤAと視認画像データＤPを判別することは可能である。
【０１１８】
次にマスター生成ステップＳ２としてホログラムマスターメディア９１を製造するホログラムマスター製造装置は図２１のようになる。
前述した図６と異なるのは、視認画像マスターデータ入力部１２が設けられ、上記データ変換ステップＳ１で生成された視認画像マスターデータが入力されることである。
記録データ生成部１３は、コンテンツマスターデータ入力部１１に入力されて供給されるオーディオデータＤAに基づくパターン画像データと、視認画像マスターデータ入力部１２から供給される視認画像マスタデータＤPについて、例えば図１７の＃１〜＃ｘのデータ順序を制御し、順次ホログラフィックステレオグラムプリンタ装置１５に供給する。制御用コンピュータ１４，ホログラフィックステレオグラムプリンタ装置１５の動作は、図６，図７で説明したものと同様である。
【０１１９】
つまりホログラフィックステレオグラムプリンタ装置１５では、記録データ生成部１３から出力される記録データＤRに基づく複数の露光用画像が表示装置４１に順次表示されるとともに、各画像毎にシャッタ３２が開放され、各画像がそれぞれ短冊状の要素ホログラムとしてホログラム材料３０に順次記録される。このとき、ホログラム材料３０は、１画像毎に１要素ホログラム分だけ送られるので、各要素ホログラムは、横方向に連続して並ぶこととなる。これにより、視認画像データＤPとして、例えば横方向の視差情報を含む複数の画像が、横方向に連続した複数の要素ホログラムとしてホログラム材料３０に記録され、横方向の視差を有するホログラフィックステレオグラムが得られるとともに、オーディオデータＤAによる画像パターンも同じく横方向に連続した複数の要素ホログラムとして記録される。
そして、このシステムでデータＤRの記録を行ったホログラム材料３０が、図１９のホログラムマスターメディア９１とされ、このホログラムマスターメディア９１を用いてホログラム複製工程Ｓ３−１、コンテンツ提供媒体製造工程Ｓ３−２としての提供媒体生成ステップＳ３が行われる。
このようにして生成されたポスターや書籍等のコンテンツ提供媒体に設けられたホログラムメモリ１や、パッケージメディアとしてのホログラムメモリ１では、ユーザーが視認画像データＤPによる画像を視認することができ、そのデザイン性を高めることができる。
【０１２０】
なお、ホログラム再生装置５０によるダウンロードの際には、ホログラムメモリ１に対して図１８の読取範囲θ０としての全ての再生像を撮像データとして取り込み、ＤＲＡＭ６４に蓄積していくことになるが、この場合、視認画像データＤPとしての再生像も撮像データとして含まれることになる。
このためデータ処理部７１は、ＤＲＡＭ６４に蓄積された各撮像データについて、オーディオデータＤAを含むデータブロックの二次元画像パターンの再生像の撮像データであるのか、或いは画像データＤPの再生像であるのかを判別し、画像データＤPの再生像である撮像データについては破棄する処理も行う。
例えばデータブロックが図２０（ｂ）又は図２０（ｄ）の構成とされる場合、データ処理部７１は、データブロック内で識別コードが存在しているか否かで、撮像データが、オーディオデータＤAの再生像であるのか、視認画像データＤPの再生像であるのかを判別できる。
またデータブロックが図２０（ｃ）又は図２０（ｄ）の構成とされる場合、ＥＣＣパリティを用いて正しくエラー訂正処理ができれば、その撮像データはオーディオデータＤAの再生像の撮像データであり、正しくエラー訂正処理ができなければ視認画像データＤPの再生像であると判別するようにしてもよい。
また、データブロックが図２０（ａ）のように識別コードが存在せず、またエラー訂正コードも含まれていない場合は、そのデータブロックの形式やデータ内容を確認して判別する手法が考えられる。例えばヘッダ情報としての決められた意味のある情報が含まれていればオーディオデータＤAのデータブロックとして採用することが考えられる。またデータブロックから抽出したオーディオデータを繋げてオーディオストリームデータを生成する際には、そのデータブロックナンバを確認することになるが、その場合、視認画像データＤPにはストリームデータとしての順序を示すデータブロックナンバは存在しないため、結果として視認画像データＤPの再生像から得られるデータは除外できることになる。
【０１２１】
以上のように、ホログラムメモリ１に視認画像データとコンテンツデータを混在記録することで、ホログラムメモリ１の高密度記録という特性を生かしてオーディオデータＤA等のダウンロード対象のコンテンツデータを十分な容量、記録でき、さらに人がホログラムメモリ１自体を見たときに、画像を認識できるため、ホログラムメモリ１をデザイン性、更にはホログラムメモリ１を貼付したコンテンツ提供媒体のデザイン性の高いものとしたり、付加価値を与えることができる。なお視認画像データとしては、再生像として立体画像を得るものであってもよいし、立体画像ではない二次元画像が観察されるものでもよい。
またホログラム再生装置５０側では、ホログラムメモリ１に対して所定の角度範囲で観察される再生像を取り込んでいき、コンテンツデータによる画像パターンを抽出していくことで、コンテンツデータを正しくダウンロードできる。
【０１２２】
なお、図１８の例では、視認画像データＤPの再生像はホログラムメモリ１の略正面方向から人が観察できるようにしたが、このようにすることで、視認画像データＤPの再生像が見えやすくなり、視認したときのデザイン性の向上に好適である。但し、使用状況や目的によっては、正面方向ではなく、斜め方向から視認画像データＤPの再生像が見えるようにしてもよい。
また、図１８の角度θ２の範囲、つまり正面方向においてコンテンツデータによる画像パターンの再生像が観察されるようにすれば、ホログラム再生装置５０のスキャン機構７４によるスキャン角度範囲を狭くすることができ、構成の簡略化に適しているという利点が得られる。
【０１２３】
［８．変形例］
以上実施の形態について説明してきたが、本発明は多様な変形例が考えられる。
ホログラムメモリ１は、ホログラフィックステレオグラム方式に限らず、他の記録方式のホログラムメモリ１でも本発明を適用できる。
また例えば波長多重、角度多重、シフト多重、多値記録など、ホログラム記録媒体の大容量化を実現する技術は多様に存在するが、それらが採用されたホログラムメモリ１を用いても良い。
またホログラムメモリ１としての記録方式や種類は、記録するコンテンツデータの容量に応じて選定されても良い。
ホログラム再生装置５０の構成は上記図９の構成に限られない。ホログラムメモリ１からダウンロードしたコンテンツデータの再生出力、送信出力の形態も多様に考えられる。
また、ホログラム再生装置５０自体ではダウンロードしたコンテンツデータを再生する機能は設けず、コンテンツデータは外部インターフェース６６による通信又は二次記録メディア９０の移動によって外部機器１００に転送するものとし、外部機器１００側で再生されるものとしてもよい。
【図面の簡単な説明】
【０１２４】
【図１】本発明の実施の形態のダウンロードシステムの説明図である。
【図２】実施の形態のコンテンツ提供媒体製造システムの説明図である。
【図３】実施の形態のコンテンツデータの記録単位としてのデータブロックの説明図である。
【図４】実施の形態のホログラムへのコンテンツデータ記録の説明図である。
【図５】実施の形態のホログラムメモリの再生像の説明図である。
【図６】実施の形態のホログラムマスター製造装置のブロック図である。
【図７】実施の形態のホログラムマスターを形成するホログラフィックステレオグラムプリンタ装置の光学系の説明図である。
【図８】実施の形態のホログラム再生装置の外観例の説明図である。
【図９】実施の形態のホログラム再生装置のブロック図である。
【図１０】実施の形態の再生装置による読み取り動作の説明図である。
【図１１】実施の形態の再生装置による読み取り動作の説明図である。
【図１２】実施の形態の再生装置による読み取り動作の説明図である。
【図１３】実施の形態の再生装置による読み取り動作の説明図である。
【図１４】実施の形態のコンテンツデータの記録形式の説明図である。
【図１５】実施の形態のコンテンツデータ使用管理システムの説明図である。
【図１６】実施の形態のコンテンツデータ使用管理システムとの通信例の説明図である。
【図１７】他の実施の形態のコンテンツ提供媒体製造システムの説明図である。
【図１８】他の実施の形態のホログラムマスター製造装置のブロック図である。
【図１９】他の実施の形態のコンテンツデータの記録単位としてのデータブロックの説明図である。
【図２０】他の実施の形態のホログラムへのコンテンツデータ記録の説明図である。
【図２１】他の実施の形態のホログラムメモリの再生像の説明図である。
【符号の説明】
【０１２５】
１  ホログラムメモリ、２  コンテンツ提供媒体製造システム、３  ポスター、４  書籍、５  パッケージメディア、６  コンテンツ使用管理システム、７  ユーザー機器、１４  制御用コンピュータ、１５、ホログラフィックステレオグラムプリンタ装置、３０  ホログラム材料、３１  管理サーバ、５０  ホログラム再生装置、５３  撮像レンズ系、５４  発光素子、５５  イメージャ、６１  システムコントローラ、６６  外部インターフェース、７１  データ処理部、７３  メディアドライブ  ７６  再生処理部、９０  二次記録メディア、９１  ホログラムマスターメディア、１００  外部機器
【図１】
2006293667.tif 000003
【図２】
2006293667.tif 000004
【図３】
2006293667.tif 000005
【図４】
2006293667.tif 000006
【図５】
2006293667.tif 000007
【図６】
2006293667.tif 000008
【図７】
2006293667.tif 000009
【図８】
2006293667.tif 000010
【図９】
2006293667.tif 000011
【図１０】
2006293667.tif 000012
【図１１】
2006293667.tif 000013
【図１２】
2006293667.tif 000014
【図１３】
2006293667.tif 000015
【図１４】
2006293667.tif 000016
【図１５】
2006293667.tif 000017
【図１６】
2006293667.tif 000018
【図１７】
2006293667.tif 000019
【図１８】
2006293667.tif 000020
【図１９】
2006293667.tif 000021
【図２０】
2006293667.tif 000022
【図２１】
2006293667.tif 000023
【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
配信データとしてコンテンツデータが記録されたホログラムメモリを有するコンテンツ提供媒体と、
上記コンテンツ提供媒体に設けられた上記ホログラムメモリから上記コンテンツデータを読み出して取得するコンテンツ取得装置と、
を備えたことを特徴とするコンテンツ配信システム。
【請求項２】
配信される上記コンテンツデータの使用には使用許可を必要とし、
上記コンテンツデータの使用許可情報を配信する使用許可配信装置を更に備え、
上記コンテンツ取得装置は、上記使用許可配信装置と接続する接続手段を更に備え、上記コンテンツデータの再生前に上記使用許可配信装置から上記コンテンツデータの使用許可情報を取得することを特徴とする請求項１に記載のコンテンツ配信システム。
【請求項３】
上記コンテンツ提供媒体に設けられた上記ホログラムメモリには、上記コンテンツデータに加えて、上記ホログラムメモリに記録された状態で、人の視覚による認識が可能な画像データが記録されていることを特徴とする請求項１に記載のコンテンツ配信システム。
【請求項４】
上記コンテンツ取得装置は、上記コンテンツデータと上記画像データが記録された上記ホログラムメモリに対するデータ読み出しの際に、上記コンテンツデータのみを取得する請求項３に記載のコンテンツ配信システム。
【請求項５】
コンテンツデータをホログラムマスターデータに変換するデータ変換ステップと、
上記ホログラムマスターデータを用いてマスター記録媒体を製造するマスター生成ステップと、
上記マスター記録媒体からホログラムメモリを複製し、該ホログラムメモリを所定のコンテンツ提供媒体に具備させる提供媒体生成ステップと、
を備えることを特徴とするコンテンツ提供媒体製造方法。
【請求項６】
上記データ変換ステップでは、圧縮処理したコンテンツデータを、上記ホログラムマスターデータに変換することを特徴とする請求項５に記載のコンテンツ提供媒体製造方法。
【請求項７】
上記データ変換ステップでは、暗号化処理したコンテンツデータを、上記ホログラムマスターデータに変換することを特徴とする請求項５に記載のコンテンツ提供媒体製造方法。
【請求項８】
上記データ変換ステップでは、配信対象としてのコンテンツデータに加えて、上記ホログラムメモリ上での人による内容認識が可能な視認対象となる画像データを、上記ホログラムマスターデータに変換することを特徴とする請求項５に記載のコンテンツ提供媒体製造方法。
【請求項９】
上記コンテンツ提供媒体は紙媒体である特徴とする請求項５に記載のコンテンツ提供媒体製造方法。
【請求項１０】
配信データとしてコンテンツデータが記録されたホログラムメモリを有するコンテンツ提供媒体から上記コンテンツデータを取得するコンテンツ取得装置として、
上記コンテンツ提供媒体上の上記ホログラムメモリに対して読み出し参照光を出力する参照光出力手段と、
上記参照光出力手段により上記ホログラムメモリに読み出し参照光を与えた状態で、上記ホログラムメモリに記録されたデータによる再生像を検出する検出手段と、
上記検出手段で検出された再生像から上記コンテンツデータとしてのデータ列を再生する再生処理手段と、
を備えたことを特徴とするコンテンツ取得装置。
【請求項１１】
さらに二次記録媒体に対する記録手段を備え、
上記再生処理手段で再生した上記コンテンツデータを、上記記録手段により上記二次記録媒体に記録することを特徴とする請求項１０に記載のコンテンツ取得装置。
【請求項１２】
さらに、コンテンツデータを再生出力する再生出力手段を備え、
上記二次記録媒体に記録された上記コンテンツデータを、上記再生出力手段で再生出力することを特徴とする請求項１１に記載のコンテンツ取得装置。
【請求項１３】
上記再生出力手段による上記コンテンツデータの再生出力は、入力される使用許可情報に応じて実行されることを特徴とする請求項１２に記載のコンテンツ取得装置。
【請求項１４】
さらに、コンテンツデータを外部機器に送信する送信手段を備え、
上記再生処理手段で再生した上記コンテンツデータを、上記送信手段により外部機器に送信することを特徴とする請求項１０に記載のコンテンツ取得装置。
【請求項１５】
上記送信手段による上記コンテンツデータの送信は、入力される使用許可情報に応じて実行されることを特徴とする請求項１４に記載のコンテンツ取得装置。
【請求項１６】
さらに、暗号化されたコンテンツデータに対する暗号解読処理を行う暗号解読手段を備えることを特徴とする請求項１０に記載のコンテンツ取得装置。
【請求項１７】
上記暗号解読手段による暗号解読処理は、入力される使用許可情報を用いて実行されることを特徴とする請求項１６に記載のコンテンツ取得装置。
【請求項１８】
配信データとしてコンテンツデータが記録されたホログラムメモリを有するコンテンツ提供媒体から上記コンテンツデータを取得するコンテンツ取得方法として、
上記コンテンツ提供媒体上の上記ホログラムメモリに対して読み出し参照光を与えた状態で、上記ホログラムメモリに記録されたデータの再生像を検出する検出ステップと、
上記検出ステップで検出された再生像から上記コンテンツデータとしてのデータ列を再生する再生処理ステップと、
を備えたことを特徴とするコンテンツ取得方法。
【手続補正２】
【補正対象書類名】明細書
【補正対象項目名】全文
【補正方法】変更
【補正の内容】
【発明の詳細な説明】
【技術分野】
【０００１】
本発明はコンテンツデータの配信システム、及び該システムを構成するコンテンツ提供媒体の製造方法、さらにはコンテンツ取得装置、コンテンツ取得方法に関するものである。
【背景技術】
【０００２】
【特許文献１】特開２００２−９１４３１号公報
【０００３】
一般にユーザーが好みの音楽コンテンツ、映像コンテンツなどを入手するためには、ＣＤ（Compact Disc：商標）、ＤＶＤ（Digital Versatile Disc：商標）、ＭＤ（Mini Disc：商標）などの各種パッケージメディアを購入することが行われる。
さらに近年では、ＥＭＤ（Electronic Music Distribution）と呼ばれる電子音楽配信が実用化されており、ユーザーがインターネット等のネットワーク環境を通じて所望のコンテンツをダウンロードすることで入手できるようにもされている。
【発明の開示】
【発明が解決しようとする課題】
【０００４】
ＥＭＤにより、ユーザーがわざわざ店舗まで行かなくとも音楽コンテンツ等を購入できたり、また好みの１曲のみを購入できるなど、利便性が高まっているが、ＥＭＤには高速ネットワーク環境を有することが適しており、誰しもがその利便性を容易に享受できるわけではない。
例えば圧縮された音楽コンテンツでも、６４ｋｂｐｓで演奏時間が５分の音楽コンテンツであると、ダウンロードするデータ量は２．４ＭＢになる。これを６４ｋｂｐｓのモデムを用いてもダウンロード転送には５分かかることになり、ＡＤＳＬや光ファイバーなどの高速回線環境を持たないユーザーには非常に手間がかかると感じられる現状がある。
また、パーソナルコンピュータ経由でのダウンロードとなるため、当然ながら、ＥＭＤを利用する際にはパーソナルコンピュータを立ち上げなければならない上に、ウェブサイト上で自分の好みの曲があるかどうかを探す必要がある。
つまりポスターや雑誌の広告のように簡単にユーザーの目に入る状況にはなく、積極的に自分から探しにいくという行為が必要であった。例えばポスターや書籍等に音楽コンテンツ等の紹介があり、ユーザーがそれを見て音楽コンテンツ等を入手したい思っても、即座に容易に音楽コンテンツ等を入手できるものではない。
また音楽コンテンツ等は、携帯用プレーヤ等のＡＶ機器で再生したいという要望が高いが、パーソナルコンピュータでダウンロードした場合、そのコンテンツを携帯用プレーヤ等に移動させなければならず、その点でも手間がかかる。
【０００５】
一方、近年ＱＲコード（商標）に代表されるような二次元バーコードが普及しており、書籍等に印刷された二次元バーコードを光学的なリーダ装置や、リーダー機能を備えた携帯電話機で読み取ることで、各種情報を入手できるようにされている（例えば特許文献１参照）。
ところが二次元バーコードの容量は数百バイト程度であり、配信として十分な品質の音楽や映像のコンテンツを記録することはできない。
現状、二次元バーコードを利用した音楽配信を行おうとすれば、例えば二次元バーコードに配信ウェブサイトのＵＲＬ（Uniform Resource Locator）等のアドレス情報を記録しておく。ユーザーは二次元バーコードから読み取ったＵＲＬにアクセスすることで、所望の音楽を、携帯電話やパーソナルコンピュータ等でダウンロードすることになる。この場合、ウェブサイトを探すという手間は省けるが、結局大容量のコンテンツデータ自体をネットワーク通信を介してダウンロードすることになる。従ってユーザーにストレスを感じさせないためには、高速な通信環境が不可欠となるという点は解消されない。
もちろん音楽データ等を二次元バーコードとして記録することはできるが、容量的な問題から、かなり短い時間のみ（例えば楽曲の一部分のみ）であったり、低音質なものとならざるを得ず、例えば音楽や映像のコンテンツ自体の配信サービスを二次元バーコードのみで成立させることは困難である。
【０００６】
このような現状に対して本発明は、ユーザーが高速ネットワーク環境を備えていなくともストレスなく音楽や映像等のコンテンツの配信を受けることができるようにすること、及び配信やコンテンツ利用に関してのユーザーの手間を軽減することを目的とする。
【課題を解決するための手段】
【０００７】
本発明のコンテンツ配信システムは、配信データとしてコンテンツデータが記録されたホログラムメモリを有するコンテンツ提供媒体と、上記コンテンツ提供媒体に設けられた上記ホログラムメモリから上記コンテンツデータを読み出して取得するコンテンツ取得装置とを備えて成る。
またさらに、配信される上記コンテンツデータの使用には課金処理等の所定の条件に応じた使用許可を必要とし、上記コンテンツデータの使用許可情報を配信する使用許可配信装置を更に備え、上記コンテンツ取得装置は、上記使用許可配信装置と接続する接続手段を更に備え、上記コンテンツデータの再生前に上記使用許可配信装置から上記コンテンツデータの使用許可情報を取得する。
また、上記コンテンツ提供媒体に設けられた上記ホログラムメモリには、上記コンテンツデータに加えて、上記ホログラムメモリに記録された状態で、人の視覚による認識が可能な画像データが記録されているようにもする。この場合、上記コンテンツ取得装置は、上記コンテンツデータと上記画像データが記録された上記ホログラムメモリに対するデータ読み出しの際に、上記コンテンツデータのみを取得する。
【０００８】
本発明のコンテンツ提供媒体製造方法は、コンテンツデータをホログラムマスターデータに変換するデータ変換ステップと、上記ホログラムマスターデータを用いてマスター記録媒体を製造するマスター生成ステップと、上記マスター記録媒体からホログラムメモリを複製し、該ホログラムメモリを所定のコンテンツ提供媒体に具備させる提供媒体生成ステップとを備える。
また上記データ変換ステップでは、圧縮処理や暗号化処理を施したコンテンツデータを、上記ホログラムマスターデータに変換する。
また、上記データ変換ステップでは、配信対象としてのコンテンツデータに加えて、上記ホログラムメモリ上での人による内容認識が可能な視認対象となる画像データを、上記ホログラムマスターデータに変換する。
上記コンテンツ提供媒体は例えば紙媒体である。
【０００９】
本発明のコンテンツ取得装置は、配信データとしてコンテンツデータが記録されたホログラムメモリを有するコンテンツ提供媒体から上記コンテンツデータを取得するコンテンツ取得装置として、上記コンテンツ提供媒体上の上記ホログラムメモリに対して読み出し参照光を出力する参照光出力手段と、上記参照光出力手段により上記ホログラムメモリに読み出し参照光を与えた状態で上記ホログラムメモリに記録されたデータによる再生像を検出する検出手段と、上記検出手段で検出された再生像から上記コンテンツデータとしてのデータ列を再生する再生処理手段とを備える。
また、二次記録媒体に対する記録手段を備え、上記再生処理手段で再生した上記コンテンツデータを、上記記録手段により上記二次記録媒体に記録する。
また、コンテンツデータを再生出力する再生出力手段を備え、上記二次記録媒体に記録された上記コンテンツデータを、上記再生出力手段で再生出力する。
また、コンテンツデータを外部機器に送信する送信手段を備え、上記再生処理手段で再生した上記コンテンツデータを、上記送信手段により外部機器に送信する。
ここで、上記再生出力手段による上記コンテンツデータの再生出力や、上記送信手段による上記コンテンツデータの送信は、入力される使用許可情報に応じて実行されるようにしてもよい。
また、暗号化されたコンテンツデータに対する暗号解読処理を行う暗号解読手段を備える。上記暗号解読手段による暗号解読処理は、入力される使用許可情報を用いて実行されるようにもする。
【００１０】
本発明のコンテンツ取得方法は、配信データとしてコンテンツデータが記録されたホログラムメモリを有するコンテンツ提供媒体から上記コンテンツデータを取得するコンテンツ取得方法として、上記コンテンツ提供媒体上の上記ホログラムメモリに対して読み出し参照光を与えた状態で、上記ホログラムメモリに記録されたデータの再生像を検出する検出ステップと、上記検出ステップで検出された再生像から上記コンテンツデータとしてのデータ列を再生する再生処理ステップとを備える。
【００１１】
即ち本発明では、コンテンツ提供媒体にホログラムメモリを貼付又は印刷等により具備させる。コンテンツ提供媒体とは、例えばポスターや書籍等の紙媒体が考えられるが、もちろん紙以外の物品でもよい。例えば材質や物品種類にかかわらず、ホログラムメモリを貼付等により具備するようにしたあらゆる物品、商品は本発明でいうコンテンツ提供媒体となり得る。
そしてコンテンツ提供媒体上のホログラムメモリには、コンテンツデータが記録される。コンテンツデータは有償又は無償でユーザーに提供する配信対象としての各種データであり、音楽や音声等のオーディオデータ、映画やビデオクリップ等の映像データ、静止画データ、小説その他のテキストデータ、コンピュータプログラムやアプリケーションデータなど、多様なデータが想定される。
ホログラムメモリは、記録密度を飛躍的に向上させ、著しい大容量化が可能であることが知られている。従来、ホログラムメモリは、３次元画像等の視認画像の再生などに用いられていたが、視認画像だけでなく、各種データを記録する大容量の記録媒体としても有用である。ホログラムメモリを用いれば、配信サービスとしてのコンテンツデータとして十分な容量のデータ記録が可能である。
そしてコンテンツ取得装置としては、いわゆるホログラムリーダーとして構成することで、ホログラムメモリに記録されたコンテンツデータを、ネットワーク通信等を介することなく、直接取り込むことができる。
【発明の効果】
【００１２】
本発明によれば、コンテンツ取得装置によって、コンテンツ提供媒体に備えられたホログラムメモリから直接コンテンツデータを取得することができる。つまり高速なネットワーク環境やパーソナルコンピュータシステムを備える必要はなく、ユーザーはコンテンツ取得装置を所持することで手軽にコンテンツデータを入手できるという効果がある。
またコンテンツ提供媒体としてポスターや書籍等の紙媒体を用い、そのコンテンツ提供媒体にホログラムメモリが備えられていることで、ユーザーはポスター等でのコンテンツデータの紹介を見かけたときに、そのコンテンツデータを欲しいと思えば、即座に入手できる。つまりユーザーにとっては、自然に目にとまった機会にコンテンツデータを入手でき、後からわざわざ店舗やインターネットウェブサイトで探すという手間がかからない。またコンテンツデータの提供者側でも、ユーザーに提供できる機会、又は購入してもらえる機会が増えることで有用なものとなる。
【００１３】
また、ホログラムメモリには、コンテンツデータに加えて、上記ホログラムメモリに記録された状態で、人の視覚による認識が可能な画像データが記録されているようにもすれば、ホログラムメモリ及びホログラムメモリを備えたコンテンツ提供媒体の視覚効果、デザイン効果を向上させることができる。またこのようなホログラムメモリに対しては、コンテンツ取得装置は、データ読み出しの際にコンテンツデータのみを取得すれば装置動作として適切となる。
【００１４】
コンテンツ取得装置において再生出力手段を備えるようにすれば、二次記録媒体に記録したコンテンツデータを、そのコンテンツ取得装置自体で出力させることができ、例えば取得した音楽コンテンツ等を非常に手軽に楽しむことができる。
またコンテンツ取得装置において送信手段を備えるようにすれば、取得したコンテンツデータを外部機器に転送して、そのコンテンツデータを外部機器で利用できる。
またコンテンツデータの暗号化や、使用許可情報に基づく暗号解読、再生出力許可、送信許可が行われるようにすれば、例えば有料でコンテンツ配信システムとして適切な処理が実現される。
【発明を実施するための最良の形態】
【００１５】
以下、本発明の実施の形態を次の順序で説明する。
［１．ダウンロードシステム構成］
［２．コンテンツ提供媒体製造システム］
［３．ホログラム再生装置（ダウンロード装置）構成］
［４．ダウンロードされるコンテンツデータ］
［５．コンテンツデータの記録態様］
［６．ダウンロードコンテンツの使用許可］
［７．コンテンツデータと視認画像データの混在記録］
［８．変形例］
【００１６】
［１．ダウンロードシステム構成］
実施の形態として、音楽コンテンツを有料又は無料でユーザーがダウンロードできるダウンロードシステムを例に挙げる。なお、ここでいうダウンロードとは、サーバからネットワークを経由してデータを端末装置に取り込むという狭義ではなく、提供されたコンテンツを端末装置に取り込むという広義であり、いわゆる配信の意味も含まれる。
図１にダウンロードシステムの構成例を示す。
コンテンツ提供媒体製造システム２は、ホログラムメモリ３を備えたコンテンツ提供媒体を製造する。このコンテンツ提供媒体製造システム２は具体的には、例えばコンテンツホルダーとしての音楽レーベルや音楽出版社、メモリ製造者、マスタリング業者、複製業者、印刷業者等が関与して、コンテンツ提供媒体を製造することになる。
【００１７】
図１ではコンテンツ提供媒体の例としてポスター３、書籍４、パッケージメディア５を挙げている。
例えばコンテンツ提供媒体製造システム２では、アーティストのポスターに、そのアーティストの楽曲を記録したホログラムメモリ１を貼付又は印刷形成したコンテンツ提供媒体としてのポスター３を製造する。
またコンテンツ提供媒体製造システム２は、表紙、裏表紙、或いはページ内等にホログラムメモリ１を備えた書籍３を製造する。
さらにコンテンツ提供媒体製造システム２は、ＣＤやＤＶＤのようなパッケージメディアとして、ホログラムメモリ１を用いたパッケージメディア５を製造する。
もちろんこれらは一例であり、コンテンツ提供媒体製造システム２が製造するコンテンツ提供媒体は、音楽コンテンツ等のコンテンツデータを記録したホログラムメモリ１を備えたあらゆる製品が想定できる。
【００１８】
図１のダウンロードシステムにおいて、ユーザー機器７は、ユーザーがコンテンツデータのダウンロードや使用に用いる機器を示している。
ユーザーサイドでは、少なくともホログラム再生装置５０を用意することが必要となる。ユーザーはホログラム再生装置５０に、コンテンツ提供媒体に設けられたホログラムメモリ１に対する読出スキャンを実行させ、ホログラムメモリ１に記録されているコンテンツデータを読み出す。即ちダウンロードする。
例えば店頭などでポスター３を見た際、或いは書籍４を購入したときなど、ホログラムメモリ１の部分にホログラム再生装置５０を対向させ、ダウンロードを指示する操作を行うことで、ホログラム再生装置５０はホログラムメモリ１からの再生像を取り込み、その再生像からオーディオデータ等のコンテンツデータをデコードして取得する。ホログラム再生装置５０によるホログラムメモリ１に対する読出スキャンは接触方式、非接触方式のいずれもが考えられる。
【００１９】
ホログラム再生装置５０は、取り込んだコンテンツデータを内部の二次記録メディアに記録し、例えば再生させることでユーザーに音楽等を提供できるようにしてもよいし、通信機能により外部機器１００にコンテンツデータを転送して、外部機器１００において使用できるようにしてもよい。外部機器１００としては、ユーザーが使用できるパーソナルコンピュータ、携帯電話機、ＡＶ（Audio-Visual）装置などが想定される。
【００２０】
コンテンツ使用管理システム６は、例えばコンテンツデータのダウンロードを有料とする場合や、無料ではあっても一定の使用資格を有するユーザーにのみコンテンツデータを提供したい場合など、ホログラムメモリ１からダウンロードしたコンテンツデータの使用に何らかの制限を与えたい場合に機能するシステムである。
例えば有料のコンテンツデータについては、暗号化を施すか、又は使用制限フラグ等を付加してホログラムメモリ１に記録しておき、このようなコンテンツデータをホログラム再生装置５０がダウンロードしても、そのままでは再生できないようにする。この場合、ホログラム再生装置５０側からはコンテンツ使用要求情報をコンテンツ使用管理システム６に送信する。コンテンツ使用要求情報とは、例えばコンテンツデータに与えられているコンテンツＩＤ（Identify）やユーザーＩＤ、機器ＩＤを含むものである。
【００２１】
コンテンツ使用管理システム６は、コンテンツ使用要求情報を受信したら、そのユーザーに対する課金処理や、使用資格判別処理等を行い、それらの結果コンテンツ使用を許容する場合は、ユーザーに対してコンテンツ使用許可情報を送信する。コンテンツ使用許可情報には、例えば暗号解読キーや、使用制限フラグを無効化する情報等が含まれるようにすることで、そのコンテンツ使用許可情報を受け取ったユーザーは、ホログラム再生装置５０によって取り込んだコンテンツデータについて通常の使用が可能となる。例えばホログラム再生装置５０において再生出力させたり、外部機器１００に送信することが可能となるようにする。
【００２２】
このように、図１のコンテンツダウンロードシステムでは、一般に流通するポスター３や書籍４等をコンテンツ提供媒体とし、ホログラムメモリ１に記録されたコンテンツデータをユーザーがホログラム再生装置５０によってダウンロードできるものである。またそのシステムにおいて有料のダウンロードサービスとすることも可能である。
【００２３】
ＱＲコードのような二次元バーコードを使って音声情報や短い楽曲を専用再生装置、あるいは携帯電話に転送するものはすでに存在しているが、二次元バーコードでは記録できる容量が数百バイト程度であり、音楽等のコンテンツデータをユーザーに提供する媒体としては不十分である。例えばＣＤやＤＶＤ等のパッケージメディア、或いはＥＭＤで提供されるコンテンツデータと同等の品質や長さのコンテンツデータのダウンロードシステムを構築することはできない。
これに対してホログラムメモリ１は扱えるため情報量が格段と大きく、高品質な音楽コンテンツなどを記録するのに十分な容量を持つことができる。例えば数Ｍ〜数１０ＭＢのデータ量をホログラムメモリ１に記録することは困難でなく、さらには１ＧＢ程度も可能とされている。
【００２４】
昨今の音楽データの圧縮技術では６４ｋｂｐｓ程度のレートでＭＤ並み（ＡＴＲＡＣ１の圧縮方式での１３８ｋｂｐｓ）の音質が確保できる。また、コーデックとしてＡＴＲＡＣ３ｐｌｕｓを想定し、２５６ｋｂｐｓであればＣＤ並みの音質が確保できる。
例えば６４ｋｂｐｓのレートで５分の音楽コンテンツを圧縮すると、データの容量としては２．４ＭＢにすることができる。２５６ｋｂｐｓではその４倍で９．６ＭＢになる。
これらの容量はＡＤＳＬや光ファイバーによる高速なデータ通信手段を使えば、短時間に転送可能であるが、電話回線などによる通信では数分レベルが必要となり非常に不便である。
一方、ホログラムメモリ１には、この程度の容量のコンテンツデータは十分に記録可能であるため、本例のダウンロードシステムでは、高速な通信手段を用いなくとも、ホログラム再生装置５０によって音楽コンテンツ等をダウンロードできることになる。
【００２５】
さらに本例では、ホログラムメモリ１として安価なホログラムシートを作成し、ポスター３や雑誌等の書籍４などに貼り付けたりして掲載することで、ユーザーがよく目にする位置にコンテンツそのものを配布することができる。つまりユーザーは、ポスター３等を見たときにコンテンツデータを入手したいと思えば、所持するホログラム再生装置５０によって即座に入手でき、複雑なシステム環境や手間を必要としない。
ダウンロードしたコンテンツデータそのものは、その場でホログラム再生装置５０で再生させたり、外部機器１００に転送してユーザーが使用できる。
【００２６】
つまり本例のダウンロードシステムによっては、コンテンツデータの提供者側は、安価なホログラムメモリ１を複製し、ポスター３等のコンテンツ提供媒体に掲載することによってコンテンツデータを大量に頒布し、ユーザーが目にするチャンスを増やすことでコンテンツ購入を広げることができる。
ユーザー側も、雑誌、ポスターなどに貼り付けられたシート状のホログラムメモリ１をホログラム再生装置５０でスキャンさせることでコンテンツを簡単にダウンロードでき、再生等の使用することが可能となる。
【００２７】
また広告用途などにも好適である。例えば従来の広告は紙面の制約から多くの内容記載できなかったが、商品説明のデータ、映像、音声などコンテンツデータとしてをホログラムメモリ１に記録しておけば、非常に多くの情報をユーザーに伝えることが可能となる。
【００２８】
［２．コンテンツ提供媒体製造システム］
図１に示したコンテンツ提供媒体製造システム２によるコンテンツ提供媒体の製造方法及び製造されるコンテンツ提供媒体について、図２〜図７で説明する。
【００２９】
コンテンツデータを記録したホログラムメモリ１を備えるコンテンツ提供媒体を製造する工程は、大別して図２に示すデータ変換ステップＳ１と、マスター生成ステップＳ２と、提供媒体生成ステップＳ３に分けられる。
データ変換ステップＳ１では、コンテンツデータとしてのオーディオデータ等を、ホログラムメモリ１に記録するマスターデータに変換する。
マスター生成ステップＳ２では、マスターデータを記録したホログラムマスターメディア９１を生成する。
提供媒体生成ステップＳ３では、ホログラムマスターメディア９１からシート状のホログラムメモリ１を複製する。そしてシート状のホログラムメモリ１を書籍４やポスター３などに貼り付けてコンテンツ提供媒体とする。なお、ホログラムメモリ１を貼付するのではなく、書籍等に直接印刷形成するなどの手法も考えられる。
【００３０】
データ変換ステップＳ１は、コンテンツＩＤ生成工程Ｓ１−１、基本データ生成工程Ｓ１−２、データ処理工程Ｓ１−３、マスターデータ生成工程Ｓ１−４に分けられる。
コンテンツデータを保有しているコンテンツデータホルダ、例えば音楽コンテンツの場合のレーベルやレコード会社等は、マスター作成者へコンテンツデータを提供し、ホログラムマスターメディア９１の制作を依頼する。これに応じてマスター制作者は、データ変換ステップＳ１としての処理を行う。
【００３１】
まずコンテンツＩＤ生成工程Ｓ１−１として、提供された個々のコンテンツデータについてコンテンツＩＤを生成する。
次に基本データ生成工程Ｓ１−２として、提供されたコンテンツデータにコンテンツＩＤを付加した基本データを生成する。
コンテンツデータに付加するコンテンツＩＤとしては、情報がハッキングされた際にコンテンツを再生する装置をリボークできるようなＩＤを用いることもできる。
【００３２】
次にデータ処理工程Ｓ１−３としてコンテンツデータに対する必要なデータ処理を行う。例えばオーディオコンテンツデータに対してはＡＴＲＡＣ方式やＭＰＥＧオーディオ方式等の圧縮処理を施す。
さらに、有料化や使用者特定を目的とするダウンロード後の再生制限のために暗号化処理を施すこともある。
そしてデータ処理工程Ｓ１−３を経たデータ列について、次にマスターデータ生成工程Ｓ１−４で、ホログラム化するために必要な変換が行なわれる。例えば２次元データに展開される。
【００３３】
以上のデータ変換ステップＳ１の処理例を図３に模式的に示す。
図３（ａ）（ｂ）におけるデータブロックとは、ストリームデータとしてのオーディオデータを所定サイズ毎に抽出して生成した記録単位のことを表している。
図３（ａ）の例は、所定データ量としてのオーディオデータに対してヘッダを付加して１つのデータブロックを生成し、これを１記録単位とする例である。この記録単位は、後述するホログラムマスター製造装置において、ホログラム材料に１つのホログラム要素として記録される単位の例である。
ヘッダには、コンテンツＩＤが記録される。さらにヘッダにはオーディオデータとしての属性、ブロックナンバ、データサイズなどが記録されるようにもする。
オーディオデータは、所定の圧縮方式や、暗号化処理が施されたオーディオデータである。
図３（ｂ）の例は、上記ヘッダ及びオーディオデータに加えて、エラー訂正コード（ＥＣＣ）が付加されたデータブロックが形成される例である。つまりデータブロック内のオーディオデータに対してエラー訂正用のエンコードが施され、そのＥＣＣパリティが記録されることで、再生時に、データブロック単位でエラー訂正処理が可能となるようにしている。
基本データ生成ステップＳ１−２、データ処理ステップＳ１−３で、このようなデータブロックが生成された後、マスターデータ生成ステップＳ１−４では、二次元画像エンコードを行い、各データブロックを二次元画像パターンのデータに変換することになる。
【００３４】
続いてマスター制作者は、マスター生成ステップＳ２として、ホログラムマスター製造装置を用いて、データ変換ステップＳ１で生成されたマスターデータが記録されたホログラムマスターメディア９１を製造する。ホログラムマスター製造装置の例は後述するが、例えば二次元データ列とされているマスターデータを液晶パネル等の表示装置に表示させ、その表示画像の物体光と、参照光とを合わせてフォトポリマーなどのホログラム材料へプリントすることでマスターを作成することができる。
なおホログラムとしてはフォトポリマーなどの材料ではなく、アルミに対して凹凸を付けることで作成するものもあり、ホログラムマスターメディア９１の製造手法は、どのようなタイプのホログラムマスターメディア９１を作成するかによって異なる。
【００３５】
マスター生成ステップＳ２で製造されたホログラムマスターメディア９１は、提供媒体生成ステップＳ３に受け渡される。例えば提供媒体生成ステップＳ３はホログラムメモリ複製工程Ｓ３−１と、コンテンツ提供媒体製造工程Ｓ３−２に分けられる。
ホログラムマスターメディア９１は、例えば複製業者に受け渡される。そして複製業者がホログラムメモリ複製工程Ｓ３−１として、ホログラムマスターメディア９１を用いてシート状のホログラムメモリ１を量産する。
【００３６】
複製方法としては、例えばホログラムマスターメディア９１を別の感光材料上へ密着させて情報を転写する密着コピー法が考えられる。
また、フォトレジストに記録したホログラムによる凹凸像にニッケルを電着してスタンパを生成し、スタンパを用いて複製するエンボスホログラム法も考えられる。
【００３７】
量産されたホログラムメモリ１は、例えば書籍、ポスター、パッケージメディア等の製造業者に配布され、コンテンツ提供媒体製造工程Ｓ３−２として、書籍等に貼付されてコンテンツ提供媒体が完成する。
なお、ホログラムメモリ複製工程Ｓ３−１とコンテンツ提供媒体製造工程Ｓ３−２は、一体的に実行される場合もある。例えばコンテンツ提供媒体としての製品に直接複製印刷等によりホログラムメモリ１が形成されるような場合である。
【００３８】
製造されたコンテンツ提供媒体は、店舗や各種施設等に配布され、一般ユーザーの目に触れる状態とされる。つまりダウンロード可能な状態とされる。
なお、以上の手順では、コンテンツデータの暗号化やコンテンツＩＤの設定はデータ変換ステップＳ１で行われる。例えば、マスター生成ステップＳ２や提供媒体生成ステップＳ３の作業は、マスター作成者が外部業者に委託することも想定されるが、、データ変換ステップＳ1で暗号化等を行うことでコンテンツ情報の流出を防ぐことができる。
【００３９】
続いて、上記マスター生成ステップＳ２で製造されるホログラムマスターメディア９１及びホログラムマスターメディア９１から複製されるホログラムメモリ１の例を説明する。
なお、物体光と参照光によって生じる干渉縞によりデータを記録するホログラム記録媒体にはさまざまな方式があるが、ここではホログラフィックステレオグラム（Holographic Stereogram）方式のホログラム記録媒体としてホログラムマスターメディア９１を生成する例に挙げる。
【００４０】
従来より知られているホログラフィックステレオグラム方式のホログラム記録媒体は、多数の画像を原画とし、これらを１枚のホログラム記録媒体に短冊状又はドット状の要素ホログラムとして順次記録する。
このホログラフィックステレオグラムでは、被写体を横方向の異なる観察点から順次撮影することにより得られた複数の画像の情報が、短冊状の要素ホログラムとして横方向に連続するように順次記録されることで、このホログラフィックステレオグラムを観察者が両目で見たとき、その左右の目にそれぞれ写る２次元画像は若干異なるものとなる。これにより、観察者は視差を感じることとなり、３次元画像が再生されることとなる。つまり物体光と参照光の干渉縞によって例えば立体的に視認できる画像が記録される。
このようなホログラム記録媒体は、記録密度を飛躍的に向上させ、著しい大容量化が可能であることも知られており、このためホログラム記録媒体は、３次元画像を再生のためだけでなく、例えばコンピュータデータ等の各種データを記録する記録媒体としても有用であると考えられている。
例えば上記ホログラフィックステレオグラム方式を応用する場合、オーディオデータ、ビデオデータ、テキストデータ、プログラムデータ等のコンテンツデータを所定の記録単位毎に２次元画像化する。例えばＱＲコードなどの二次元バーコードのような画像パターンを生成する。そして記録単位毎の２次元画像としての画像パターンを多数生成し、それぞれを短冊状の要素ホログラムとして記録していく。このようにすると、従来の印刷による二次元バーコードに比べて記録密度を飛躍的に向上させることが可能となる。
【００４１】
図４（ａ）（ｂ）には、例えばオーディオデータをホログラム記録媒体に記録することを模式的に示している。
図４（ｂ）はホログラム材料３０に帯状にホログラム要素を記録する状態を表している。ホログラム材料３０には物体光Ｌ４と記録用の参照光Ｌ３が照射される。
例えば液晶パネルによる透過型の表示装置４１に画像を表示した状態で、表示装置４１に物体光Ｌ４を照射する。表示装置４１を通過した物体光Ｌ４は、表示装置４１に表示された画像を反映した物体光となるが、この物体光Ｌ４はシリンドリカルレンズ４２で垂直方向の線状に収束されてホログラム材料３０に照射される。
この線状に収束された物体光Ｌ４と参照光Ｌ３が干渉した際の干渉縞が、図示するように垂直方向の帯状のホログラム要素としてホログラム材料３０に記録されることになる。
【００４２】
ここで、帯状の各ホログラム要素を生成していくためには、ホログラム材料３０を例えば矢印Ｈ方向に１段階ずつ送るとともに、表示装置４１に表示する画像を変化させていく。すると、干渉縞としての帯状のホログラム要素がホログラム材料３０上に格子状に形成されていくことになる。
このとき、或る物体を様々な角度から撮影した画像を順次表示装置４１に表示させて、それぞれホログラム要素として記録していくと、視認上で立体画像が見える状態になるが、本例の場合、表示装置４１に表示させる画像として、オーディオデータを２次元バーコード状に表現したパターンとする。即ちオーディオデータを、２次元バーコード状のパターン画像とし、これをホログラム要素として記録する。
【００４３】
図４（ａ）に、表示装置４１に順次表示させる画像の例を示すが、表示装置４１には、オーディオデータＤAに基づく画像を順次表示させることになる。
オーディオデータＤAに基づく画像は、図示するように、二次元バーコード状の画像である。記録しようとする元々のオーディオデータについては、例えば固定長のデータサイズ毎などとしての記録単位毎に分割し、その各記録単位のオーディオデータを二次元バーコード画像パターンに変換する。
その二次元バーコード状の画像パターンを表示装置４１に表示させた場合、当該画像パターンを反映した物体光Ｌ４がホログラム材料３０に照射され、参照光Ｌ３との干渉縞によって該画像パターンを記録した線状のホログラム要素が形成される。即ちオーディオデータＤAの１つの記録単位がホログラム材料３０に記録されることになる。
そこで、図４（ａ）のようにオーディオデータＤAに基づく画像（＃１・・・＃ｘ）を順次、表示装置４１に表示させながら、ホログラム材料３０にホログラム要素を形成していくと、オーディオデータＤAを記録したホログラム記録媒体が形成できる。
【００４４】
本例では、以上のように記録を行ったホログラム材料３０をホログラムマスターメディア９１とする。そして、ホログラムマスターメディア９１からホログラムメモリ１を複製する。
図５に、上記のように作成されたホログラムマスターメディア９１から複製して形成されたホログラムメモリ１の様子を示している。
各ホログラム要素として記録されたデータは、人が視認できる画像としてホログラムメモリ１上にあらわれる。この場合、ホログラムメモリ１に対しては、或る方向に配置された光源からの光や、周囲の自然光等の外光が参照光となる。
上記図４（ａ）のような＃１・・・＃ｘの順序でオーディオデータＤAを記録していった場合、例えば図５のように、ホログラムメモリ１に対する各角度から、＃１〜＃ｘのオーディオデータＤAの画像パターンが視認できる。
【００４５】
このオーディオデータＤAによる画像パターンは、二次元バーコードのように、人が意味的にその内容を認識できる画像ではないが、そのオーディオデータＤAによる画像パターンについては、ホログラム再生装置５０が読み取ってデータ処理するものとされる。ホログラム再生装置５０は、図示する読取範囲θ０で、各画像をイメージセンサで読み取っていく。即ち＃１〜＃ｘのオーディオデータＤAの各画像パターンを、それぞれ読み取っていく。例えば再生装置のレンズ系の位置を順次移動させたり、或いは読み出しのための参照光の位置を順次移動させながら、各光像をイメージセンサで読み取っていく。そして各イメージパターンを各記録単位のデータにデコードする。そして各記録単位のデータからオーディオデータＤAとしてのストリームデータを生成する。
【００４６】
以上のようなホログラムメモリ１を複製形成するためのホログラムマスターメディア９１を作成するホログラムマスター製造装置、即ちホログラフィックステレオグラム作成システムについて説明する。
このホログラフィックステレオグラム作成システムは、物体光と参照光との干渉縞が記録されたフィルム状のホログラム材料３０をそのままホログラフィックステレオグラム（ホログラムマスターメディア９１）にする、いわゆるワンステップホログラフィックステレオグラムを作成するシステムである。
【００４７】
図６にホログラムマスター製造装置の構成を示す。このホログラムマスター製造装置は、図２のデータ変換ステップＳ１で生成されたマスターデータを入力するマスターデータ入力部１１と、マスターデータであるオーディオデータＤAとしての画像パターンを順次記録データＤRとして出力する記録データ生成部１３と、このシステム全体の制御を行う制御用コンピュータ１４と、ホログラフィックステレオグラム作成用の光学系を有するホログラフィックステレオグラムプリンタ装置１５とを備えている。
【００４８】
マスターデータ入力部１１は、データ変換ステップＳ１でオーディオコンテンツデータから生成された二次元画像データを入力し、これを記録データ生成部１３に受け渡す。即ち図４に示した＃１〜＃ｘとしての画像パターンデータを受け渡す。
【００４９】
記録データ生成部１３は、マスターデータ入力１１からの各オーディオデータＤAによる画像パターンを取り込み、＃１〜＃ｘの順序に、それぞれ所定タイミングで記録データＤRとして出力する。
即ち記録データ生成部１３は、ホログラム材料３０に対する記録時に、＃１〜＃ｘの順序の記録データＤR（オーディオデータＤAに基づく画像パターンのデータ）を順次、ホログラフィックステレオグラムプリンタ装置１５に送出するとともに、ホログラフィックステレオグラムプリンタ装置１５に記録データＤRを送出する毎に、データを送出したことを示すタイミング信号Ｓ１を制御用コンピュータ１４に送出する。
【００５０】
制御用コンピュータ１４は、記録データ生成部１３からのタイミング信号Ｓ１に基づいてホログラフィックステレオグラムプリンタ装置１５を駆動し、記録データ生成部１３から出力された記録データＤRに基づく画像を、ホログラフィックステレオグラムプリンタ装置１５内にセットされたホログラム材料３０に、短冊状の要素ホログラムとして順次記録する。
このとき、制御用コンピュータ１４は、後述するように、ホログラフィックステレオグラムプリンタ装置１５に設けられたシャッタ及び記録媒体送り機構等の制御を行う。すなわち、制御用コンピュータ１４は、ホログラフィックステレオグラムプリンタ装置１５に制御信号Ｓ２を送出して、シャッタの開閉や、記録媒体送り機構によるホログラム材料３０の送り動作等を制御する。
【００５１】
ホログラフィックステレオグラムプリンタ装置１５は、例えば図７に示す光学系を備える。なお、図７（ａ）は、ホログラフィックステレオグラムプリンタ装置１５全体の光学系を上方から見た図であり、図７（ｂ）は、ホログラフィックステレオグラムプリンタ装置１５の光学系の物体光用の部分を横方向から見た図である。
【００５２】
ホログラフィックステレオグラムプリンタ装置１５は、図７（ａ）に示すように、所定の波長のレーザ光を出射するレーザ光源３１と、レーザ光源３１からのレーザ光Ｌ１の光軸上に配されたシャッタ３２と、ハーフミラー３３とを備えている。シャッタ３２は、制御用コンピュータ１４によって制御され、ホログラム材料３０を露光しないときには閉じられ、ホログラム材料３０を露光するときに開放される。また、ハーフミラー３３は、シャッタ３２を通過してきたレーザ光Ｌ２を、参照光と物体光とに分離するためのものであり、ハーフミラー３３によって反射された光Ｌ３が参照光となり、ハーフミラー３３を透過した光Ｌ４が物体光となる。
【００５３】
ハーフミラー３３によって反射された光Ｌ３の光軸上には、参照光用の光学系として、シリンドリカルレンズ３４と、参照光を平行光とするためのコリメータレンズ３５と、コリメータレンズ３５からの平行光を反射する全反射ミラー３６とがこの順に配置されている。
そして、ハーフミラー３３によって反射された光は、先ず、シリンドリカルレンズ３４によって発散光とされる。次に、コリメータレンズ３５によって平行光とされる。その後、全反射ミラー３６によって反射され、ホログラム材料３０に参照光として入射する。
【００５４】
一方、ハーフミラー３３を透過した光Ｌ４の光軸上には、図７（ａ）及び図７（ｂ）に示すように、物体光用の光学系として、ハーフミラー３３からの透過光を反射する全反射ミラー３８と、凸レンズとピンホールを組み合わせたスペーシャルフィルタ３９と、物体光を平行光とするためのコリメータレンズ４０と、記録対象の画像を表示する表示装置４１と、物体光をホログラム用記録媒体３０上に集光させるシリンドリカルレンズ４２とがこの順に配置されている。
そして、ハーフミラー３３を透過した光Ｌ４は、全反射ミラー３８によって反射された後、スペーシャルフィルタ３９によって点光源からの拡散光とされる。次に、コリメータレンズ４０によって平行光とされ、その後、表示装置４１に入射する。ここで、表示装置４１は、例えば液晶パネルからなる透過型の画像表示装置であり、記録データ生成部１３から送られた記録データＤRに基づく画像を表示する。そして、表示装置４１を透過した光は、表示装置４１に表示された画像に応じて変調された後、シリンドリカルレンズ４２に入射する。
【００５５】
表示装置４１を透過した光は、シリンドリカルレンズ４２により横方向に集束され、この集束光が物体光としてホログラム用記録媒体３０に入射する。すなわち、このホログラフィックステレオグラムプリンタ装置１５では、表示装置４１からの投影光が短冊状の物体光としてホログラム用記録媒体３０に入射する。
【００５６】
ここで、参照光及び物体光は、参照光がホログラム材料３０の一方の主面に入射し、物体光がホログラム材料３０の他方の主面に入射するようにする。すなわち、ホログラム材料３０の一方の主面に、参照光を所定の入射角度にて入射させるとともに、ホログラム材料３０の他方の主面に、物体光をホログラム材料３０に対して光軸がほぼ垂直となるように入射させる。これにより、参照光と物体光とがホログラム材料３０上において干渉し、当該干渉によって生じる干渉縞が、ホログラム材料３０に屈折率の変化として記録される。
【００５７】
また、このホログラフィックステレオグラムプリンタ装置１５は、制御用コンピュータ１４の制御のもとに、ホログラム材料３０を間欠送りし得る記録媒体送り機構４３を備えている。この記録媒体送り機構４３は、記録媒体送り機構４３に所定の状態でセットされたフィルム状のホログラム材料３０に対して、記録データ生成部１３から出力された記録データＤRに基づく１つの画像が１つの要素ホログラムとして記録される毎に、制御用コンピュータ１４からの制御信号Ｓ２に基づいて、ホログラム材料３０を１要素ホログラム分だけ間欠送りする。これにより、記録データ生成部１３から出力される記録データＤRに基づく各画像、つまりオーディオデータＤAに基づく＃１〜＃ｘの画像パターンが、要素ホログラムとして、ホログラム材料３０に横方向に連続するように順次記録される。
【００５８】
以上のように、このホログラムマスター製造装置では、記録データ生成部１３から出力される記録データＤRに基づく複数の露光用画像が表示装置４１に順次表示されるとともに、各画像毎にシャッタ３２が開放され、各画像がそれぞれ短冊状の要素ホログラムとしてホログラム材料３０に順次記録される。このとき、ホログラム材料３０は、１画像毎に１要素ホログラム分だけ送られるので、各要素ホログラムは、横方向に連続して並ぶこととなる。これにより、画像データＤPとして、例えばオーディオデータＤAによる画像パターンが横方向に連続した複数の要素ホログラムとして記録される。
そして、このシステムでデータＤRの記録を行ったホログラム材料３０が、図２で説明したホログラムマスターメディア９１となる。
そのホログラムマスターメディア９１を用いて複製されたホログラムメモリ１が、図５で説明したホログラムメモリ１となり、例えばポスターや書籍等に貼付される。
【００５９】
［３．ホログラム再生装置（ダウンロード装置）構成］
続いて、図２のようにオーディオデータＤA等のコンテンツデータが二次元パターン画像の形態で記録されたホログラムメモリ１に対するホログラム再生装置５０を説明する。即ちこのホログラム再生装置５０は、ポスターや書籍等に貼付されたホログラムメモリ１からコンテンツデータをダウンロードするダウンロード装置である。
【００６０】
図８（ａ）（ｂ）は、それぞれホログラム再生装置５０の外観例を示している。
ホログラム再生装置５０は、例えばユーザーが携帯可能な小型の筐体で構成され、筐体上にユーザーインターフェースのための表示部５１や操作部５２が設けられる。
ホログラムメモリ１に対するデータ読取のためには、例えば筐体の一側面に、撮像レンズ系５３や読取のための参照光を照射する発光素子（ＬＥＤ）５４が設けられる。
図２に示したように、ホログラム再生装置５０はホログラムメモリ１に対して読取範囲θ０の読取スキャンを行う。このため、例えば図８（ａ）の場合は、発光素子５４の位置は固定されるが、レンズ移動部５３ａとして、撮像レンズ系５３の位置を移動させる機構が設けられている。また例えば図８（ｂ）は、撮像レンズ系５３は固定されるが、発光素子５４の位置を移動させる発光素子移動部５４ａが設けられている。
読取時のスキャン動作の例については後述する。
【００６１】
図９によりホログラム再生装置５０の構成を説明する。
図９においてシステムコントローラ６１は、例えばマイクロコンピュータにより形成され、ホログラムメモリ１からのオーディオデータＤAの読取のための動作を実行するために各部を制御する。
またシステムコントローラ６１は操作部５２の操作情報を監視し、ユーザーの操作に応じて必要な制御を行う。またシステムコントローラ６１は、表示部５１を制御してユーザーに提示する各種の情報の表示を実行させる。
【００６２】
読取機構部５６は、撮像レンズ系５３、イメージャ５５，発光素子５４、スキャン機構７４を有する。撮像レンズ系５３は、１又は複数のレンズにより構成される光学系である。１枚の撮像レンズ、或いは撮像レンズとフォーカスレンズ等を備えた複数のレンズにより構成され、ホログラムメモリ１からの再生像光をイメージ５５に導く。イメージャ５５は、例えばＣＭＯＳイメージセンサやＣＣＤイメージセンサ等の固体撮像素子アレイによって構成され、撮像レンズ系５３により入射した再生像の光を受光し、電気信号に変換する。
【００６３】
例えばＬＥＤによる発光素子５４は、発光駆動回路７５によって発光される。発光駆動回路７５は、当該ホログラム再生装置５０によってホログラムメモリ１の再生を行う場合に、システムコントローラ６１の指示によって発光素子５４を発光駆動する。
スキャン機構７４は、例えば図８（ａ）のように設けられているレンズ移動部５３ａ内で、レンズ系５３（レンズ系５３とイメージャ５５）を移動させる機構である。或いは図８（ｂ）のように設けられている発光素子移動部５４ａ内で発光素子５４を移動させる機構である。
【００６４】
カメラメカ制御部６７は、ホログラムメモリ１の再生を行う際に、システムコントローラ６１の指示に応じて読取機構部５６を駆動制御する。例えばレンズ系５３におけるフォーカス制御や、スキャン機構７４の動作を制御する。
【００６５】
転送制御／信号処理部６２は、イメージャ５５の動作を制御すると共に、イメージャ５５によって得られる信号の処理を行う。
即ち転送制御／信号処理部６２は、イメージャ５５に対して転送タイミング信号、転送アドレス信号等を供給して、撮像信号としての固体撮像素子アレイで得られる信号を順次転送出力させる。そしてイメージャ５５から転送されたきた撮像信号について、サンプリング処理、ＡＧＣ処理、Ａ／Ｄ変換処理等を施し、撮像データとして出力する。
【００６６】
転送制御／信号処理部６２から出力される撮像データは、メモリコントローラ６３の制御によってＤＲＡＭ６４に蓄積される。
ＤＲＡＭ６４に蓄積された撮像データに関する信号処理系として、光学補正部６８、幾何歪み補正部６９、二値化部７０、データ処理部７１が設けられる。またこれらの各部の処理結果や処理に必要な情報についてのシステムコントローラ６１とのやりとりにＳＲＡＭ７２が用いられる。
また、フラッシュメモリ６５には、例えば上記各部での信号処理に必要な設定値、係数、その他必要な情報が記憶される。また後述する使用許可情報、暗号解読キーなどがフラッシュメモリ６５に記録されるようにしてもよい。
【００６７】
光学補正部６８は、イメージャ５５によって得られる撮像データについて光学的な原因によるデータ値の変動を補正する処理を行う。
幾何歪み補正部６９は、撮像データとして取り込まれた再生像に生じている幾何的な歪みを補正する処理を行う。
二値化部７０は、イメージャ５５によって得られる階調のある撮像データを白黒の二値に変換する処理を行う。ホログラムメモリ１から読み取るべきデータは、二次元パターン化されたオーディオデータＤAであり、二次元画像パターンは、オーディオデータＤAを白黒の二値のデータに変換した上で画像パターンにしたものであるからである。
【００６８】
データ処理部７１は、二次元の画像パターンとして二値化された撮像データについて、デコード処理を行い、オーディオデータを得る。
即ち、１枚の二次元画像パターンとしての撮像データから、図３に示したような１つのデータブロックとしてのデータ列を生成する。
データ処理部７１は、ＤＲＡＭ６４に蓄積された各二次元画像パターンの撮像データについて、それぞれデータブロックとしてのデータ列を生成していき、各データブロックから抽出されたオーディオデータＤAに基づいて、元のオーディオストリームデータを生成していく。
この場合において、データブロックが図３（ｂ）のようにエラー訂正コードが含まれているのであれば、データ処理部７１はオーディオデータのエラー訂正処理を行うことになる。
また、データ処理部７１は、データブロックから抽出したオーディオデータＤAについて、必要に応じて、圧縮処理や圧縮に対する伸長処理、送信用又は記録用のエンコード処理、或いは暗号化に対するデコード処理等を行う。
【００６９】
データ処理部７１で得られたオーディオデータＤAとしてのオーディオストリームデータは、外部インターフェース６６を介して外部機器１００、例えばパーソナルコンピュータやオーディオシステム等の装置に、ホログラムメモリ１からの再生データとして転送することができる。外部インターフェース６６は例えばＵＳＢインターフェース等が想定される。もちろん外部インターフェース６６はＵＳＢ以外の規格のインターフェースでもよい。
ユーザーは外部機器１００側で取り込んだオーディオデータを再生させることで、オーディオ再生を楽しむことができる。
【００７０】
またデータ処理部７１で得られたオーディオデータＤAとしてのオーディオストリームデータは、メディアドライブ７３に供給されて二次記録メディア９０に記録することができる。またヘッダに含まれるコンテンツＩＤ等の情報もオーディオデータＤAとともに二次記録メディア９０に記録される。
【００７１】
二次記録メディア９０は、例えば光ディスク、光磁気ディスク等とされる。例えばＣＤ（Compact Disc：商標）方式、ＤＶＤ（Digital Versatile Disc：商標）方式、ブルーレイディスク（Blu-ray Disc：商標）方式、ＭＤ（Mini Disc：商標）方式などの各種方式の記録可能型のディスクが記録メディア９０として考えられる。これらのディスクが記録メディア９０とされる場合、メディアドライブ７３は、ディスク種別に対応したエンコード処理、エラー訂正コード処理、或いは必要であれば圧縮処理等を施して、オーディオデータをディスクに記録する。
また二次記録メディア９０としてハードディスクも想定され、その場合、メディアドライブ７３は、いわゆるＨＤＤ（ハードディスクドライブ）として構成される。
さらに二次記録メディア９０は、固体メモリを内蔵した可搬性のメモリカード、或いは内蔵型固体メモリとしても実現でき、その場合メディアドライブ７３は、メモリカード或いは内蔵型固体メモリに対する記録装置部として構成され、必要な信号処理を行ってオーディオデータ記録を行う。内蔵型固体メモリとしては、フラッシュメモリ等の不揮発性メモリだけでなく、ＤＲＡＭ等の揮発性メモリも想定される。
【００７２】
二次記録メディア９０に記録されたオーディオデータＤA、即ちホログラムメモリ１からダウンロードしたコンテンツデータは、メディアドライブ７３が二次記録メディア９０から読み出し、上記の外部インターフェース６６により外部機器１００に送信することができる。
さらに上記のＣＤ、ＤＶＤ、ブルーレイディスク、ＭＤ、メモリカード等の可搬性の記録メディア９０に記録した場合は、その記録メディア９０を外部機器で再生させることで、ユーザーはホログラムメモリ１から読み出した音楽等を聞くことができる。
【００７３】
またこのホログラム再生装置５０自体で再生出力することもできるように、再生処理部７６、Ｄ／Ａ変換器７７、アナログオーディオ処理部７８が設けられている。
再生処理部７６は、二次記録メディア９０に記録したオーディオデータをメディアドライブ７３で読み出した際に、その読み出したオーディオデータをデコードする。例えば記録メディア９０における圧縮方式のデコードを行ったり、また記録メディア９０において暗号化状態でオーディオデータが記録されている場合は、その暗号解読のための復号処理等を行う。
例えば再生処理部７６でリニアＰＣＭオーディオデータの状態にまでデコードされたオーディオデータは、Ｄ／Ａ変換器７７でアナログ音声信号に変換され、アナログオーディオ処理部７８で増幅、ゲイン調整、インピーダンス調整等の処理が施された後、スピーカ部或いは接続されたヘッドホン等に供給されて再生音声として出力される。
これによりユーザーは、ダウンロードしたオーディオコンテンツを、ホログラム再生装置５０によって再生させ、音楽等を楽しむことができる。
【００７４】
なお、この図９の例のホログラム再生装置５０における、本発明請求項でいうダウンロード装置の構成要件に相当する部位は次のようになる。
発光素子５４及び発光駆動回路７５が参照光出力手段として機能する。
読取機構部５６、転送制御／信号処理部６２が検出手段として機能する。
データ処理手段７１が再生処理手段として機能する。
メディアドライブ７３が、二次記録媒体に対する記録手段として機能する。
メディアドライブ７３，再生処理部７６，Ｄ／Ａ変換器７７，アナログオーディオ処理部７８が、コンテンツデータを再生出力する再生出力手段として機能する。
外部インターフェース６６が、コンテンツデータを外部機器に送信する送信手段として機能する。
データ処理部７１もしくは再生処理部７６が、暗号解読手段として機能する。
【００７５】
図８，図９のような構成のホログラム再生装置５０によってホログラムメモリ１からデータを読み取る際の動作例について説明する。
図６，図７では、記録時には参照光の角度を固定して、ＨＰＯ（Horizontal Parallax Only）の光学系で様々な画像を記録する方式を説明したが、このような記録を行った場合は、基本的には再生時には参照光の角度を固定し、イメージャの角度を変化させることが望ましい。
図１０は、ホログラム再生装置５０においてレンズ系５３とイメージャ５５の角度を変化させる読取方式を示している。即ち図８（ａ）のようにレンズ移動部５３ａを備えたホログラム再生装置５０において、このレンズ移動部５３ａの移動可能範囲で、レンズ系５３とイメージャ５５を一体的に移動させる移動ユニット８０を形成する。そして、この移動ユニットを、図９に示したスキャン機構７４によって図１０に示すように回転方向に移動させて、ホログラムメモリ１に対する撮像方向の角度を変化させる。読取のための参照光Ｌ５を出力する発光素子５４は固定位置である。
つまりユーザーがホログラムメモリ１に対してホログラム再生装置５０を対向させた状態で読取を指示する操作を行ったら、システムコントローラ６１がカメラメカ制御部６７に指示してスキャン機構７４を駆動させ、移動ユニットを回転移動させる。このときにイメージャ５５によって順次得られる再生像の撮像データとして、図５の＃１〜＃ｘの撮像データが得られることになり、上記のようにホログラム再生装置５０内でオーディオデータＤAを得る。
【００７６】
また、移動ユニット８０を回転方向に移動させるのではなく、図１１に示すように、移動ユニット８０を平行移動させるように構成しても良い。
このように平行移動で再生像を取り込むようにすれば、移動ユニット８０の移動機構を簡単な構成とすることができる。但し、再生像に歪みが生じやすいという点があり、十分な歪み補正等の処理が必要となる。
また、図１２のように、イメージャ５５のサイズが十分に大きい場合には、撮像レンズ系５３のみを移動させる構成も考えられる。
【００７７】
また図８（ｂ）のような構成として撮像レンズ系５３側は固定とし、発光素子移動部５４ａにおいて発光素子をホログラムメモリ１に対して回転移動させることで、図１３に示すように、ホログラムメモリ１に対して照射する読み取り用の参照光Ｌ５の角度を変化させるようにしてもよい。
【００７８】
［４．ダウンロードされるコンテンツデータ］
続いて、本例のダウンロードシステムでダウンロードされるコンテンツデータについて説明する。
ここまでコンテンツデータの例として、オーディオコンテンツデータを例に挙げてきたが、もちろんオーディオコンテンツデータ以外のコンテンツデータも、多様に考えられる。
例えばビデオクリップなどの動画映像データ、写真画像等の静止画像としてのスチル画像データなどをダウンロードするシステムとしてもよい。
また小説、随筆、論文、説明文、広告宣伝その他のテキストデータも本例でいうダウンロード対象のコンテンツデータとして採用できるし、コンピュータプログラムやアプリケーションプログラムなども、本例のダウンロード対象のコンテンツデータとすることができる。
【００７９】
即ち本例のコンテンツダウンロードシステムは、コンテンツデータの種類にかかわらず、ユーザーに提供する各種のデータをホログラムメモリ１に記録し、これをホログラム再生装置５０を用いてユーザーに提供できるシステムとすることができる。
そして、例えば動画又は静止画データやテキストデータをダウンロードコンテンツとする場合には、それに対応してホログラム再生装置５０において、それらダウンロードデータ内容を表示部５１に表示出力する構成を採ることも考えられる。
【００８０】
また、ダウンロードによるコンテンツ提供の目的としては、コンテンツデータの販売としてもよいし、コンテンツの紹介や各種の宣伝を目的としても良い。
例えば本例のコンテンツダウンロードシステムを、音楽コンテンツ、映像コンテンツ、テキストコンテンツ、プログラムコンテンツ等をユーザーに販売するシステムとして用いる場合は、ユーザーに対する課金システムが機能するようにすればよい。
もちろんユーザーに無償でコンテンツデータを提供するシステムとすることもできる。
また有償、無償にかかわらず、例えば一定の資格を有する人のみがダウンロードしてコンテンツデータを利用できるようにすることも考えられる。例えば教材としてのコンテンツデータを、特定の学校の職員や生徒のみが利用できるようにしたり、会社の業務資料としてのコンテンツデータを、その会社の社員のみが利用できるようにするなどである。ここでいう利用とは、ダウンロードしたコンテンツデータの再生や、他の機器へ転送することなどである。
【００８１】
また紹介、宣伝用のシステムとする場合、例えば音楽コンテンツの一部、動画コンテンツの一部等をホログラムメモリ１に記録し、それをユーザーがダウンロードして再生できるようにすることで、例えばパッケージメディア５として販売しようとするコンテンツデータの紹介、宣伝が可能となる。
或いは、或る物品の販売のための広告として、その物品の紹介、宣伝、説明等のためのテキストデータ、画像データ、音声データ等のコンテンツをダウンロード可能とすれば、本例のコンテンツダウンロードシステムは広告宣伝用のシステムとして機能する。
【００８２】
ホログラムメモリ１に記録されるコンテンツデータは、これらの目的に沿ったものとされればよい。
特にコンテンツ自体の販売目的であれば、高品質なコンテンツデータをホログラムメモリ１に記録する。例えば高音質な音楽コンテンツを記録して、これをユーザーが有料でダウンロードできるようにする。
一方、紹介用であれば、低品質なデータや、一部のデータをホログラムメモリ１に記録する。例えば品質を落とした音楽コンテンツや、曲の一部分のみとした音楽コンテンツをダウンロードさせるようにし、ユーザーが、そのコンテンツの内容を確認できるようにすればよい。また、機能を制限したコンピュータソフトウェアプログラムとしてのコンテンツとし、ユーザーがそのソフトウェアプログラムを購入前に試用できるようにしてもよい。
【００８３】
［５．コンテンツデータの記録態様］
上記のようにコンテンツダウンロードシステムの実用上の目的は各種考えられるが、それに応じてコンテンツデータの記録態様が決定されればよい。
特に有料のダウンロードシステムとする場合は、コンテンツデータを暗号化処理したり、使用制限フラグを設けてホログラム再生装置５０においてダウンロードしてもそのままでは使用できないようにすることが考えられる。
【００８４】
図１４に、ホログラムメモリ１に記録されるコンテンツデータの形式と、ホログラム再生装置５０に取り込まれたときの処理や二次記録メディア９０での記録形式、さらには使用時、即ちホログラム再生装置５０での再生時や外部機器１００への送信時の処理の例を示している。
なお、図１４（ａ）〜（ｅ）の各例では、ホログラム再生装置５０がホログラムメモリ１からダウンロードしたコンテンツデータを一旦、二次記録メディア９０に記録するものとして示しているが、二次記録メディア９０に記録しないで再生／送信時処理を行う場合もあり得る。
【００８５】
図１４（ａ）は、ホログラムメモリ１に非暗号化状態でコンテンツデータを記録する例である。つまり図２のデータ変換ステップＳ２で暗号化処理を行わない場合である。この場合、ホログラム再生装置５０でホログラムメモリ１からダウンロードしたコンテンツデータを二次記録メディア９０に記録すれば、二次記録メディア９０でも非暗号化コンテンツデータが記録されることになる。二次記録メディア９０において非暗号化状態でコンテンツデータが記録されていることから、ホログラム再生装置５０は、そのコンテンツデータの再生出力や外部機器１００への送信を自由に行うことができる。
この図１４（ａ）の例は、無料のコンテンツダウンロードシステムとして好適な例である。ところでこの場合、ダウンロード対象のコンテンツデータにコンテンツＩＤを付加することは必ずしも必要ではない。即ち図２の基本データ生成ステップＳ１−２で生成する基本データには、必ずしもコンテンツＩＤが含まれていなくても良い。
なお、ダウンロードシステム上の課金や使用制限以外の目的で、ホログラム再生装置５０側で暗号化等を行うことは任意である。例えば外部機器１００への送信時に、暗号化処理を行って送信することは考えられる。
【００８６】
図１４（ｂ）は、ホログラムメモリ１に暗号化状態でコンテンツデータを記録する例である。つまり図２のデータ変換ステップＳ２で暗号化処理を行う場合である。この場合、ホログラム再生装置５０でホログラムメモリ１からダウンロードしたコンテンツデータを二次記録メディア９０に記録すれば、二次記録メディア９０でも暗号化コンテンツデータが記録されることになる。二次記録メディア９０において暗号化状態でコンテンツデータが記録されていることから、ホログラム再生装置５０は、そのコンテンツデータをそのまま再生出力したり、外部機器１００へそのまま転送して再生させることはできない。このため、後述するが、図１に示したコンテンツ使用管理システム６から使用許可情報を入手することが必要となる。ホログラム再生装置５０では二次記録メディア９０から読み出したコンテンツデータについては、再生時に使用許可情報に含まれている暗号解読キーを用いて、暗号解読処理を行う。即ち再生処理部７６もしくはデータ処理部７１で非暗号化デコードを行って暗号解読されたコンテンツデータを得る。この時点で、コンテンツデータを再生出力したり、或いは外部機器１００に転送して再生させることが可能となる。
この図１４（ｂ）の例は、有料のダウンロードシステムとする場合や、有料又は無料で特定の資格を有するユーザーのみにコンテンツデータを提供するシステムとする場合に好適な例である。
【００８７】
図１４（ｃ）も、ホログラムメモリ１に暗号化状態でコンテンツデータを記録する例である。つまり図２のデータ変換ステップＳ２で暗号化処理を行う場合である。この場合、ホログラム再生装置５０でホログラムメモリ１からダウンロードしたコンテンツデータを、非暗号化デコードして二次記録メディア９０に記録する。ホログラム再生装置５０は、コンテンツ使用管理システム６から入手した使用許可情報に含まれている暗号解読キーを用いて、ホログラムメモリ１から取り込んだ暗号化コンテンツデータに対する暗号解読処理を、データ処理部７１で行う。そして暗号解読したコンテンツデータを二次記録メディア９０に記録する。二次記録メディア９０上では非暗号化コンテンツデータが記録されるため、その後、二次記録メディア９０から読み出したコンテンツデータを再生したり、外部機器１００に転送して再生させたりすることができる。
この図１４（ｃ）の例も、有料のダウンロードシステムとする場合や、有料又は無料で特定の資格を有するユーザーのみにコンテンツデータを提供するシステムとする場合に好適な例である。
【００８８】
図１４（ｄ）は、ホログラムメモリ１に一部分が暗号化されたコンテンツデータを記録する例である。つまり図２のデータ変換ステップＳ２で暗号化処理では、コンテンツデータの一部分のみ、例えば音楽データであればサビの部分のみ暗号化するなどの例である。
この場合、ホログラム再生装置５０でホログラムメモリ１からダウンロードしたコンテンツデータを二次記録メディア９０に記録すれば、二次記録メディア９０でも一部が暗号化されたコンテンツデータが記録される。二次記録メディア９０において一部暗号化状態でコンテンツデータが記録されていることから、ホログラム再生装置５０は、そのコンテンツデータについては、暗号化されていない部分のみについては、そのまま再生出力したり、外部機器１００へそのまま転送して再生させることができる。暗号化部分を含めたコンテンツ全体を再生させるためには、コンテンツ使用管理システム６から使用許可情報を入手することが必要となる。ホログラム再生装置５０では二次記録メディア９０から読み出したコンテンツデータについては、再生時に使用許可情報に含まれている暗号解読キーを用いて、暗号解読処理は再生処理部７６もしくはデータ処理部７１で非暗号化デコードを行って全てが非暗号化状態となったコンテンツデータを得る。この時点で、コンテンツデータを再生出力したり、或いは外部機器１００に転送して再生させることが可能となる。
この図１４（ｃ）の例も、有料のダウンロードシステムとする場合や、有料又は無料で特定の資格を有するユーザーのみにコンテンツデータを提供するシステムとする場合に好適な例であるが、コンテンツの一部は再生可能であるため、課金等を行う前にユーザーがコンテンツデータの一部を試聴したり見て確認することができるシステムとすることができる。
なおこのように一部暗号化コンテンツデータをホログラムメモリ１に記録する場合でも、図１４（ｃ）のようにダウンロード時に非暗号化デコードすることも考えられる。例えば予め課金契約をして暗号解読キーを入手しているユーザーや、特定の再生資格所有者は、二次記録メディア９０に全体が非暗号化デコードされたコンテンツデータを記録できるようにするが、それ以外のユーザーは、課金処理等を行わなければ一部が暗号化のまま二次記録メディア９０に記録され、一部しか再生できないようにするシステムとする例である。
【００８９】
図１４（ｅ）は、ホログラムメモリ１に使用制限フラグ情報が付加されたコンテンツデータを記録する例である。例えば図２のデータ変換ステップＳ２において、基本データ生成ステップＳ２−２もしくはデータ処理ステップＳ１−３で、コンテンツデータの暗号化は行わないが、ヘッダ情報等に使用制限フラグ情報を付加する。この使用制限フラグ情報は、ホログラム再生装置５０側で、システムコントローラ６１が、その使用制限フラグが解除されていない限りそのコンテンツデータを再生禁止と判断する情報である。
この場合、ホログラム再生装置５０でホログラムメモリ１からダウンロードしたコンテンツデータを二次記録メディア９０に記録すれば、二次記録メディア９０でも使用制限フラグ情報が付加されたコンテンツデータが記録される。
二次記録メディア９０に記録されたコンテンツデータについては、システムコントローラ６１は、その使用制限フラグが解除されない限り再生禁止と判断し、ユーザーの操作に応じた再生動作は実行させない。再生させるには、コンテンツ使用管理システム６から使用許可情報を入手することが必要となる。使用許可情報にはコンテンツＩＤに対応した使用制限解除情報が含まれており、その使用制限解除情報は、コンテンツＩＤに対応して例えばフラッシュメモリ６５等に記憶されるものとする。
ユーザーがコンテンツデータの再生出力を指示する操作を行った場合、システムコントローラ６１は、そのコンテンツデータのコンテンツＩＤに基づいて使用制限解除情報が既に入手されているかを判断し、入手されていれば（例えばフラッシュメモリ６５にコンテンツＩＤに対応して使用制限解除情報が記憶されていれば）、使用制限は解除されたとして再生出力処理を行う。コンテンツＩＤに対応した使用制限解除情報が入手されていなければ、再生出力処理は実行しないようにする。外部機器１００への送信処理についても同様とする。
従って、上述の暗号化の場合と同様に、課金等により使用許可情報を入手したユーザーのみ、ダウンロードしたコンテンツデータの使用が可能となるため、この図１４（ｅ）の例も、有料のダウンロードシステムとする場合や、有料又は無料で特定の資格を有するユーザーのみにコンテンツデータを提供するシステムとする場合に好適な例である。
なおこのように使用制限フラグ情報を付加したコンテンツデータをホログラムメモリ１に記録する場合、ダウンロード時に、既にそのダウンロードするコンテンツＩＤに対応した使用制限解除情報を入手していれば、使用制限フラグ情報を消去して二次記録メディア９０に記録するような例も考えられる。
【００９０】
以上、暗号化、非暗号化、使用制限フラグ情報の有無等のコンテンツデータの記録形式例を述べたが、他にも各種の形式が考えられる。例えば使用制限フラグ情報の付加と暗号化の両方を行ったコンテンツデータをホログラムメモリ１に記録するようにしてもよい。また、コンテンツデータの一部については使用制限フラグ情報を付加し、他の部分は使用制限しないで、例えば試聴等が可能とする例も考えられる。さらには、コンテンツデータの一部を暗号化、他の部分を非暗号化状態として上で、全体或いは一部についての使用制限フラグ情報を付加するなどの例も考えられる。
【００９１】
また、時限的な使用制限も考えられる。例えば使用制限フラグ情報はダウンロード後３０日など、所定の期間経過で有効となるようものとする。ホログラム再生装置５０のシステムコントローラ６１はダウンロードコンテンツデータを二次記録メディア９０に記録する際に、そのダウンロード日時がコンテンツデータのヘッダ等に含まれるようにするか、或いはフラッシュメモリ６５にコンテンツＩＤに対応させてダウンロード日時を登録しておく。そしてダウンロード日時から所定の期間は使用制限フラグ情報にかかわらず再生を許可するが、期間経過後は再生禁止とし、使用許可情報によって使用制限を解除しなければ再生できないようにする例である。
さらには、使用制限フラグ情報が付加されたコンテンツデータについて使用回数を限定して再生を許可することも考えられる。即ちシステムコントローラ６１は、コンテンツデータが再生される毎に再生回数をカウントしてフラッシュメモリ６５に記憶しておく。そして所定回数の再生を行った後は再生禁止とし、使用許可情報によって使用制限を解除しなければ再生できないようにする例である。
これらの時限的な使用制限や、回数的な使用制限により、例えばユーザーにコンテンツデータの購入判断のための試用期間を設定すること等が可能となる。
【００９２】
［６．ダウンロードコンテンツの使用許可］
続いて、暗号化や使用制限フラグ情報によって、ダウンロードコンテンツをそのままでは使用できないようにする場合、例えば有料のシステムとする場合などにおける使用許可の手法について述べる。
【００９３】
基本的にはホログラム再生装置５０のユーザーは、何らかの手法でダウンロードしたコンテンツデータについての使用要求情報をコンテンツ使用管理システム６に送信し、コンテンツ使用管理システム６から使用許可情報を受け取る。
或いはダウンロードサービスを受けたい場合に、予め使用要求情報をコンテンツ使用管理システム６に送信し、コンテンツ使用管理システム６から使用許可情報を受け取る。
そして使用許可情報がホログラム再生装置５０に入力された状態とすることで、上述した非暗号化デコードや使用制限フラグ情報の解除が実行でき、ダウンロードしたコンテンツデータの使用が可能となる。
【００９４】
ユーザーがコンテンツ使用管理システム６に送信する使用要求情報には、例えばユーザーＩＤ、ホログラム再生装置５０の機器ＩＤ、コンテンツＩＤなどが含まれるようにする。
一方、コンテンツ使用管理システム６がユーザーに対して発行する使用許可情報には、例えば許可するユーザ或いはホログラム再生装置５０を特定するためのユーザーＩＤや機器ＩＤ、許可するコンテンツを特定するためのコンテンツＩＤ等に加え、暗号解読キーや使用制限解除情報などが含まれるものとする。
【００９５】
図１５に、ホログラム再生装置５０とコンテンツ使用管理システム６の間の通信例を示す。
ここでは、コンテンツの有料ダウンロードサービスを行うためにコンテンツ使用管理システム６が設けられるとし、まずその場合のコンテンツ使用管理システム６の構成例を説明する。コンテンツ使用管理システム６は、管理サーバ３１、コンテンツ情報データベース３２、ユーザー情報データベース３３、課金処理システム３４を備える。
【００９６】
管理サーバ３１は、ユーザーの所持するホログラム再生装置５０との間の通信処理や、コンテンツ情報データベース３２及びユーザー情報データベース３３の管理、さらには課金処理システム３４への指示を行う。
コンテンツ情報データベース３２は、例えばホログラムメモリ１によりユーザーに提供可能とされている各種のコンテンツについての情報を保持する。例えば個々のコンテンツについての付与されているコンテンツＩＤに対応して、そのコンテンツのダウンロード料金情報、著作権者、製造者、コンテンツホルダー等の権利者情報、暗号化情報、コンテンツ内容に関する情報などがデータベース化されて記憶されている。
ユーザー情報データベース３３には、例えばユーザーとのダウンロードサービス契約によってユーザーから提示されたユーザー情報が記録されている。例えばユーザーＩＤ、住所氏名等のユーザー特定情報、ホログラム再生装置５０を特定する機器固有の機器ＩＤ、ユーザーに対する課金処理のための銀行口座やクレジットカードナンバや支払い方法が、個々のユーザーに対して記録されてデータベース化されている。さらには課金処理形態によってはユーザーの所持する携帯電話番号、インターネットプロバイダとの契約番号などが記録されていても良い。例えばユーザーの電話料金等にコンテンツのダウンロード料金を含ませてユーザに請求するような場合である。
またユーザーのダウンロード履歴、例えばダウンロードしたコンテンツのコンテンツＩＤやその日時、料金等も逐次追加記録されていく。
ユーザーは、ダウンロードサービスを受けたい場合は、予め契約により、ユーザーに関する情報をコンテンツ使用管理システム６に提示する。コンテンツ使用管理システム６は、契約を行ったユーザーに対してユーザーＩＤを付与するとともに、そのユーザーの情報をユーザー情報データベース３３に登録する。
【００９７】
課金処理システム３４は、ユーザーに対する課金処理や権利者への料金支払いの処理を行う。例えばユーザーに対する課金処理としては、ユーザーの銀行口座に対する自動引き落とし処理や、クレジットカードによる支払請求処理、或いはユーザーが契約する電話業者等への課金依頼処理等を行う。一方、コンテンツホルダ、著作権者（或いは著作権管理団体）、コンテンツ提供媒体製造者等に対して送金処理を行う。
【００９８】
このようなコンテンツ使用管理システム６に対して、ユーザーは、例えばホログラム再生装置５０から通信を行って、コンテンツの料金支払い手続を行い、コンテンツを使用可能とする。この流れの一例を説明する。
ここでは、例えばホログラム再生装置５０は通信部７９を備え、直接コンテンツ使用管理システム６との間が通信可能に構成されている例とする。即ち図９の構成に加えて通信部７９を備え、ユーザーの送信操作に応じてシステムコントローラ６１が使用要求情報を通信部７９から送信できるようにした場合である。
【００９９】
ユーザーがホログラム再生装置５０を用いてホログラムメモリ１からコンテンツデータをダウンロードさせた場合、ホログラム再生装置５０は例えば上記図１４（ｂ）の形式で暗号化コンテンツデータを二次記録メディア９０に記録するとする。
この場合、ユーザーは使用要求情報を送信する操作を操作部５２から行う。するとシステムコントローラ６１は、例えばユーザーＩＤ、機器ＩＤ、コンテンツＩＤを含む使用要求情報を通信部７９かたコンテンツ使用管理システム６に送信させる。
ユーザーＩＤはダウンロードサービス契約によりユーザーに付与されるもので、例えばユーザはそのユーザーＩＤをホログラム再生装置５０に入力し、ホログラム再生装置５０においてはフラッシュメモリ６５等に記憶されるようにしておく。もちろん通信部７９を備える場合は、契約時のコンテンツ使用管理システム６との通信によってユーザーＩＤがホログラム再生装置５０に送信され、ホログラム再生装置５０が自動的にユーザーＩＤをフラッシュメモリ６５に記憶するようにしてもよい。
また機器ＩＤは、ホログラム再生装置５０の製造時に付与され、フラッシュメモリ６５に格納したシリアルナンバ等を用いればよい。
使用要求情報の送信の際、システムコントローラ６１は、フラッシュメモリ６５からユーザーＩＤや機器ＩＤを読み出し、またダウンロードしたコンテンツデータに付与されているコンテンツＩＤを読み出して、使用要求情報を生成し、通信部７９から送信させる。
【０１００】
使用要求情報を受信したコンテンツ使用管理システム６では、管理サーバ３１がユーザーＩＤに基づいてユーザー情報データベース３３を検索し、ユーザーを特定するとともに、コンテンツＩＤに基づいてコンテンツ情報データベース３２を検索して、ユーザーが購入を求めたコンテンツデータを特定する。そして適正にユーザー及びコンテンツデータが特定できたら、管理サーバ３１は、課金処理システム３４に対して、当該ユーザーに対するコンテンツデータ購入代金の課金処理を指示する。課金処理システム３４は指示に応じて当該ユーザーに対する課金処理を行うとともに、権利者への送金処理を行う。
そして管理サーバー３１は、使用許可情報をホログラム再生装置５０に送信する。使用許可情報には、ユーザーＩＤ、機器ＩＤと共に、使用を許可するコンテンツデータを特定させるためのコンテンツＩＤを含み、またそのコンテンツデータの暗号解読キーを含むものとする。
ホログラム再生装置５０側では、使用許可情報を通信部７９で受信したら、システムコントローラ６１は、そのコンテンツＩＤと暗号解読キーを対応させて例えばフラッシュメモリ６５等に記憶する。以降は、当該コンテンツデータの再生や送信の際には、暗号解読キーを用いて非暗号化デコードを実行することができ、ユーザーは自由に当該コンテンツデータを使用できることになる。
【０１０１】
なお、以上の使用処理の流れは一例であり、他にも多様な方式が考えられる。例えばシステム上で、コンテンツデータの暗号解読キーを統一しておく。そして、ユーザーとの契約時に暗号解読キーをホログラム再生装置５０側に送信しておくようにする。つまり暗号解読キーを含む包括的な使用許可情報を予めホログラム再生装置５０に送信しておく。すると、図１４（ｃ）のようにダウンロード時に非暗号化デコードを行うことができる。そのような場合、システムコントローラ６１は、ダウンロードが行われるたびに、ユーザーＩＤ、機器ＩＤ、ダウンロードしたコンテンツデータのコンテンツＩＤを通信部７９からコンテンツ使用管理システム６に送信するようにし、コンテンツ使用管理システム６は、受信した情報に応じて、該当ユーザーに対する課金処理を行うようにすればよい。
また、図１４（ｅ）で説明したような形式の場合は、コンテンツ使用管理システム６は暗号解読キーではなく使用制限解除情報を含む使用許可情報をホログラム再生装置５０に送信することになる。
【０１０２】
ところで図１５の例では、ホログラム再生装置５０に通信部７９が備えられる場合を示したが、必ずしもホログラム再生装置５０が通信機能を備えなくても良い。
図１６（ａ）（ｂ）に例を示す。
図１６（ａ）の例は、例えばユーザーはコンテンツ使用管理システム６に対してコンテンツの使用を求める場合に、携帯電話機１０１等の電話装置とホログラム再生装置５０を接続する。そして携帯電話機１０１による通信機能を利用して、管理サーバ３１との間の使用要求情報、使用許可情報の送受信を行うようにする。
また、図１６（ｂ）の例は、例えばユーザーはコンテンツ使用管理システム６に対してコンテンツの使用を求める場合に、パーソナルコンピュータ１０２等のネットワーク通信可能な機器とホログラム再生装置５０を接続する。そしてインターネット等のネットワーク１１０を介して、管理サーバ３１との間の使用要求情報、使用許可情報の送受信を行うようにする。
この図１６（ａ）（ｂ）のように、ホログラム再生装置５０が外部機器の通信機能を利用してコンテンツ使用管理システム６との間の通信を行うようにしてもよい。特にこのように携帯電話機１０１やパーソナルコンピュータ１０２を利用する場合、ユーザーに対するコンテンツデータ代金の課金処理は、携帯電話使用料やインターネット利用料などに加算することも好適である。
【０１０３】
さらには、携帯電話機１０１やパーソナルコンピュータ１０２等を用いる場合に、ホログラム再生装置５０と接続しない方式も考えられる。
例えばユーザーは、ホログラム再生装置５０でダウンロードしたコンテンツデータについてのコンテンツＩＤや、ユーザーＩＤを、携帯電話機１０１やパーソナルコンピュータ１０２に手動で入力する。コンテンツＩＤについてはホログラム再生装置５０が表示部５１で表示できるようにすればよい。
ユーザーは自分に付与されたユーザーＩＤとコンテンツＩＤを入力して、携帯電話機１０１やパーソナルコンピュータ１０２からコンテンツ使用管理システム６に送信する。これに対してコンテンツ使用管理システム６からは、携帯電話機１０１やパーソナルコンピュータ１０２に対して使用許可情報を送信してくるが、そのとき、使用許可情報を受信した携帯電話機１０１やパーソナルコンピュータ１０２において、使用許可情報に含まれている暗号解読キーや使用制限解除情報、及びコンテンツＩＤとしてのコード番号を表示するようにする。
ユーザーは表示されたコード番号を手動で操作部５２からホログラム再生装置５０に入力する。ホログラム再生装置５０は入力された暗号解読キーや使用制限解除情報を、コンテンツＩＤに対応させて例えばフラッシュメモリ６５に記憶する。これによって、その後、当該コンテンツデータの非暗号化デコードや使用制限解除処理を実行できるようにし、自由な使用が可能となるようにする。
【０１０４】
また、コンテンツデータの使用はホログラム再生装置５０ではなく、携帯電話機１０１やパーソナルコンピュータ１０２側で行う場合も考えられる。
即ちホログラム再生装置５０は、ダウンロードしたコンテンツデータについて、例えば暗号化状態或いは使用制限状態で携帯電話機１０１やパーソナルコンピュータ１０２に転送するようにする。
転送は外部インターフェース６６を用いて行っても良いし、二次記録メディア９０を可搬性の記録メディアとし、当該二次記録メディア９０を携帯電話機１０１やパーソナルコンピュータ１０２側のメディアドライブに装填するものとしてもよい。
そして、上述した使用要求情報と使用許可情報の送受信を携帯電話機１０１やパーソナルコンピュータ１０２において実行し、使用許可情報に基づくコンテンツデータの再生等の使用は、その携帯電話機１０１やパーソナルコンピュータ１０２上で行われるようにしてもよい。
【０１０５】
例えば以上の各種の例によって、有料のコンテンツダウンロードシステムが実現可能となる。もちろん、上述のように特定の資格者に対して使用を可能とするシステムも同様に実現できる。例えばコンテンツ使用管理システム６は、ユーザー側からの使用要求情報で送信されてくるユーザーＩＤに対して認証処理を行い、認証ＯＫであればユーザー側に暗号解読キーや使用制限解除情報を含む使用許可情報を送信するようにすればよい。
そしてこのようなダウンロードシステムにおいては、課金処理等に基づく使用許可のための使用要求情報、使用許可情報の通信を行うことが必要となるが、このコンテンツデータ自体を通信するものではなく、ＩＤ等の少ないデータ量の通信のみであるため、例えば大容量高速通信回線は要求されない。例えば上記のように携帯電話機１０１等を利用した通信などで十分に実現できる。
【０１０６】
また使用許可情報には機器ＩＤを含むようにし、ユーザー側での再生時等には、機器ＩＤまでも一致しなければ再生できないようにするなどの手法を導入すれば、ダウンロード後にユーザーサイドで無断コピーされたコンテンツデータを使用できないようにすることも可能である。
【０１０７】
なお、ホログラム再生装置５０における使用要求情報や使用許可情報の通信にかかる情報は、フラッシュメモリ６５に限らず、例えば、ハードディスク、メモリカード、或いはメディアドライブ７３における光ディスク等の二次記録メディア９０などに記憶されても良い。
【０１０８】
［７．コンテンツデータと視認画像データの混在記録］
以上説明してきた実施の形態では、ホログラムメモリ１にコンテンツデータを記録するものであるが、ホログラムメモリ１にコンテンツデータとともに、そのホログラムメモリ１自体をユーザーが見たときに視認できる画像データを混在記録することも考えられる。この画像データとは、ダウンロード対象のデータではなく、あくまでホログラムメモリ１自体のデザイン効果を高める画像のことである。
ここでは、ホログラム再生装置５０で取り込まれるコンテンツデータと、ホログラムメモリに記録された状態で人の視覚による認識が可能な画像データとをホログラムメモリ１に混在記録させる実施の形態を説明する。
なお、ダウンロード対象のコンテンツデータとして画像データの場合もあることを先に述べたが、以下の説明では、ダウンロード対象とはならない人が視認する画像データのことを「視認画像データ」と呼んで区別する。またダウンロード対象となるコンテンツデータの例としてオーディオコンテンツデータを挙げる。
【０１０９】
ここでは上述したホログラフィックステレオグラム方式のホログラムメモリを形成する場合に、ホログラム材料上の垂直の帯状として記録されるホログラム要素として、一部には視認画像データを記録させ、一部にはコンテンツデータとしてダウンロードさせるオーディオデータを記録させることで、オーディオデータと視認画像データを混在記録する。
【０１１０】
図１７には、オーディオデータと視認画像データをホログラムメモリに混在記録することを模式的に示している。
先に図４でも述べたが、この場合も図１７（ｂ）に示すように、表示装置４１に画像を表示した状態で、表示装置４１に物体光Ｌ４を照射する。表示装置４１を通過した物体光Ｌ４は、表示装置４１に表示された画像を反映した物体光となり、この物体光Ｌ４がシリンドリカルレンズ４２で垂直方向の線状に収束されてホログラム材料３０に照射される。
この線状に収束された物体光Ｌ４と参照光Ｌ３が干渉した際の干渉縞が、図示するように垂直方向の帯状のホログラム要素としてホログラム材料３０に記録される。
【０１１１】
ここで、帯状の各ホログラム要素を生成していくためには、ホログラム材料３０を例えば矢印Ｈ方向に１段階ずつ送るとともに、表示装置４１に表示する画像を変化させていく。すると、干渉縞としての帯状のホログラム要素がホログラム材料３０上に格子状に形成されていくことになる。
このとき、或る物体を様々な角度から撮影した画像を順次表示装置４１に表示させて、それぞれホログラム要素として記録していくと、視認上で立体画像が見える状態になるが、本例の場合、表示装置４１に表示させる画像として、視認画像データによる画像と、オダウンロードコンテンツとしてのオーディオデータを２次元バーコード状に表現したパターン画像を与える。
即ち図１７（ａ）に示すように、表示装置４１には、オーディオデータＤAに基づく二次元パターン画像と、視認画像データＤPに基づく画像を、所定の順序（＃１・・・＃ｘ）で表示装置４１に表示させながら、ホログラム材料３０にホログラム要素を形成していくと、オーディオデータＤAと画像データＤPを混在記録したホログラム材料３０が形成できる。これをホログラムマスターメディア９１とする。
【０１１２】
図１８に、そのようにして形成されたホログラムマスターメディア９１から複製されるホログラムメモリ１の様子を示している。
各ホログラム要素として記録されたデータは、人が視認できる画像としてホログラムメモリ１上にあらわれる。この場合、ホログラムメモリ１に対しては、或る方向に配置された光源からの光や、周囲の自然光等の外光が参照光となる。
上記図１７（ａ）のような＃１・・・＃ｘの順序でオーディオデータＤA、視認画像データＤPを記録していった場合、例えば図１８のように、ホログラムメモリ１に対して、角度θ１の範囲からは、＃１〜＃ｎのオーディオデータＤAの画像パターンが視認できる。また略正面方向である角度θ２の範囲では、＃ｎ＋１〜＃ｍの視認画像データＤPの画像が視認できる。さらに角度θ３の範囲からは、＃ｍ＋１〜＃ｘのオーディオデータＤAの画像パターンが視認できる。
【０１１３】
オーディオデータＤAによる画像パターンは、二次元バーコードのように、人が意味的にその内容を認識できる画像ではないが、視認画像データＤPによる画像は、ホログラムメモリ１に対して略正面に対峙した人２００がその画像自体を認識できるものである。
オーディオデータＤAによる画像パターンについては、ホログラム再生装置５０が読み取ってデータ処理するものとされる。ホログラム再生装置５０は、図示する読取範囲θ０で、各画像をイメージセンサで読み取っていく。即ち＃１〜＃ｎのオーディオデータＤAによる画像パターン、＃ｎ＋１〜＃ｍの視認画像データＤPの画像、及び＃ｍ＋１〜＃ｘのオーディオデータＤAの画像パターンを、それぞれ読み取っていく。この読取のための動作は上述した図１０，図１１，図１２，図１３のような動作で行われればよい。そして撮像データとして取り込んだ各イメージパターンをデータにデコードする。
但しこの場合、ホログラム再生装置５０はダウンロード対象ではない視認画像データＤPの再生像も読み取ってしまうことになるが、このときホログラム再生装置５０内でのデータ処理過程で、＃ｎ＋１〜＃ｍの視認画像データＤPを破棄し、＃１〜＃ｎ及び＃ｍ＋１〜＃ｘの読み出し画像パターンからデコードしたオーディオデータＤAとしての各記録単位のデータのみを抽出する。そして各記録単位のデータからオーディオデータＤAとしてのストリームデータを生成する。
【０１１４】
つまりこの場合のホログラムメモリ１は、ホログラムメモリの高密度記録という特性を生かしてオーディオデータＤA等のコンテンツデータを十分な容量、記録できるだけでなく、人２００が略正面方向から見たときに、画像自体を認識できるため、ホログラムメモリ１自体をデザイン性の高いものとすることができる。
また例えばオーディオデータＤAを記録することを想定した場合、音楽データとしてのオーディオデータＤAをダウンロードコンテンツとして記録すると共に、その音楽のアーティスト写真やジャケット画像を視認画像データＤPとして記録すれば、付加価値の高いホログラムメモリ１を実現できる。例えばユーザーは視認できる画像によってアーティストや音楽の内容を認識しながら、ホログラム再生装置５０によって、その音楽自体（オーディオデータＤA）を読み取っていくことが可能となる。
【０１１５】
なお、当然ながら、ある角度範囲での視認可能な像を視認画像データＤPの像とした場合、その視認画像データＤPを記録した分だけ、オーディオデータＤA等のコンテンツデータの記録容量は減少する。但しこれは逆に言えば、オーディオデータＤA等の記録に必要な容量を設定した上で、残りの容量として、視認画像データＤPを記録するものとすればよいものである。つまり、どのくらいの角度範囲でデザイン上有効な画像が見えるようにするか（視認画像データＤPの記録容量をどれくらいとするか）というのは、記録しようとするコンテンツデータの容量と、デザイン上の観点を勘案して、決められればよい。
また、必ずしも正面方向から視認画像データＤPによる像が視認できるようにする必要はなく、例えばホログラムメモリ１に対して人２００が斜め方向から見たときのみ視認画像データＤPによる像が認識できるようにすることも考えられる。
【０１１６】
次に、上記のような視認画像データとコンテンツデータを混在記録させたホログラムメモリ１の製造について説明する。
図１９にコンテンツ提供媒体製造システム２による製造手順を示している。なお、図２と同一部分については説明を省略する。
この場合、データ変換ステップＳ１として、視認画像データ生成工程Ｓ１−５が加わることになる。視認画像データ生成工程Ｓ１−５では、視認画像データＤPとして記録する画像データを生成する。例えば或る物体を撮影したり、コンピュータグラフィックなどの手法でホログラム材料３０に記録される複数の要素ホログラムに対応した複数の画像の視認画像データＤPを生成する。ホログラムメモリ１に記録され、視認される画像を立体画像とする場合は、上記した＃ｎ＋１〜＃ｍの各画像データＤPを、いわゆる視差画像列としての画像とすればよい。
そしてマスターデータ生成工程Ｓ１−４では、データ処理ステップＳ１−３を経たオーディオデータを二次元パターン画像に変換してコンテンツマスターデータとすると共に、視認画像データ生成工程Ｓ１−５で生成された視認画像データＤPを、視認画像マスターデータに変換して送出する。
【０１１７】
なお、オーディオデータＤAと視認画像データＤPを混在記録したホログラムメモリ１を製造するが、そのホログラムメモリ１からホログラム再生装置５０が再生像を取り込んだ後に、オーディオデータＤAと視認画像データＤPを区別できるようにする必要がある。
その１つの手法としては、データ変換ステップＳ１において生成されるオーディオデータＤAのデータブロックの構成として、図２０（ｂ）（ｄ）に示すように識別コードを付加することが考えられる。この識別コードとは、ホログラムメモリ１に記録されているホログラム要素として、画像データＤPと区別するためのコード情報であり、つまり識別コードによってオーディオデータＤAが記録されたデータブロックであることを示すものとしている。このような識別コードが付加されたデータブロックを二次元パターン画像に変換してオーディオコンテンツとしてのマスターデータを生成する。
なお、図２０（ａ）（ｃ）は図３（ａ）（ｂ）に示したデータブロックの構成と同じであるが、このように識別コードが付加されていなくても、ホログラム再生装置５０側でオーディオデータＤAと視認画像データＤPを判別することは可能である。
【０１１８】
次にマスター生成ステップＳ２としてホログラムマスターメディア９１を製造するホログラムマスター製造装置は図２１のようになる。
前述した図６と異なるのは、視認画像マスターデータ入力部１２が設けられ、上記データ変換ステップＳ１で生成された視認画像マスターデータが入力されることである。
記録データ生成部１３は、コンテンツマスターデータ入力部１１に入力されて供給されるオーディオデータＤAに基づくパターン画像データと、視認画像マスターデータ入力部１２から供給される視認画像マスタデータＤPについて、例えば図１７の＃１〜＃ｘのデータ順序を制御し、順次ホログラフィックステレオグラムプリンタ装置１５に供給する。制御用コンピュータ１４，ホログラフィックステレオグラムプリンタ装置１５の動作は、図６，図７で説明したものと同様である。
【０１１９】
つまりホログラフィックステレオグラムプリンタ装置１５では、記録データ生成部１３から出力される記録データＤRに基づく複数の露光用画像が表示装置４１に順次表示されるとともに、各画像毎にシャッタ３２が開放され、各画像がそれぞれ短冊状の要素ホログラムとしてホログラム材料３０に順次記録される。このとき、ホログラム材料３０は、１画像毎に１要素ホログラム分だけ送られるので、各要素ホログラムは、横方向に連続して並ぶこととなる。これにより、視認画像データＤPとして、例えば横方向の視差情報を含む複数の画像が、横方向に連続した複数の要素ホログラムとしてホログラム材料３０に記録され、横方向の視差を有するホログラフィックステレオグラムが得られるとともに、オーディオデータＤAによる画像パターンも同じく横方向に連続した複数の要素ホログラムとして記録される。
そして、このシステムでデータＤRの記録を行ったホログラム材料３０が、図１９のホログラムマスターメディア９１とされ、このホログラムマスターメディア９１を用いてホログラム複製工程Ｓ３−１、コンテンツ提供媒体製造工程Ｓ３−２としての提供媒体生成ステップＳ３が行われる。
このようにして生成されたポスターや書籍等のコンテンツ提供媒体に設けられたホログラムメモリ１や、パッケージメディアとしてのホログラムメモリ１では、ユーザーが視認画像データＤPによる画像を視認することができ、そのデザイン性を高めることができる。
【０１２０】
なお、ホログラム再生装置５０によるダウンロードの際には、ホログラムメモリ１に対して図１８の読取範囲θ０としての全ての再生像を撮像データとして取り込み、ＤＲＡＭ６４に蓄積していくことになるが、この場合、視認画像データＤPとしての再生像も撮像データとして含まれることになる。
このためデータ処理部７１は、ＤＲＡＭ６４に蓄積された各撮像データについて、オーディオデータＤAを含むデータブロックの二次元画像パターンの再生像の撮像データであるのか、或いは画像データＤPの再生像であるのかを判別し、画像データＤPの再生像である撮像データについては破棄する処理も行う。
例えばデータブロックが図２０（ｂ）又は図２０（ｄ）の構成とされる場合、データ処理部７１は、データブロック内で識別コードが存在しているか否かで、撮像データが、オーディオデータＤAの再生像であるのか、視認画像データＤPの再生像であるのかを判別できる。
またデータブロックが図２０（ｃ）又は図２０（ｄ）の構成とされる場合、ＥＣＣパリティを用いて正しくエラー訂正処理ができれば、その撮像データはオーディオデータＤAの再生像の撮像データであり、正しくエラー訂正処理ができなければ視認画像データＤPの再生像であると判別するようにしてもよい。
また、データブロックが図２０（ａ）のように識別コードが存在せず、またエラー訂正コードも含まれていない場合は、そのデータブロックの形式やデータ内容を確認して判別する手法が考えられる。例えばヘッダ情報としての決められた意味のある情報が含まれていればオーディオデータＤAのデータブロックとして採用することが考えられる。またデータブロックから抽出したオーディオデータを繋げてオーディオストリームデータを生成する際には、そのデータブロックナンバを確認することになるが、その場合、視認画像データＤPにはストリームデータとしての順序を示すデータブロックナンバは存在しないため、結果として視認画像データＤPの再生像から得られるデータは除外できることになる。
【０１２１】
以上のように、ホログラムメモリ１に視認画像データとコンテンツデータを混在記録することで、ホログラムメモリ１の高密度記録という特性を生かしてオーディオデータＤA等のダウンロード対象のコンテンツデータを十分な容量、記録でき、さらに人がホログラムメモリ１自体を見たときに、画像を認識できるため、ホログラムメモリ１をデザイン性、更にはホログラムメモリ１を貼付したコンテンツ提供媒体のデザイン性の高いものとしたり、付加価値を与えることができる。なお視認画像データとしては、再生像として立体画像を得るものであってもよいし、立体画像ではない二次元画像が観察されるものでもよい。
またホログラム再生装置５０側では、ホログラムメモリ１に対して所定の角度範囲で観察される再生像を取り込んでいき、コンテンツデータによる画像パターンを抽出していくことで、コンテンツデータを正しくダウンロードできる。
【０１２２】
なお、図１８の例では、視認画像データＤPの再生像はホログラムメモリ１の略正面方向から人が観察できるようにしたが、このようにすることで、視認画像データＤPの再生像が見えやすくなり、視認したときのデザイン性の向上に好適である。但し、使用状況や目的によっては、正面方向ではなく、斜め方向から視認画像データＤPの再生像が見えるようにしてもよい。
また、図１８の角度θ２の範囲、つまり正面方向においてコンテンツデータによる画像パターンの再生像が観察されるようにすれば、ホログラム再生装置５０のスキャン機構７４によるスキャン角度範囲を狭くすることができ、構成の簡略化に適しているという利点が得られる。
【０１２３】
［８．変形例］
以上実施の形態について説明してきたが、本発明は多様な変形例が考えられる。
ホログラムメモリ１は、ホログラフィックステレオグラム方式に限らず、他の記録方式のホログラムメモリ１でも本発明を適用できる。
また例えば波長多重、角度多重、シフト多重、多値記録など、ホログラム記録媒体の大容量化を実現する技術は多様に存在するが、それらが採用されたホログラムメモリ１を用いても良い。
またホログラムメモリ１としての記録方式や種類は、記録するコンテンツデータの容量に応じて選定されても良い。
ホログラム再生装置５０の構成は上記図９の構成に限られない。ホログラムメモリ１からダウンロードしたコンテンツデータの再生出力、送信出力の形態も多様に考えられる。
また、ホログラム再生装置５０自体ではダウンロードしたコンテンツデータを再生する機能は設けず、コンテンツデータは外部インターフェース６６による通信又は二次記録メディア９０の移動によって外部機器１００に転送するものとし、外部機器１００側で再生されるものとしてもよい。
【図面の簡単な説明】
【０１２４】
【図１】本発明の実施の形態のダウンロードシステムの説明図である。
【図２】実施の形態のコンテンツ提供媒体製造システムの説明図である。
【図３】実施の形態のコンテンツデータの記録単位としてのデータブロックの説明図である。
【図４】実施の形態のホログラムへのコンテンツデータ記録の説明図である。
【図５】実施の形態のホログラムメモリの再生像の説明図である。
【図６】実施の形態のホログラムマスター製造装置のブロック図である。
【図７】実施の形態のホログラムマスターを形成するホログラフィックステレオグラムプリンタ装置の光学系の説明図である。
【図８】実施の形態のホログラム再生装置の外観例の説明図である。
【図９】実施の形態のホログラム再生装置のブロック図である。
【図１０】実施の形態の再生装置による読み取り動作の説明図である。
【図１１】実施の形態の再生装置による読み取り動作の説明図である。
【図１２】実施の形態の再生装置による読み取り動作の説明図である。
【図１３】実施の形態の再生装置による読み取り動作の説明図である。
【図１４】実施の形態のコンテンツデータの記録形式の説明図である。
【図１５】実施の形態のコンテンツデータ使用管理システムの説明図である。
【図１６】実施の形態のコンテンツデータ使用管理システムとの通信例の説明図である。
【図１７】他の実施の形態のコンテンツ提供媒体製造システムの説明図である。
【図１８】他の実施の形態のホログラムマスター製造装置のブロック図である。
【図１９】他の実施の形態のコンテンツデータの記録単位としてのデータブロックの説明図である。
【図２０】他の実施の形態のホログラムへのコンテンツデータ記録の説明図である。
【図２１】他の実施の形態のホログラムメモリの再生像の説明図である。
【符号の説明】
【０１２５】
１  ホログラムメモリ、２  コンテンツ提供媒体製造システム、３  ポスター、４  書籍、５  パッケージメディア、６  コンテンツ使用管理システム、７  ユーザー機器、１４  制御用コンピュータ、１５、ホログラフィックステレオグラムプリンタ装置、３０  ホログラム材料、３１  管理サーバ、５０  ホログラム再生装置、５３  撮像レンズ系、５４  発光素子、５５  イメージャ、６１  システムコントローラ、６６  外部インターフェース、７１  データ処理部、７３  メディアドライブ  ７６  再生処理部、９０  二次記録メディア、９１  ホログラムマスターメディア、１００  外部機器